(57)【要約】【課題】被綴じ物が垂れないように綴じることができるファイルを提供することである。【解決手段】この発明にかかるファイルは、綴じ穴を穿設された被綴じ物を綴じ具９０１０に綴じるファイルにおいて、ファイルを綴じ具９０１０の長さ方向に立てたとき、被綴じ物Ｓを垂れないようにするための垂れ防止手段３０がファイルの表紙１２の内側に進退自在に形成され、垂れ防止手段３０は、ファイル表紙１２を閉じたときに被綴じ物Ｓの端縁Ｓ１を保持するように形成されている。【選択図】図１
2009119604.tif 000002
【特許請求の範囲】
【請求項１】
綴じ穴を穿設された被綴じ物を綴じ具に綴じるファイルにおいて、
ファイルを綴じ具の長さ方向に立てたとき、
被綴じ物を垂れないようにするための垂れ防止手段がファイルの表紙の内側に進退自在に形成され、
垂れ防止手段は、ファイル表紙を閉じたときに被綴じ物の端縁を保持するように形成された、ファイル。
【請求項２】
垂れ防止手段は、ファイル表紙を閉じたときに、ファイル表紙に連動して被綴じ物の端縁に向けて突き出て形成される、請求項１に記載のファイル。
【請求項３】
垂れ防止手段は、ファイル表紙をヒンジ部において折り曲げて閉じたときに、その折り曲げに対応してファイル表紙のヒンジ部に沿って折れ曲がり、被綴じ物の端縁に向けて突き出て形成される、請求項１又は２に記載のファイル。
【請求項４】
垂れ防止手段は、ファイル表紙の幅方向に向けて形成された切り込みによって区画された領域において形成され、該区画された領域がファイル表紙をヒンジ部において折り曲げて閉じたときに、その折り曲げに対応してファイル表紙のヒンジ部に沿って折れ曲がり、被綴じ物の端縁に向けて突き出るように形成される、請求項１ないし３のいずれかに記載のファイル。
【請求項５】
垂れ防止手段は、被綴じ物の端縁に接し合う表面に被綴じ物の空隙に入り込む突起を形成され、該突起は、可動自在に又は不動に形成された、請求項１ないし４のいずれかに記載のファイル。
【請求項６】
背表紙は、幅方向に向けて形成された切り込みによって区画された領域により構成された垂れ防止手段が、ファイル表紙をヒンジ部において折り曲げて閉じたときに、背表紙の内側に向けて凹むことにより形成された貫通孔により、指を掛ける指かけ孔を形成された、請求項１ないし５のいずれかに記載のファイル。
【請求項７】
垂れ防止手段は、
ヒンジ部を介して連設された表表紙、裏表紙及び背表紙のうち少なくとも二つの間に架け渡された立ち上がり部を有し、
一方の立ち上がり部が表表紙、裏表紙及び背表紙のうち一つに連結され、他方の立ち上がり部が前記一方の立ち上がり部が連設されていない表表紙、裏表紙及び背表紙のうち一つに連設され、
前記一方の立ち上がり部と他方の立ち上がり部との間に前記ヒンジ部と平行な折れ曲がり部が形成された、
請求項１ないし６のいずれかに記載のファイル。
【請求項８】
綴じ具は、背表紙を挟んでヒンジ部を介して対面する表紙のうち、一方の表紙の内側であって背表紙に近い面に固定され、
垂れ防止手段は、背表紙と綴じ具の背表紙側の綴環との間において、架け渡され、
表紙の背表紙と綴じ具との間に位置し、表紙を開いたときに表紙の内側に近いか略々同じ面に位置し、且つ表紙を閉じたときに前記ヒンジ部と平行な折れ曲がり部が折れ曲がって一方の表紙が閉じられるに従って綴じ具に沿って他方の表紙側に向けて被綴じ物を押圧するように構成された、請求項１ないし７のいずれかに記載のファイル。
【請求項９】
綴じ具は、背表紙を挟んでヒンジ部を介して対面する表紙のうち、一方の表紙の内側であって背表紙に近い面に固定され、
垂れ防止手段は、綴じ具を固定された表紙とヒンジ部を介して交差する表紙に沿ってのび被綴じ物の端縁に接し合う保持部と、綴じ具を固定された表紙に沿ってのびる前記保持部を支持する支持部とを有し、
前記保持部と支持部とは、ヒンジ部と平行な折れ曲がり部を介して連結され且つ背表紙と綴じ具の背表紙側の綴環との間において、架け渡され、
表紙の背表紙と綴じ具との間に位置し、表紙を開いたときに表紙の内側に近いか略々同じ面に位置し、且つ表紙を閉じたときに前記ヒンジ部と平行な折れ曲がり部が折れ曲がり、一方の表紙が閉じられるに従って綴じ具に沿って他方の表紙側に向けて被綴じ物を押圧するように構成された、請求項１ないし８のいずれかに記載のファイル。
【請求項１０】
垂れ防止手段は、綴じ具に向く面に、綴じ具に移動自在に固定された被綴じ物押さえ具の端縁を嵌挿するための嵌挿溝が形成された、請求項１ないし９のいずれかに記載のファイル。
【請求項１１】
被綴じ物が固定された表紙より立ち上がった垂れ防止手段の立ち上がり部は、
綴じ具を固定された表紙と直交する綴環と略平行に立ち上がり、
綴じ具を固定された表紙と直交する綴環と交差し表紙と略平行なプレート状の被綴じ物押さえ具を、その端縁の表面及び裏面を挟むように嵌挿するための嵌挿溝が、綴じ具に向かって開放されるように形成された、請求項１ないし１０のいずれかに記載のファイル。
【発明の詳細な説明】
【技術分野】
【０００１】
この発明は、ファイルに関し、特に例えば綴じ穴のあいた被綴じ物を綴じるリング綴じ具を備えたファイルに関する。
【背景技術】
【０００２】
この発明の背景となる従来の綴具の一例が、たとえば特開２００６−１５９９１３号公報に開示されている。この公報に開示されている綴具は、いわゆるＤ型リング綴じ具をファイル用表紙に固定し、綴じ穴のあいた被綴じ物を綴じるように構成されている。
【０００３】
【特許文献１】特開２００４−１５９９１３号公報
【発明の開示】
【発明が解決しようとする課題】
【０００４】
従来のＤ型リングの綴じ具を用いたファイルにおいては、綴じ穴より綴じ具の綴環が細いので、綴じ具を垂直に立てるようにしてファイルを立てたとき、用箋等の自重により綴じ具の綴環に綴じられた被綴じ物が垂れてしまい、ファイル表紙よりはみ出すという問題がある。
それゆえに、この発明の主たる目的は、被綴じ物が垂れないように綴じることができるファイルを提供することである。
【課題を解決するための手段】
【０００５】
この発明にかかるファイルは、綴じ穴を穿設された被綴じ物を綴じ具に綴じるファイルにおいて、ファイルを綴じ具の長さ方向に立てたとき、被綴じ物を垂れないようにするための垂れ防止手段がファイルの表紙の内側に進退自在に形成され、垂れ防止手段は、ファイル表紙を閉じたときに被綴じ物の端縁を保持するように形成された、ファイルである。
この発明の請求項２にかかるファイルにおいて、垂れ防止手段は、ファイル表紙を閉じたときに、ファイル表紙に連動して被綴じ物の端縁に向けて突き出て形成される、請求項１に記載のファイルである。
この発明の請求項３にかかるファイルにおいて、垂れ防止手段は、ファイル表紙をヒンジ部において折り曲げて閉じたときに、その折り曲げに対応してファイル表紙のヒンジ部に沿って折れ曲がり、被綴じ物の端縁に向けて突き出て形成される、請求項１又は２に記載のファイルである。
この発明の請求項４にかかるファイルにおいて、垂れ防止手段は、ファイル表紙の幅方向に向けて形成された切り込みによって区画された領域において形成され、該区画された領域がファイル表紙をヒンジ部において折り曲げて閉じたときに、その折り曲げに対応してファイル表紙のヒンジ部に沿って折れ曲がり、被綴じ物の端縁に向けて突き出るように形成される、請求項１ないし３のいずれかに記載のファイル。
この発明の請求項５にかかるファイルにおいて、垂れ防止手段は、被綴じ物の端縁に接し合う表面に被綴じ物の空隙に入り込む突起を形成され、該突起は、可動自在に又は不動に形成された、請求項１ないし４のいずれかに記載のファイルである。
この発明の請求項６にかかるファイルにおいて、背表紙は、幅方向に向けて形成された切り込みによって区画された領域により構成された垂れ防止手段が、ファイル表紙をヒンジ部において折り曲げて閉じたときに、背表紙の内側に向けて凹むことにより形成された貫通孔により、指を掛ける指かけ孔を形成された、請求項１ないし５のいずれかに記載のファイルである。
この発明の請求項７にかかるファイルにおいて、垂れ防止手段は、ヒンジ部を介して連設された表表紙、裏表紙及び背表紙のうち少なくとも二つの間に架け渡された立ち上がり部を有し、一方の立ち上がり部が表表紙、裏表紙及び背表紙のうち一つに連結され、他方の立ち上がり部が前記一方の立ち上がり部が連設されていない表表紙、裏表紙及び背表紙のうち一つに連設され、前記一方の立ち上がり部と他方の立ち上がり部との間に前記ヒンジ部と平行な折れ曲がり部が形成された、請求項１ないし６のいずれかに記載のファイルである。
この発明の請求項８にかかるファイルにおいて、綴じ具は、背表紙を挟んでヒンジ部を介して対面する表紙のうち、一方の表紙の内側であって背表紙に近い面に固定され、垂れ防止手段は、背表紙と綴じ具の背表紙側の綴環との間において、架け渡され、表紙の背表紙と綴じ具との間に位置し、表紙を開いたときに表紙の内側に近いか略々同じ面に位置し、且つ表紙を閉じたときに前記ヒンジ部と平行な折れ曲がり部が折れ曲がって一方の表紙が閉じられるに従って綴じ具に沿って他方の表紙側に向けて被綴じ物を押圧するように構成された、請求項１ないし７のいずれかに記載のファイルである。
この発明の請求項９にかかるファイルにおいて、綴じ具は、背表紙を挟んでヒンジ部を介して対面する表紙のうち、一方の表紙の内側であって背表紙に近い面に固定され、垂れ防止手段は、綴じ具を固定された表紙とヒンジ部を介して交差する表紙に沿ってのび被綴じ物の端縁に接し合う保持部と、綴じ具を固定された表紙に沿ってのびる前記保持部を支持する支持部とを有し、前記保持部と支持部とは、ヒンジ部と平行な折れ曲がり部を介して連結され且つ背表紙と綴じ具の背表紙側の綴環との間において、架け渡され、表紙の背表紙と綴じ具との間に位置し、表紙を開いたときに表紙の内側に近いか略々同じ面に位置し、且つ表紙を閉じたときに前記ヒンジ部と平行な折れ曲がり部が折れ曲がり、一方の表紙が閉じられるに従って綴じ具に沿って他方の表紙側に向けて被綴じ物を押圧するように構成された、請求項１ないし８のいずれかに記載のファイルである。
この発明の請求項１０にかかるファイルにおいて、垂れ防止手段は、綴じ具に向く面に、綴じ具に移動自在に固定された被綴じ物押さえ具の端縁を嵌挿するための嵌挿溝が形成された、請求項１ないし９のいずれかに記載のファイルである。
この発明の請求項１１にかかるファイルにおいて、被綴じ物が固定された表紙より立ち上がった垂れ防止手段の立ち上がり部は、綴じ具を固定された表紙と直交する綴環と略平行に立ち上がり、綴じ具を固定された表紙と直交する綴環と交差し表紙と略平行なプレート状の被綴じ物押さえ具を、その端縁の表面及び裏面を挟むように嵌挿するための嵌挿溝が、綴じ具に向かって開放されるように形成された、請求項１ないし１０のいずれかに記載のファイルである。
【発明の効果】
【０００６】
この発明によれば、綴じ穴を穿設された被綴じ物を綴じ具に綴じるファイルにおいて、ファイルを綴じ具の長さ方向に立てたとき、被綴じ物を垂れないようにするための垂れ防止手段がファイルの表紙の内側に進退自在に形成され、垂れ防止手段は、ファイル表紙を閉じたときに被綴じ物の端縁を保持するように形成されているので、ファイルに綴じられた被綴じ物が垂れないように綴じることができる。
請求項２の発明によれば、垂れ防止手段は、ファイル表紙を閉じたときに、ファイル表紙に連動して被綴じ物の端縁に向けて突き出て形成されているので、ファイルの表紙を閉じるだけで、被綴じ物が垂れないように綴じることができる。
請求項３の発明によれば、垂れ防止手段は、ファイル表紙をヒンジ部において折り曲げて閉じたときに、その折り曲げに対応してファイル表紙のヒンジ部に沿って折れ曲がり、被綴じ物の端縁に向けて突き出て形成されているので、ファイル表紙を閉じるだけで、被綴じ物が垂れないように綴じることができる。
請求項４の発明によれば、垂れ防止手段は、ファイル表紙の幅方向に向けて形成された切り込みによって区画された領域において形成され、該区画された領域がファイル表紙をヒンジ部において折り曲げて閉じたときに、その折り曲げに対応してファイル表紙のヒンジ部に沿って折れ曲がり、被綴じ物の端縁に向けて突き出るように形成されているので、ファイル表紙の製造時に、ファイル表紙の加工の中で一連の処理として表紙に切り込みを形成して、比較的容易に垂れ防止手段を成形できる。
請求項５の発明によれば、垂れ防止手段は、被綴じ物の端縁に接し合う表面に被綴じ物の空隙に入り込む突起を形成され、該突起は、可動自在に又は不動に形成されているので、綴じられた被綴じ物を整列して、例えばファイルを立てた状態に保管できる。
請求項６の発明によれば、背表紙は、幅方向に向けて形成された切り込みによって区画された領域により構成された垂れ防止手段が、ファイル表紙をヒンジ部において折り曲げて閉じたときに、背表紙の内側に向けて凹むことにより形成された貫通孔により、指を掛ける指かけ孔を形成されているので、ファイルを並列させて立てた状態において保管しているときにおいても、指かけ孔に指を引っ掛けてファイルを抜き出して取り出せる。
請求項７の発明によれば、垂れ防止手段は、ヒンジ部を介して連設された表表紙、裏表紙及び背表紙のうち少なくとも二つの間に架け渡された立ち上がり部を有し、一方の立ち上がり部が表表紙、裏表紙及び背表紙のうち一つに連結され、他方の立ち上がり部が前記一方の立ち上がり部が連設されていない表表紙、裏表紙及び背表紙のうち一つに連設され、前記一方の立ち上がり部と他方の立ち上がり部との間に前記ヒンジ部と平行な折れ曲がり部が形成されているので、表紙をヒンジ部において折り曲げて閉じたときに、立ち上がり部が立ち上がって被綴じ物の端縁を保持して、被綴じ物を垂れることなく保管することができる。
請求項８の発明によれば、綴じ具は、背表紙を挟んでヒンジ部を介して対面する表紙のうち、一方の表紙の内側であって背表紙に近い面に固定され、垂れ防止手段は、背表紙と綴じ具の背表紙側の綴環との間において、架け渡され、表紙の背表紙と綴じ具との間に位置し、表紙を開いたときに表紙の内側に近いか略々同じ面に位置し、且つ表紙を閉じたときに前記ヒンジ部と平行な折れ曲がり部が折れ曲がって一方の表紙が閉じられるに従って綴じ具に沿って他方の表紙側に向けて被綴じ物を押圧するように構成されているので、表紙の閉じる動作に応じて垂れ防止手段も作動して被綴じ物の端縁を保持する。
請求項９の発明によれば、綴じ具は、背表紙を挟んでヒンジ部を介して対面する表紙のうち、一方の表紙の内側であって背表紙に近い面に固定され、垂れ防止手段は、綴じ具を固定された表紙とヒンジ部を介して交差する表紙に沿ってのび被綴じ物の端縁に接し合う保持部と、綴じ具を固定された表紙に沿ってのびる前記保持部を支持する支持部とを有し、前記保持部と支持部とは、ヒンジ部と平行な折れ曲がり部を介して連結され且つ背表紙と綴じ具の背表紙側の綴環との間において、架け渡され、表紙の背表紙と綴じ具との間に位置し、表紙を開いたときに表紙の内側に近いか略々同じ面に位置し、且つ表紙を閉じたときに前記ヒンジ部と平行な折れ曲がり部が折れ曲がり、一方の表紙が閉じられるに従って綴じ具に沿って他方の表紙側に向けて被綴じ物を押圧するように構成されているので、表紙の閉じる動作に応じて垂れ防止手段も作動して保持部により被綴じ物の端縁を保持する。
請求項１０の発明によれば、垂れ防止手段は、綴じ具に向く面に、綴じ具に移動自在に固定された被綴じ物押さえ具の端縁を嵌挿するための嵌挿溝が形成されているので、積層された被綴じ物の上面を被綴じ物押さえ具により押圧した状態において、被綴じ物押さえ具を確り垂れ防止手段に固定して被綴じ物を不用意に動くことのないようにすることができる。
請求項１１の発明によれば、被綴じ物が固定された表紙より立ち上がった垂れ防止手段の立ち上がり部は、綴じ具を固定された表紙と直交する綴環と略平行に立ち上がり、綴じ具を固定された表紙と直交する綴環と交差し表紙と略平行なプレート状の被綴じ物押さえ具を、その端縁の表面及び裏面を挟むように嵌挿するための嵌挿溝が、綴じ具に向かって開放されるように形成されているので、積層された被綴じ物の上面を被綴じ物押さえ具により押圧した状態において、被綴じ物押さえ具を確り垂れ防止手段に固定して被綴じ物を不用意に動くことのないようにすることができる。
【０００７】
この発明の上述の目的、その他の目的、特徴および利点は、図面を参照して行う以下の発明を実施するための最良の形態の説明から一層明らかとなろう。
一般的には、ファイルとはおおむね記録済みの文書（伝票・カタログ・書類など）をとじ、又は、はさみ入れて整理・保管することのできる表紙をいい、バインダーとはおおむね未記録のとじ穴のある用紙（ルーズリーフ、帳票など）を挿入し、記録できる、とじ具付き表紙をいうが、この発明の特許請求の範囲及び明細書においては、綴具の付いたファイルとバインダーとを総称して、ファイルという。
【発明を実施するための最良の形態】
【０００８】
図１は、本発明の一実施の形態である表紙構造を備えたファイルの斜視図解図である。図２は、図１図示ファイルの表紙を開いた状態の平面図解図であり、図３は、図１図示ファイルの表紙を開いた状態の断面図解図である。図４は、図１図示ファイルの表紙を閉じた状態の断面図解図である。
【０００９】
この発明の実施の形態であるファイル１０は、表紙１２と、表紙１２に固定された綴じ具９０１０とを含む。
【００１０】
表紙１２は、背表紙１４と、前記背表紙１４の両端に開閉自在に延設された、表表紙１６及び前記綴じ具９０１０の保持部材を固定する裏表紙１８とを備え、図１及び４に示すように、表表紙１６と裏表紙１８が背表紙１４に対して立設状態となり対向するように連設され、幅（Ａ）と高さ（Ｂ）と背幅（Ｃ）とを有する。
そして、表表紙１６及び裏表紙１８は、背表紙１４寄りに高さ（Ｂ）方向にのびる開閉用の表側薄肉ヒンジ部２０及び裏側薄肉ヒンジ部２２が設けられ、表側薄肉ヒンジ部２０と裏側薄肉ヒンジ部２２とは、平行でその間において背幅（Ｃ）を構成する。
【００１１】
表表紙１６の開閉を可能にする表側薄肉ヒンジ部２０及び裏表紙１８の開閉を可能にする裏側薄肉ヒンジ部２２は、断面略Ｖ字溝であり、表側薄肉ヒンジ部２０と裏側薄肉ヒンジ部２２とは、それぞれ平行である。表側薄肉ヒンジ部２０は、背表紙１４と表表紙１６との境界に設けられており、裏側薄肉ヒンジ部２２は、背表紙１４と裏表紙１８との境界に設けられている。
【００１２】
この綴じ具９０１０の綴環９０１２、９０１４は，Ｄ字型であり、綴じ具の長さ（Ｄ）と綴じ具の幅（Ｅ）とを有する。
この綴じ具９０１０の綴環は、第１の綴環９０１２と第２の綴環９０１４とからなるが、第１の綴環９０１２の半割杆９０１２ａと半割杆９０１２ｂ及び第２の綴環９０１４の半割杆９０１４ａと半割杆９０１４ｂとがそれぞれ線対称ではなく、その形状が異なる。
すなわち、第１の綴環９０１２の半割杆９０１２ａ及び第２の綴環９０１４の半割杆９０１４ａは、略コ字型であり、もう一方の（第１の綴環９０１２の）半割杆９０１２ｂ及び（第２の綴環９０１４の）半割杆９０１４ｂは、半円弧状であり、背表紙１４側に位置する。
綴環９０１２と綴環９０１４とは、綴じ具の長さ（Ｄ）方向において適宜な間隔をおいて分かれており、綴環９０１２及び綴環９０１４ののびる方向、すなわち長さ（Ｆ）方向を有する。綴環９０１２及び綴環９０１４の長さ（Ｆ）方向は、表紙１２の幅（Ａ）方向すなわち表側薄肉ヒンジ部２０及び裏側薄肉ヒンジ部２２と直交し表紙１２の内表面と直交する平面（仮想面）上においてのびる。
【００１３】
綴じ具９０１０は、裏側薄肉ヒンジ部２２との間に少し距離をおいて、裏表紙１８の内面に固定されており、綴環９０１２及び綴環９０１４の基部と頂部との間の長さ（すなわち綴環９０１２及び綴環９０１４の高さ（Ｇ））は、背表紙１４の背幅と略同等もしくはわずかに長く形成されている。綴環９０１２及び綴環９０１４の基部と頂部との間の長さ（すなわち綴環９０１２及び綴環９０１４の高さ（Ｇ））が、背表紙１４の背幅（Ｃ）より長いときは、表表紙１６の接し合う部分に貫通孔からなる綴じ具嵌挿孔１６ａが穿設される。
【００１４】
このファイル１０は、綴じ具９０１０を長さ方向に立てたとき、被綴じ物Ｓを垂れないようにするための垂れ防止手段３０がファイルの表紙１２の内側に進退自在に形成されている。
垂れ防止手段３０は、ファイル表紙１２の表表紙１６を表側薄肉ヒンジ部２０において折り曲げて閉じたときに、表表紙１６と背表紙１４とのなす角度が略１８０度から略９０度に縮まり、その折り曲げに対応してファイル表紙１２の表側薄肉ヒンジ部２０に沿って折れ曲がり、被綴じ物Ｓの綴じ代側端縁Ｓ１に向けて突き出るように、形成される。
【００１５】
垂れ防止手段３０は、表紙１２の内側に取り付けられた垂れ防止手段３０を構成する立ち上がり部材により構成され、表表紙１６、裏表紙１８及び背表紙１４のうち少なくとも二つの間に架け渡された立ち上がり部を有する。
一方の立ち上がり部が表表紙１６、裏表紙１８及び背表紙１４のうち一つに連結され、他方の立ち上がり部が前記一方の立ち上がり部が連結されていない表表紙１６、裏表紙１８及び背表紙１４のうち一つに連結されている。
【００１６】
垂れ防止手段３０は、綴じ具９０１０を取り付けられた裏表紙１８と背表紙１４とに続く分離スリット９０によって区画され、形成されている。分離スリット９０は、綴じ具９０１０の下方であって、背表紙１４の第１の綴環９０１２及び第２の綴環９０１４の中央近くから、背表紙１４側にかけて、裏表紙１８及び背表紙１４に連続して表側薄肉ヒンジ部２０に直交する上下一対の第１分離スリット９０ａと第２分離スリット９０ｂとによって構成され、背表紙１４と裏表紙１８との間に架け渡された立ち上がり部を形成している。
【００１７】
第１分離スリット９０ａと第２分離スリット９０ｂとによって囲まれた領域を立ち上がり部として、背表紙１４と裏表紙１８との内面より内側に向けて山形に立ち上がらせるために、中央において内方に向けて折れ曲がらせるための第１折れ曲がり部４０と、第１分離スリット９０ａの裏表紙１８側の端部と第２分離スリット９０ｂの裏表紙１８側の端部とを結ぶ第３折れ曲がり部４４と、第１分離スリット９０ａの背表紙１４側の端部と第２分離スリット９０ｂの背表紙１４とを結ぶ第２折れ曲がり部４２とを形成されている。
第１折れ曲がり部４０と第２折れ曲がり部４２と第３折れ曲がり部４４とは、平行に形成され、表紙１２の内側からみて、第１折れ曲がり部４０は内側に向けて山折りとなり、第２折れ曲がり部４２と第３折れ曲がり部４４とは谷折りとなる。
すなわち、前記一方の平面視方形状の立ち上がり部からなる保持部３２と、平面視方形状の他方の立ち上がり部からなる支持部３４との間に第１折れ曲がり部４０が形成されている。
更に、支持部３４は、第１折れ曲がり部４０とは反対側端縁に表表紙１６との連結し折曲自在とするために第２折れ曲がり部４２を表側薄肉ヒンジ部２０に連続して形成され、第２折れ曲がり部４２は表側薄肉ヒンジ部２０と平行に形成されている。
また、保持部３２は、被綴じ物Ｓの綴じ代側端縁Ｓ１と接し被綴じ物Ｓを表紙１２の外側に押圧するための面積を備え、綴じ具９０１０の長さ（Ｄ）方向にのびる長さと積層された被綴じ物Ｓの厚さに対応した綴じ具９０１０の高さ（Ｇ）方向にのびる長さを備える。そして、保持部３２は、第１折れ曲がり部４０とは反対側端縁に裏表紙１８との連結し折り曲自在とするための第３折れ曲がり部４４を形成され、第３折れ曲がり部４４は表側薄肉ヒンジ部２０及び裏側薄肉ヒンジ部２２と平行に形成されている。
【００１８】
垂れ防止手段３０は、ファイル表紙１２を表側薄肉ヒンジ部２０において折り曲げて閉じたときに、その折り曲げに対応してファイル表紙１２の表側薄肉ヒンジ部２０に沿って第１折れ曲がり部４０において内側に向けて突き出る山折り状（表紙の外側からみて谷折り状）に折れ曲がり、且つ第２折れ曲がり部４２及び第３折れ曲がり部４４において外側に向けて凹む谷折り状（表紙の外側からみて山折り状）に折れ曲がり、被綴じ物Ｓの綴じ代側端縁Ｓ１に向けて突き出るように形成されている。
【００１９】
保持部３２の幅（第１折れ曲がり部４０と第３折れ曲がり部４４との間の長さ）は、背表紙１４の裏側薄肉ヒンジ部２２と第２折れ曲がり部４２の位置との幅と略同一であるために、表紙１２を開いたときに、保持部３２及び支持部３４は、表紙１２の内側面に近い位置まで接近する。
【００２０】
垂れ防止手段３０は、表紙１２の背表紙１４と綴じ具９０１０との間に位置し、表表紙１６を開いたときに表表紙１６の内側に近いか略々同じ面に位置し、且つ表表紙１６を閉じたときに一方の表表紙１６が閉じられるに従って綴じ具９０１０に沿って他方の裏表紙１８に向けて被綴じ物Ｓの綴じ代側端縁Ｓ１を押圧するように構成されている。
【００２１】
第１折れ曲がり部４０と第２折れ曲がり部４２と第３折れ曲がり部４４と平行になるように、且つ表表紙１６の表側薄肉ヒンジ部２０及び裏表紙１４の裏側薄肉ヒンジ部２２と平行になるように、垂れ防止手段３０は、第２折れ曲がり部４２を介して表表紙１６と接続され、第３折れ曲がり部４４を介して背表紙１４と接続されている。
而して、垂れ防止手段３０の第１折れ曲がり部４０と第２折れ曲がり部４２と第３折れ曲がり部４４とは、表側薄肉ヒンジ部２０及び裏側薄肉ヒンジ部２２と直交するとともに綴環９０１２と綴環９０１４とを結ぶ長さ（Ｄ）方向にのびる。
【００２２】
第３折れ曲がり部４４は、第１の綴環９０１２の基部と第２の綴環の基部との中間、すなわち綴じ具９０１０に綴じられた被綴じ物Ｓの綴じ代側端縁Ｓ１の位置にほぼ近い位置に位置している。
したがって、垂れ防止手段３０を立ち上げたときに、保持部３２は、裏表紙１８に対して略垂直に立ち上がり、被綴じ物Ｓの綴じ代側端縁Ｓ１に接近し綴じ代側端縁Ｓ１の列と対向して、被綴じ物Ｓを保持する。
第２折れ曲がり部４２は、表表紙１６を閉じるときに垂れ防止手段３０を立ち上げ易くするために、裏側薄肉ヒンジ部２２より離れた位置に位置している。この実施の形態においては、裏側薄肉ヒンジ部２２を枢軸として閉じられる背表紙１４及び表表紙１６の動作に対応して、第１折れ曲がり部４０を頂点として山型に折れ曲がり立ち上がり易くするために、垂れ防止手段３０の第２折れ曲がり部４２は、表側薄肉ヒンジ部２０の近傍に位置している。
【００２３】
垂れ防止手段３０は、ファイル表紙を閉じたときに、ファイル表紙１２の表表紙１６と背表紙１４との角度が略１８０度から略９０度に縮まり、第２折れ曲がり部４２と第３折れ曲がり部４４との間隔も縮まることにより、保持部３２は第２折れ曲がり部４２を中心に回動し、支持部３４は第３折れ曲がり部４４を中心に回動して、保持部３２が被綴じ物Ｓの綴じ代側端縁Ｓ１に向けて突き出て進み、その綴じ代側端縁Ｓ１を保持する。
【００２４】
背表紙１４は、幅方向に向けて形成された切り込みによって区画された領域により構成された垂れ防止手段３０が、ファイル表紙１２を表側薄肉ヒンジ部２０及び裏側薄肉ヒンジ部２２において折り曲げて閉じたときに、背表紙１４の内側に向けて凹むことにより形成された貫通孔により、指を掛ける指かけ孔２８を形成される。
【００２５】
図６は、本発明の一実施の形態である表紙構造を備えたファイルの斜視図解図である。図７は、図６図示ファイルの表紙を開いた状態の平面図解図であり、図８は、図６図示ファイルの表紙を開いた状態の断面図解図である。図９は、図６図示ファイルの表紙を閉じた状態の断面図解図である。
【００２６】
この発明の実施の形態であるファイル１１０は、表紙１１２と、表紙１１２に固定された綴じ具９０１０とを含む。
【００２７】
表紙１１２は、背表紙１１４と、前記背表紙１１４の両端に開閉自在に延設された、表表紙１１６及び前記綴じ具９０１０の保持部材を固定する裏表紙１１８とを備え、図６及び９に示すように、表表紙１１６と裏表紙１１８が背表紙１１４に対して立設状態となり対向するように連設され、幅（Ａ）と高さ（Ｂ）と背幅（Ｃ）とを有する。
そして、表表紙１１６及び裏表紙１１８は、背表紙１１４寄りに高さ（Ｂ）方向にのびる開閉用の表側薄肉ヒンジ部１２０及び裏側薄肉ヒンジ部１２２が設けられ、表側薄肉ヒンジ部１２０と裏側薄肉ヒンジ部１２２とは、平行でその間において背幅（Ｃ）を構成する。
【００２８】
表表紙１１６の開閉を可能にする表側薄肉ヒンジ部１２０及び裏表紙１１８の開閉を可能にする裏側薄肉ヒンジ部１２２は、断面略Ｖ字溝であり、表側薄肉ヒンジ部１２０と裏側薄肉ヒンジ部１２２とは、それぞれ平行である。表側薄肉ヒンジ部１２０は、背表紙１１４と表表紙１１６との境界に設けられており、裏側薄肉ヒンジ部１２２は背表紙１１４と裏表紙１１８との境界に設けられている。
【００２９】
この綴じ具９０１０の綴環９０１２、９０１４は，Ｄ字型であり、綴じ具の長さ（Ｄ）と綴じ具の幅（Ｅ）とを有する。
この綴じ具９０１０の綴環は、第１の綴環９０１２と第２の綴環９０１４とからなるが、第１の綴環９０１２の半割杆９０１２ａと半割杆９０１２ｂ及び第２の綴環９０１４の半割杆９０１４ａと半割杆９０１４ｂとがそれぞれ線対称ではなく、その形状が異なる。
すなわち、第１の綴環９０１２の半割杆９０１２ａ及び第２の綴環９０１４の半割杆９０１４ａは、略コ字型であり、もう一方の（第１の綴環９０１２の）半割杆９０１２ｂ及び（第２の綴環９０１４の）半割杆９０１４ｂは半円弧状であり、背表紙１１４側に位置する。
綴環９０１２と綴環９０１４とは、綴じ具の長さ（Ｄ）方向において適宜な間隔をおいて分かれており、綴環９０１２及び綴環９０１４ののびる方向、すなわち長さ（Ｆ）方向を有する。綴環９０１２及び綴環９０１４の長さ（Ｆ）方向は、表紙１１２の幅（Ａ）方向すなわち表側薄肉ヒンジ部１２０及び裏側薄肉ヒンジ部１２２と直交し表紙１１２の内表面と直交する平面（仮想面）上においてのびる。
【００３０】
綴じ具９０１０は、裏側薄肉ヒンジ部１２２との間に少し距離をおいて、裏表紙１１８の内面に固定されており、綴環９０１２及び綴環９０１４の基部と頂部との間の長さ（すなわち綴環９０１２及び綴環９０１４の高さ（Ｇ））は、背表紙１１４の背幅と略同等もしくはわずかに長く形成されている。綴環９０１２及び綴環９０１４の基部と頂部との間の長さ（すなわち綴環９０１２及び綴環９０１４の高さ（Ｇ））が、背表紙１１４の背幅（Ｃ）より長いときは、表表紙１１６の接し合う部分に貫通孔からなる綴じ具嵌挿孔１１６ａが穿設される。
【００３１】
このファイル１１０は、綴じ具９０１０を長さ方向に立てたとき、被綴じ物Ｓを垂れないようにするための垂れ防止手段１３０がファイルの表紙１１２の内側に進退自在に形成されている。
垂れ防止手段１３０は、ファイル表紙１１２の表表紙１１６を表側薄肉ヒンジ部１２０において折り曲げて閉じたときに、表表紙１１６と背表紙１１４とのなす角度が略１８０度から略９０度に縮まり、その折り曲げに対応してファイル表紙１１２の表側薄肉ヒンジ部１２０に沿って折れ曲がり、被綴じ物Ｓの綴じ代側端縁Ｓ１に向けて突き出るように、形成される。
【００３２】
垂れ防止手段１３０は、表紙１１２の内側に取り付けられた垂れ防止手段１３０を構成する立ち上がり部材により構成され、表表紙１１６、裏表紙１１８及び背表紙１１４のうち少なくとも二つの間に架け渡された立ち上がり部を有する。
一方の立ち上がり部が表表紙１１６、裏表紙１１８及び背表紙１１４のうち一つに連結され、他方の立ち上がり部が前記一方の立ち上がり部が連結されていない表表紙１１６、裏表紙１１８及び背表紙１１４のうち一つに連結されている。
【００３３】
垂れ防止手段１３０は、綴じ具９０１０を取り付けられた裏表紙１１８と背表紙１１４とに続く分離スリット１９０によって区画され、形成されている。分離スリット１９０は、綴じ具９０１０の下方であって、背表紙１１４の第１の綴環９０１２及び第２の綴環９０１４の中央近くから、背表紙１１４側にかけて、裏表紙１１８及び背表紙１１４に連続して表側薄肉ヒンジ部１２０に直交する上下一対の第１分離スリット１９０ａと第２分離スリット１９０ｂとによって構成され、背表紙１１４と裏表紙１１８との間に架け渡された立ち上がり部を形成している。
【００３４】
第１分離スリット１９０ａと第２分離スリット１９０ｂとによって囲まれた領域を立ち上がり部として、背表紙１１４と裏表紙１１８との内面より内側に向けて山形に立ち上がらせるために、中央において内方に向けて折れ曲がらせるための第１折れ曲がり部１４０と、第１分離スリット１９０ａの裏表紙１１８側の端部と第２分離スリット１９０ｂの裏表紙１１８側の端部とを結ぶ第３折れ曲がり部１４４と、第１分離スリット１９０ａの背表紙１１４側の端部と第２分離スリット１９０ｂの背表紙１１４とを結ぶ第２折れ曲がり部１４２とを形成されている。
第１折れ曲がり部１４０と第２折れ曲がり部１４２と第３折れ曲がり部１４４とは、平行に形成され、表紙１１２の内側からみて、第１折れ曲がり部１４０は内側に向けて山折りとなり、第２折れ曲がり部１４２と第３折れ曲がり部１４４とは谷折りとなる。
すなわち、前記一方の平面視方形状の立ち上がり部からなる保持部１３２と、平面視方形状の他方の立ち上がり部からなる支持部１３４との間に第１折れ曲がり部１４０が形成されている。
更に、支持部１３４は、第１折れ曲がり部１４０とは反対側端縁に表表紙１１６と連結し折曲自在とするために第２折れ曲がり部１４２を表側薄肉ヒンジ部１２０の近傍であって背表紙１１４に形成され、第２折れ曲がり部１４２は表側薄肉ヒンジ部１２０と平行に形成されている。
また、保持部１３２は、被綴じ物Ｓの綴じ代側端縁Ｓ１と接し被綴じ物Ｓを表紙１１２の外側に押圧するための面積を備え、綴じ具９０１０の長さ（Ｄ）方向にのびる長さと積層された被綴じ物Ｓの厚さに対応した綴じ具９０１０の高さ（Ｇ）方向にのびる長さを備える。そして、保持部１３２は、第１折れ曲がり部１４０とは反対側端縁に裏表紙１１８と連結し折り曲自在とするための第３折れ曲がり部１４４を形成され、第３折れ曲がり部１４４は表側薄肉ヒンジ部１２０及び裏側薄肉ヒンジ部１２２と平行に形成されている。
【００３５】
垂れ防止手段１３０は、ファイル表紙１１２を表側薄肉ヒンジ部１２０において折り曲げて閉じたときに、その折り曲げに対応してファイル表紙１１２の表側薄肉ヒンジ部１２０に沿って第１折れ曲がり部１４０において内側に向けて突き出る山折り状（表紙の外側からみて谷折り状）に折れ曲がり、且つ第２折れ曲がり部１４２及び第３折れ曲がり部１４４において外側に向けて凹む谷折り状（表紙の外側からみて山折り状）に折れ曲がり、被綴じ物Ｓの綴じ代側端縁Ｓ１に向けて突き出るように形成されている。
【００３６】
保持部１３２の幅（第１折れ曲がり部１４０と第３折れ曲がり部１４４との間の長さ）は、背表紙１１４の裏側薄肉ヒンジ部１２２と第２折れ曲がり部１４２の位置との幅と略同一であるために、表紙１１２を開いたときに、保持部１３２及び支持部１３４は、表紙１１２の内側面に近い位置まで接近する。
【００３７】
垂れ防止手段１３０は、表紙１１２の背表紙１１４と綴じ具９０１０との間に位置し、表表紙１１６を開いたときに表表紙１１６の内側に近いか略々同じ面に位置し、且つ表表紙１１６を閉じたときに一方の表表紙１１６が閉じられるに従って綴じ具９０１０に沿って他方の裏表紙１１８に向けて被綴じ物Ｓの綴じ代側端縁Ｓ１を押圧するように構成されている。
【００３８】
第１折れ曲がり部１４０と第２折れ曲がり部１４２と第３折れ曲がり部１４４と平行になるように、且つ表表紙１１６の表側薄肉ヒンジ部１２０及び裏表紙１１４の裏側薄肉ヒンジ部１２２と平行になるように、垂れ防止手段１３０は、第２折れ曲がり部１４２を介して表表紙１１６と接続され、第３折れ曲がり部１４４を介して背表紙１１４と接続されている。
而して、垂れ防止手段１３０の第１折れ曲がり部１４０と第２折れ曲がり部１４２と第３折れ曲がり部１４４とは、表側薄肉ヒンジ部１２０及び裏側薄肉ヒンジ部１２２と直交するとともに綴環９０１２と綴環９０１４とを結ぶ長さ（Ｄ）方向にのびる。
【００３９】
第３折れ曲がり部１４４は、第１の綴環９０１２の基部と第２の綴環の基部との中間、すなわち綴じ具９０１０に綴じられた被綴じ物Ｓの綴じ代側端縁Ｓ１の位置にほぼ近い位置に位置している。
したがって、垂れ防止手段１３０を立ち上げたときに、保持部１３２は、裏表紙１１８に対して略垂直に立ち上がり、被綴じ物Ｓの綴じ代側端縁Ｓ１に接近し綴じ代側端縁Ｓ１の列と対向して、被綴じ物Ｓを保持する。
第２折れ曲がり部１４２は、表表紙１１６を閉じるときに垂れ防止手段１３０を立ち上げ易くするために、裏側薄肉ヒンジ部１２２より離れた位置に位置している。この実施の形態においては、裏側薄肉ヒンジ部１２２を枢軸として閉じられる背表紙１１４及び表表紙１１６の動作に対応して、第１折れ曲がり部１４０を頂点として山型に折れ曲がり立ち上がり易くするために、垂れ防止手段１３０の第２折れ曲がり部１４２は、表側薄肉ヒンジ部１２０の近傍に位置している。
【００４０】
垂れ防止手段１３０は、ファイル表紙を閉じたときに、ファイル表紙１１２の表表紙１１６と背表紙１１４との角度が略１８０度から略９０度に縮まり、第２折れ曲がり部１４２と第３折れ曲がり部１４４との間隔も縮まることにより、保持部１３２は第２折れ曲がり部１４２を中心に回動し、支持部１３４は第３折れ曲がり部１４４を中心に回動して、保持部１３２が被綴じ物Ｓの綴じ代側端縁Ｓ１に向けて突き出て進み、その綴じ代側端縁Ｓ１を保持する。
【００４１】
背表紙１１４は、幅方向に向けて形成された切り込みによって区画された領域により構成された垂れ防止手段１３０が、ファイル表紙１１２を表側薄肉ヒンジ部１２０及び裏側薄肉ヒンジ部１２２において折り曲げて閉じたときに、背表紙１１４の内側に向けて凹むことにより形成された貫通孔により、指を掛ける指かけ孔１２８を形成される。
【００４２】
図１１は、本発明の一実施の形態である表紙構造を備えたファイルの斜視図解図である。図１２は、図１１図示ファイルの表紙を開いた状態の平面図解図であり、図１３（Ａ）は、図１１図示ファイルの表紙を開いた状態の断面図解図である。図１３（Ｂ）は、図１１図示ファイルの表紙を閉じた状態の断面図解図である。
【００４３】
この発明の実施の形態であるファイル２１０は、表紙２１２と、表紙２１２に固定された綴じ具９０１０とを含む。
【００４４】
表紙２１２は、背表紙２１４と、前記背表紙２１４の両端に開閉自在に延設された、表表紙２１６及び前記綴じ具９０１０の保持部材を固定する裏表紙２１８とを備え、図１１及び図１３（Ｂ）に示すように、表表紙２１６と裏表紙２１８が背表紙２１４に対して立設状態となり対向するように連設され、幅（Ａ）と高さ（Ｂ）と背幅（Ｃ）とを有する。
そして、表表紙２１６及び裏表紙２１８は、背表紙２１４寄りに高さ（Ｂ）方向にのびる開閉用の表側薄肉ヒンジ部２２０及び裏側薄肉ヒンジ部２２２が設けられ、表側薄肉ヒンジ部２２０と裏側薄肉ヒンジ部２２２とは、平行でその間において背幅（Ｃ）を構成する。
【００４５】
表表紙２１６の開閉を可能にする表側薄肉ヒンジ部２２０及び裏表紙２１８の開閉を可能にする裏側薄肉ヒンジ部２２２は、断面略Ｖ字溝であり、表側薄肉ヒンジ部２２０と裏側薄肉ヒンジ部２２２とは、それぞれ平行である。表側薄肉ヒンジ部２２０は、背表紙２１４と表表紙２１６との境界に設けられており、裏側薄肉ヒンジ部２２２は、背表紙２１４と裏表紙２１８との境界に設けられている。
【００４６】
この綴じ具９０１０の綴環９０１２、９０１４は，Ｄ字型であり、綴じ具の長さ（Ｄ）と綴じ具の幅（Ｅ）とを有する。
この綴じ具９０１０の綴環は、第１の綴環９０１２と第２の綴環９０１４とからなるが、第１の綴環９０１２の半割杆９０１２ａと半割杆９０１２ｂ及び第２の綴環９０１４の半割杆９０１４ａと半割杆９０１４ｂとがそれぞれ線対称ではなく、その形状が異なる。
すなわち、第１の綴環９０１２の半割杆９０１２ａ及び第２の綴環９０１４の半割杆９０１４ａは、略コ字型であり、もう一方の（第１の綴環９０１２の）半割杆９０１２ｂ及び（第２の綴環９０１４の）半割杆９０１４ｂは、半円弧状であり、背表紙２１４側に位置する。
綴環９０１２と綴環９０１４とは、綴じ具の長さ（Ｄ）方向において適宜な間隔をおいて分かれており、綴環９０１２及び綴環９０１４ののびる方向、すなわち長さ（Ｆ）方向を有する。綴環９０１２及び綴環９０１４の長さ（Ｆ）方向は、表紙２１２の幅（Ａ）方向すなわち表側薄肉ヒンジ部２２０及び裏側薄肉ヒンジ部２２２と直交し表紙２１２の内表面と直交する平面（仮想面）上においてのびる。
【００４７】
綴じ具９０１０は、裏側薄肉ヒンジ部２２２との間に少し距離をおいて、裏表紙２１８の内面に固定されており、綴環９０１２及び綴環９０１４の基部と頂部との間の長さ（すなわち綴環９０１２及び綴環９０１４の高さ）は、背表紙２１４の背幅と略同等もしくはわずかに長く形成されている。綴環９０１２及び綴環９０１４の基部と頂部との間の長さ（すなわち綴環９０１２及び綴環９０１４の高さ）が、背表紙２１４の背幅より長いときは、表表紙２１６の接し合う部分に貫通孔からなる綴じ具嵌挿孔２１６ａが穿設される。
【００４８】
このファイル２１０は、綴じ具９０１０を長さ方向に立てたとき、被綴じ物Ｓを垂れないようにするための垂れ防止手段２３０がファイルの表紙２１２の内側に進退自在に形成されている。
垂れ防止手段２３０は、ファイル表紙２１２の表表紙２１６を表側薄肉ヒンジ部２２０において折り曲げて閉じたときに、表表紙２１６と背表紙２１４とのなす角度が略１８０度から略９０度に縮まり、その折り曲げに対応してファイル表紙２１２の表側薄肉ヒンジ部２２０に沿って折れ曲がり、被綴じ物Ｓの綴じ代側端縁Ｓ１に向けて突き出るように、形成される。
【００４９】
垂れ防止手段２３０は、表紙２１２の内側に取り付けられた垂れ防止手段２３０を構成する立ち上がり部材により構成され、表表紙２１６、裏表紙２１８及び背表紙２１４のうち少なくとも二つの間に架け渡された立ち上がり部を有する。
一方の立ち上がり部が表表紙２１６、裏表紙２１８及び背表紙２１４のうち一つに連結され、他方の立ち上がり部が前記一方の立ち上がり部が連結されていない表表紙２１６、裏表紙２１８及び背表紙２１４のうち一つに連結されている。
【００５０】
垂れ防止手段２３０は、綴じ具９０１０を取り付けられた裏表紙２１８と背表紙２１４とに続く分離スリット２９０によって区画され、形成されている。分離スリット２９０は、綴じ具９０１０の下方であって、背表紙２１４の第１の綴環９０１２及び第２の綴環９０１４の中央近くから、背表紙２１４側にかけて、裏表紙２１８及び背表紙２１４に連続して表側薄肉ヒンジ部２２０に直交する上下一対の第１分離スリット２９０ａと第２分離スリット２９０ｂとによって構成され、背表紙２１４と裏表紙２１８との間に架け渡された立ち上がり部を形成している。
【００５１】
第１分離スリット２９０ａと第２分離スリット２９０ｂとによって囲まれた領域を立ち上がり部として、背表紙２１４と裏表紙２１８との内面より内側に向けて山形に立ち上がらせるために、中央において内方に向けて折れ曲がらせるための第１折れ曲がり部２４０と、第１分離スリット２９０ａの裏表紙２１８側の端部と第２分離スリット２９０ｂの裏表紙２１８側の端部とを結ぶ第３折れ曲がり部２４４と、第１分離スリット２９０ａの背表紙２１４側の端部と第２分離スリット２９０ｂの背表紙２１４とを結ぶ第２折れ曲がり部２４２とを形成されている。
第１折れ曲がり部２４０と第２折れ曲がり部２４２と第３折れ曲がり部２４４とは、平行に形成され、表紙２１２の内側からみて、第１折れ曲がり部２４０は内側に向けて山折りとなり、第２折れ曲がり部２４２と第３折れ曲がり部２４４とは谷折りとなる。
すなわち、前記一方の平面視方形状の立ち上がり部からなる保持部２３２と、平面視方形状の他方の立ち上がり部からなる支持部２３４との間に第１折れ曲がり部２４０が形成されている。
更に、支持部２３４は、第１折れ曲がり部２４０とは反対側端縁に背表紙２１４と連結し折曲自在とするために第２折れ曲がり部２４２を表側薄肉ヒンジ部２２０の近傍で裏表紙２１８側に離れた位置に形成され、第２折れ曲がり部２４２は表側薄肉ヒンジ部２２０と平行に形成されている。
また、保持部２３２は、被綴じ物Ｓの綴じ代側端縁Ｓ１と接し被綴じ物Ｓを表紙２１２の外側に押圧するための面積を備え、綴じ具９０１０の長さ（Ｄ）方向にのびる長さと積層された被綴じ物Ｓの厚さに対応した綴じ具９０１０の高さ（Ｇ）方向にのびる長さを備える。そして、保持部２３２は、第１折れ曲がり部２４０とは反対側端縁に裏表紙２１８の連結し折り曲自在とするための第３折れ曲がり部２４４を形成され、第３折れ曲がり部２４４は表側薄肉ヒンジ部２２０及び裏側薄肉ヒンジ部２２２と平行に形成されている。
【００５２】
保持部２３２は、表表紙２１６側の端縁に、第１折れ曲がり部２４０より表表紙２１６側に向けて突き出る保持突片２３６が突設されており、表紙２１２を閉じたときに、表表紙２１６側にある被綴じ物Ｓの綴じ代側端縁Ｓ１を係止することができるように形成されている。
この実施の形態においては、第１折れ曲がり部２４０から保持部２３２にのびるＵ字状のスリット２３６Ａによって、保持部２３２から分離され、第１折れ曲がり部２４０において保持部２３２と支持部２３４とを折り曲げたときに、保持突片２３６は、保持部２３２より平板状に延長するように構成されている。
【００５３】
保持突片２３６は、図１３（Ｂ）において示すように、表表紙２１６の内側面に近傍に達する長さでもよいが、図１４及び１５において示すように、表表紙２１６に保持突片２３６を貫挿する穴２１６ｂを穿設して、穴２１６ｂに嵌挿させて表表紙２１６の内部に至る長さでもよい。
【００５４】
垂れ防止手段２３０は、ファイル表紙２１２を表側薄肉ヒンジ部２２０において折り曲げて閉じたときに、その折り曲げに対応してファイル表紙２１２の表側薄肉ヒンジ部２２０に沿って第１折れ曲がり部２４０において内側に向けて突き出る山折り状（表紙の外側からみて谷折り状）に折れ曲がり、且つ第２折れ曲がり部２４２及び第３折れ曲がり部２４４において外側に向けて凹む谷折り状（表紙の外側からみて山折り状）に折れ曲がり、被綴じ物Ｓの綴じ代側端縁Ｓ１に向けて突き出るように形成されている。
【００５５】
垂れ防止手段２３０は、表紙２１２の背表紙２１４と綴じ具９０１０との間に位置し、表表紙２１６を開いたときに表表紙２１６の内側に近いか略々同じ面に位置し、且つ表表紙２１６を閉じたときに一方の表表紙２１６が閉じられるに従って綴じ具９０１０に沿って他方の裏表紙２１８に向けて被綴じ物Ｓの綴じ代側端縁Ｓ１を押圧するように構成されている。
【００５６】
第１折れ曲がり部２４０と第２折れ曲がり部２４２と第３折れ曲がり部２４４と平行になるように、且つ表表紙２１６の表側薄肉ヒンジ部２２０及び裏表紙２１４の裏側薄肉ヒンジ部２２２と平行になるように、垂れ防止手段２３０は、第２折れ曲がり部２４２を介して表表紙２１６と接続され、第３折れ曲がり部２４４を介して背表紙２１４と接続されている。
而して、垂れ防止手段２３０の第１折れ曲がり部２４０と第２折れ曲がり部２４２と第３折れ曲がり部２４４とは、表側薄肉ヒンジ部２２０及び裏側薄肉ヒンジ部２２２と直交するとともに綴環９０１２と綴環９０１４とを結ぶ長さ（Ｄ）方向にのびる。
【００５７】
第３折れ曲がり部２４４は、第１の綴環９０１２の基部と第２の綴環の基部との中間、すなわち綴じ具９０１０に綴じられた被綴じ物Ｓの綴じ代側端縁Ｓ１の位置にほぼ近い位置に位置している。
したがって、垂れ防止手段２３０を立ち上げたときに、保持部２３２は、裏表紙２１８に対して略垂直に立ち上がり、被綴じ物Ｓの綴じ代側端縁Ｓ１に接近し綴じ代側端縁Ｓ１の列と対向して、被綴じ物Ｓを保持する。
第２折れ曲がり部２４２は、表表紙２１６を閉じるときに垂れ防止手段２３０を立ち上げ易くするために、裏側薄肉ヒンジ部２２２より離れた位置に位置している。この実施の形態においては、裏側薄肉ヒンジ部２２２を枢軸として閉じられる背表紙２１４及び表表紙２１６の動作に対応して、第１折れ曲がり部２４０を頂点として山型に折れ曲がり立ち上がり易くするために、垂れ防止手段２３０の第２折れ曲がり部２４２は、表側薄肉ヒンジ部２２０の近傍に位置している。
【００５８】
垂れ防止手段２３０は、ファイル表紙を閉じたときに、ファイル表紙２１２の表表紙２１６と背表紙２１４との角度が略１８０度から略９０度に縮まり、第２折れ曲がり部２４２と第３折れ曲がり部２４４との間隔も縮まることにより、保持部２３２は第２折れ曲がり部２４２を中心に回動し、支持部２３４は第３折れ曲がり部２４４を中心に回動して、保持部２３２が被綴じ物Ｓの綴じ代側端縁Ｓ１に向けて突き出て進み、その綴じ代側端縁Ｓ１を保持する。
【００５９】
背表紙２１４は、幅方向に向けて形成された切り込みによって区画された領域により構成された垂れ防止手段２３０が、ファイル表紙２１２を表側薄肉ヒンジ部２２０及び裏側薄肉ヒンジ部２２２において折り曲げて閉じたときに、背表紙２１４の内側に向けて凹むことにより形成された貫通孔により、指を掛ける指かけ孔２２８を形成される。
【００６０】
図１６は、本発明の一実施の形態である表紙構造を備えたファイルの斜視図解図である。図１７は、図１６図示ファイルの表紙を開いた状態の平面図解図であり、図１８は、図１６図示ファイルの表紙を開いた状態の断面図解図である。図１９は、図１６図示ファイルの表紙を閉じた状態の断面図解図である。
【００６１】
この発明の実施の形態であるファイル３１０は、表紙３１２と、表紙３１２に固定された綴じ具９０１０とを含む。
【００６２】
表紙３１２は、背表紙３１４と、前記背表紙３１４の両端に開閉自在に延設された、表表紙３１６及び前記綴じ具９０１０の保持部材を固定する裏表紙３１８とを備え、図１６及び図１８に示すように、表表紙３１６と裏表紙３１８が背表紙３１４に対して立設状態となり対向するように連設され、幅（Ａ）と高さ（Ｂ）と背幅（Ｃ）とを有する。
そして、表表紙３１６及び裏表紙３１８は、背表紙３１４寄りに高さ（Ｂ）方向にのびる開閉用の表側薄肉ヒンジ部３２０及び裏側薄肉ヒンジ部３２２が設けられ、表側薄肉ヒンジ部３２０と裏側薄肉ヒンジ部３２２とは、平行でその間において背幅（Ｃ）を構成する。
【００６３】
表表紙３１６の開閉を可能にする表側薄肉ヒンジ部３２０及び裏表紙３１８の開閉を可能にする裏側薄肉ヒンジ部３２２は、断面略Ｖ字溝であり、表側薄肉ヒンジ部３２０と裏側薄肉ヒンジ部３２２とは、それぞれ平行である。表側薄肉ヒンジ部３２０は、背表紙３１４と表表紙３１６との境界に設けられており、裏側薄肉ヒンジ部３２２は、背表紙３１４と裏表紙３１８との境界に設けられている。
【００６４】
この綴じ具９０１０の綴環９０１２、９０１４は，Ｄ字型であり、綴じ具の長さ（Ｄ）と綴じ具の幅（Ｅ）とを有する。
この綴じ具９０１０の綴環は、第１の綴環９０１２と第２の綴環９０１４とからなるが、第１の綴環９０１２の半割杆９０１２ａと半割杆９０１２ｂ及び第２の綴環９０１４の半割杆９０１４ａと半割杆９０１４ｂとがそれぞれ線対称ではなく、その形状が異なる。
すなわち、第１の綴環９０１２の半割杆９０１２ａ及び第２の綴環９０１４の半割杆９０１４ａは、略コ字型であり、もう一方の（第１の綴環９０１２の）半割杆９０１２ｂ及び（第２の綴環９０１４の）半割杆９０１４ｂは、半円弧状であり、背表紙３１４側に位置する。
綴環９０１２と綴環９０１４とは、綴じ具の長さ（Ｄ）方向において適宜な間隔をおいて分かれており、綴環９０１２及び綴環９０１４ののびる方向、すなわち長さ（Ｆ）方向を有する。綴環９０１２及び綴環９０１４の長さ（Ｆ）方向は、表紙３１２の幅（Ａ）方向すなわち表側薄肉ヒンジ部３２０及び裏側薄肉ヒンジ部３２２と直交し表紙３１２の内表面と直交する平面（仮想面）上においてのびる。
【００６５】
綴じ具９０１０は、裏側薄肉ヒンジ部３２２との間に少し距離をおいて、裏表紙３１８の内面に固定されており、綴環９０１２及び綴環９０１４の基部と頂部との間の長さ（すなわち綴環９０１２及び綴環９０１４の高さ（Ｇ））は、背表紙３１４の背幅と略同等もしくはわずかに長く形成されている。綴環９０１２及び綴環９０１４の基部と頂部との間の長さ（すなわち綴環９０１２及び綴環９０１４の高さ（Ｇ））が、背表紙３１４の背幅（Ｃ）より長いときは、表表紙３１６の接し合う部分に貫通孔からなる綴じ具嵌挿孔３１６ａが穿設される。
【００６６】
このファイル３１０は、綴じ具９０１０を長さ方向に立てたとき、被綴じ物Ｓを垂れないようにするための垂れ防止手段３３０がファイルの表紙３１２の内側に進退自在に形成されている。
垂れ防止手段３３０は、ファイル表紙３１２の表表紙３１６を表側薄肉ヒンジ部３２０において折り曲げて閉じたときに、表表紙３１６と背表紙３１４とのなす角度が略１８０度から略９０度に縮まり、その折り曲げに対応してファイル表紙３１２の表側薄肉ヒンジ部３２０に沿って折れ曲がり、被綴じ物Ｓの綴じ代側端縁Ｓ１に向けて突き出るように、形成される。
【００６７】
垂れ防止手段３３０は、表紙３１２の内側に取り付けられた垂れ防止手段３３０を構成する立ち上がり部材により構成され、表表紙３１６、裏表紙３１８及び背表紙３１４のうち少なくとも二つの間に架け渡された立ち上がり部を有する。
一方の立ち上がり部が表表紙３１６、裏表紙３１８及び背表紙３１４のうち一つに連結され、他方の立ち上がり部が前記一方の立ち上がり部が連結されていない表表紙３１６、裏表紙３１８及び背表紙３１４のうち一つに連結されている。
【００６８】
垂れ防止手段３３０は、上端縁と下端縁とを有し、上端縁と下端縁とを平行に形成した方形状である。
【００６９】
垂れ防止手段３３０は、背表紙３１４と裏表紙３１８との内面より内側に向けて山形に立ち上がらせるために、中央において内方に向けて折れ曲がらせるための第１折れ曲がり部３４０と、表側薄肉ヒンジ部３２０に沿って上端縁及び下端縁と直交して形成された第２折れ曲がり部３４２と、第１の綴環９０１２及び第２の綴環９０１４の環の中央の下部において垂れ防止手段３３０の上端縁及び下端縁と直交して形成された第３折れ曲がり部３４４とを形成されている。
第１折れ曲がり部３４０と第２折れ曲がり部３４２と第３折れ曲がり部３４４とは、平行に形成され、表紙３１２の内側からみて、第１折れ曲がり部３４０は内側に向けて山折りとなり、第２折れ曲がり部３４２と第３折れ曲がり部３４４とは谷折りとなる。
すなわち、前記一方の平面視方形状の立ち上がり部からなる保持部３３２と、平面視方形状の他方の立ち上がり部からなる支持部３３４との間に第１折れ曲がり部３４０が形成されている。
更に、支持部３３４は、第１折れ曲がり部３４０とは反対側端縁に表表紙３１６との連結のための第１連結部３５０を有し、第１連結部３５０の近傍に折曲自在とするために第２折れ曲がり部３４２を形成されている。第２折れ曲がり部３４２は、表側薄肉ヒンジ部３２０に連続して形成されている。
また、保持部３３２は、被綴じ物Ｓの綴じ代側端縁Ｓ１と接し被綴じ物Ｓを表紙３１２の外側に押圧するための面積を備え、綴じ具９０１０の長さ（Ｄ）方向にのびる長さと積層された被綴じ物Ｓの厚さに対応した綴じ具９０１０の高さ（Ｇ）方向にのびる長さを備える。そして、保持部３３２は、第１折れ曲がり部３４０とは反対側端縁に裏表紙３１８との連結のための第２連結部３５２を有し、第２連結部３５２の近傍に折曲自在とするための第３折れ曲がり部３４４を形成されている。
【００７０】
第１折れ曲がり部３４０と第２折れ曲がり部３４２と第３折れ曲がり部３４４と平行になるように、且つ表表紙３１６の表側薄肉ヒンジ部３２０及び裏表紙３１４の裏側薄肉ヒンジ部３２２と平行になるように、表表紙３１６と第１連結部３５０とが接続され、裏表紙３１８と第２連結部３５２とが接続されている。
而して、垂れ防止手段３３０の第１折れ曲がり部３４０と第２折れ曲がり部３４２と第３折れ曲がり部３４４とは、表側薄肉ヒンジ部３２０及び裏側薄肉ヒンジ部３２２と直交するとともに綴環９０１２と綴環９０１４とを結ぶ長さ（Ｄ）方向にのびる。
【００７１】
垂れ防止手段３３０は、ファイル表紙３１２を表側薄肉ヒンジ部３２０において折り曲げて閉じたときに、その折り曲げに対応してファイル表紙３１２の表側薄肉ヒンジ部３２０に沿って第１折れ曲がり部３４０において内側に向けて突き出る山折り状（表紙の外側からみて谷折り状）に折れ曲がり、且つ第２折れ曲がり部３４２及び第３折れ曲がり部３４４において外側に向けて凹む谷折り状（表紙の外側からみて山折り状）に折れ曲がり、被綴じ物Ｓの綴じ代側端縁Ｓ１に向けて突き出るように形成されている。
【００７２】
保持部３３２の幅（第１折れ曲がり部３４０と第３折れ曲がり部３４４との間の長さ）は、背表紙３１４の裏側薄肉ヒンジ部３２２と第２折れ曲がり部３４２の位置との幅と略同一であるために、表紙３１２を開いたときに、保持部３３２及び支持部３３４は、表紙３１２の内側面に近い位置まで接近する。
【００７３】
垂れ防止手段３３０は、表紙３１２の背表紙３１４と綴じ具９０１０との間に位置し、表表紙３１６を開いたときに表表紙３１６の内側に近いか略々同じ面に位置し、且つ表表紙３１６を閉じたときに一方の表表紙３１６が閉じられるに従って綴じ具９０１０に沿って他方の裏表紙３１８に向けて被綴じ物Ｓの綴じ代側端縁Ｓ１を押圧するように構成されている。
【００７４】
第３折れ曲がり部３４４は、第１の綴環９０１２の基部と第２の綴環の基部との中間、すなわち綴じ具９０１０に綴じられた被綴じ物Ｓの綴じ代側端縁Ｓ１の位置にほぼ近い位置に位置している。
したがって、垂れ防止手段３３０を立ち上げたときに、保持部３３２は、裏表紙３１８に対して略垂直に立ち上がり、被綴じ物Ｓの綴じ代側端縁Ｓ１に接近し綴じ代側端縁Ｓ１の列と対向して、被綴じ物Ｓを保持する。
第２折れ曲がり部３４２は、表表紙３１６を閉じるときに垂れ防止手段３３０を立ち上げ易くするために、裏側薄肉ヒンジ部３２２より離れた位置に位置している。この実施の形態においては、裏側薄肉ヒンジ部３２２を枢軸として閉じられる背表紙３１４及び表表紙３１６の動作に対応して、第１折れ曲がり部３４０を頂点として山型に折れ曲がり立ち上がり易くするために、垂れ防止手段３３０の第２折れ曲がり部３４２は、表側薄肉ヒンジ部３２０の近傍に位置している。
【００７５】
垂れ防止手段３３０は、ファイル表紙を閉じたときに、ファイル表紙３１２の表表紙３１６と背表紙３１４との角度が略１８０度から略９０度に縮まり、第２折れ曲がり部３４２と第３折れ曲がり部３４４との間隔も縮まることにより、保持部３３２は第２折れ曲がり部３４２を中心に回動し、支持部３３４は第３折れ曲がり部３４４を中心に回動して、保持部３３２が被綴じ物Ｓの綴じ代側端縁Ｓ１に向けて突き出て進み、その綴じ代側端縁Ｓ１を保持する。
【００７６】
図２１は、本発明の一実施の形態である表紙構造を備えたファイルの斜視図解図である。図２２は、図２１図示ファイルの表紙を開いた状態の平面図解図であり、図２３は、図２１図示ファイルの表紙を開いた状態の断面図解図である。図２４は、図２１図示ファイルの表紙を閉じた状態の断面図解図である。
【００７７】
この発明の実施の形態であるファイル４１０は、表紙４１２と、表紙４１２に固定された綴じ具９０１０とを含む。
【００７８】
表紙４１２は、背表紙４１４と、前記背表紙４１４の両端に開閉自在に延設された、表表紙４１６及び前記綴じ具９０１０の保持部材を固定する裏表紙４１８とを備え、図２１及び１９に示すように、表表紙４１６と裏表紙４１８が背表紙４１４に対して立設状態となり対向するように連設され、幅（Ａ）と高さ（Ｂ）と背幅（Ｃ）とを有する。
そして、表表紙４１６及び裏表紙４１８は、背表紙４１４寄りに高さ（Ｂ）方向にのびる開閉用の表側薄肉ヒンジ部４２０及び裏側薄肉ヒンジ部４２２が設けられ、表側薄肉ヒンジ部４２０と裏側薄肉ヒンジ部４２２とは、平行でその間において背幅（Ｃ）を構成する。
【００７９】
表表紙４１６の開閉を可能にする表側薄肉ヒンジ部４２０及び裏表紙４１８の開閉を可能にする裏側薄肉ヒンジ部４２２は、断面略Ｖ字溝であり、表側薄肉ヒンジ部４２０と裏側薄肉ヒンジ部４２２とは、それぞれ平行である。表側薄肉ヒンジ部４２０は、背表紙４１４と表表紙４１６との境界に設けられており、裏側薄肉ヒンジ部４２２は、背表紙４１４と裏表紙４１８との境界に設けられている。
【００８０】
この綴じ具９０１０の綴環９０１２、９０１４は，Ｄ字型であり、綴じ具の長さ（Ｄ）と綴じ具の幅（Ｅ）とを有する。
この綴じ具９０１０の綴環は、第１の綴環９０１２と第２の綴環９０１４とからなるが、第１の綴環９０１２の半割杆９０１２ａと半割杆９０１２ｂ及び第２の綴環９０１４の半割杆９０１４ａと半割杆９０１４ｂとがそれぞれ線対称ではなく、その形状が異なる。
すなわち、第１の綴環９０１２の半割杆９０１２ａ及び第２の綴環９０１４の半割杆９０１４ａは、略コ字型であり、もう一方の（第１の綴環９０１２の）半割杆９０１２ｂ及び（第２の綴環９０１４の）半割杆９０１４ｂは、半円弧状であり、背表紙４１４側に位置する。
綴環９０１２と綴環９０１４とは、綴じ具の長さ（Ｄ）方向において適宜な間隔をおいて分かれており、綴環９０１２及び綴環９０１４ののびる方向、すなわち長さ（Ｆ）方向を有する。綴環９０１２及び綴環９０１４の長さ（Ｆ）方向は、表紙４１２の幅（Ａ）方向すなわち表側薄肉ヒンジ部４２０及び裏側薄肉ヒンジ部４２２と直交し表紙４１２の内表面と直交する平面（仮想面）上においてのびる。
【００８１】
綴じ具９０１０は、裏側薄肉ヒンジ部４２２との間に少し距離をおいて、裏表紙４１８の内面に固定されており、綴環９０１２及び綴環９０１４の基部と頂部との間の長さ（すなわち綴環９０１２及び綴環９０１４の高さ（Ｇ））は、背表紙４１４の背幅と略同等もしくはわずかに長く形成されている。綴環９０１２及び綴環９０１４の基部と頂部との間の長さ（すなわち綴環９０１２及び綴環９０１４の高さ（Ｇ））が、背表紙４１４の背幅（Ｃ）より長いときは、表表紙４１６の接し合う部分に貫通孔からなる綴じ具嵌挿孔４１６ａが穿設される。
【００８２】
このファイル４１０は、綴じ具９０１０を長さ方向に立てたとき、被綴じ物Ｓを垂れないようにするための垂れ防止手段４３０がファイルの表紙４１２の内側に進退自在に形成されている。
垂れ防止手段４３０は、ファイル表紙４１２の表表紙４１６を表側薄肉ヒンジ部４２０において折り曲げて閉じたときに、表表紙４１６と背表紙４１４とのなす角度が略１８０度から略９０度に縮まり、その折り曲げに対応してファイル表紙４１２の表側薄肉ヒンジ部４２０に沿って折れ曲がり、被綴じ物Ｓの綴じ代側端縁Ｓ１に向けて突き出るように、形成される。
【００８３】
垂れ防止手段４３０は、表紙４１２の内側に取り付けられた垂れ防止手段４３０を構成する立ち上がり部材により構成され、表表紙４１６、裏表紙４１８及び背表紙４１４のうち少なくとも二つの間に架け渡された立ち上がり部を有する。
一方の立ち上がり部が表表紙４１６、裏表紙４１８及び背表紙４１４のうち一つに連結され、他方の立ち上がり部が前記一方の立ち上がり部が連結されていない表表紙４１６、裏表紙４１８及び背表紙４１４のうち一つに連結されている。
【００８４】
垂れ防止手段４３０は、上端縁と下端縁とを有し、上端縁と下端縁とを平行に形成した方形状である。
【００８５】
垂れ防止手段４３０は、背表紙４１４と裏表紙４１８との内面より内側に向けて山形に立ち上がらせるために、中央において内方に向けて折れ曲がらせるための第１折れ曲がり部４４０と、表側薄肉ヒンジ部４２０に沿って上端縁及び下端縁と直交して形成された第２折れ曲がり部４４２と、第１の綴環９０１２及び第２の綴環９０１４の環の中央の下部において垂れ防止手段４３０の上端縁及び下端縁と直交して形成された第３折れ曲がり部４４４とを形成されている。
第１折れ曲がり部４４０と第２折れ曲がり部４４２と第３折れ曲がり部４４４とは、平行に形成され、表紙４１２の内側からみて、第１折れ曲がり部４４０は内側に向けて山折りとなり、第２折れ曲がり部４４２と第３折れ曲がり部４４４とは谷折りとなる。
すなわち、前記一方の平面視方形状の立ち上がり部からなる保持部４３２と、平面視方形状の他方の立ち上がり部からなる支持部４３４との間に第１折れ曲がり部４４０が形成されている。
更に、支持部４３４は、第１折れ曲がり部４４０とは反対側端縁に表表紙４１６との連結のための第１連結部４５０を有し、第１連結部４５０の近傍に折曲自在とするために第２折れ曲がり部４４２を形成されている。第２折れ曲がり部４４２は、表側薄肉ヒンジ部４２０の近傍であって背表紙４１４に形成されている。
また、保持部４３２は、被綴じ物Ｓの綴じ代側端縁Ｓ１と接し被綴じ物Ｓを表紙４１２の外側に押圧するための面積を備え、綴じ具９０１０の長さ（Ｄ）方向にのびる長さと積層された被綴じ物Ｓの厚さに対応した綴じ具９０１０の高さ（Ｇ）方向にのびる長さを備える。そして、保持部４３２は、第１折れ曲がり部４４０とは反対側端縁に裏表紙４１８との連結のための第２連結部４５２を有し、第２連結部４５２の近傍に折曲自在とするための第３折れ曲がり部４４４を形成されている。
【００８６】
第１折れ曲がり部４４０と第２折れ曲がり部４４２と第３折れ曲がり部４４４と第４折れ曲がり部４５４と平行になるように、且つ表表紙４１６の表側薄肉ヒンジ部４２０及び裏表紙４１４の裏側薄肉ヒンジ部４２２と平行になるように、表表紙４１６と第１連結部４５０とが接続され、裏表紙４１８と第２連結部４５２とが接続されている。
而して、垂れ防止手段４３０の第１折れ曲がり部４４０と第２折れ曲がり部４４２と第３折れ曲がり部４４４と第４折れ曲がり部４５４とは、表側薄肉ヒンジ部４２０及び裏側薄肉ヒンジ部４２２と直交するとともに綴環９０１２と綴環９０１４とを結ぶ長さ（Ｄ）方向にのびる。
【００８７】
垂れ防止手段４３０は、ファイル表紙４１２を表側薄肉ヒンジ部４２０において折り曲げて閉じたときに、その折り曲げに対応してファイル表紙４１２の表側薄肉ヒンジ部４２０に沿って第１折れ曲がり部４４０において内側に向けて突き出る山折り状（表紙の外側からみて谷折り状）に折れ曲がり、且つ第２折れ曲がり部４４２及び第３折れ曲がり部４４４において外側に向けて凹む谷折り状（表紙の外側からみて山折り状）に折れ曲がり、被綴じ物Ｓの綴じ代側端縁Ｓ１に向けて突き出るように形成されている。
【００８８】
保持部４３２の幅（第１折れ曲がり部４４０と第３折れ曲がり部４４４との間の長さ）は、背表紙４１４の裏側薄肉ヒンジ部４２２と第２折れ曲がり部４４２の位置との幅と略同一であるために、表紙４１２を開いたときに、保持部４３２及び支持部４３４は、表紙１２の内側面に近い位置まで接近する。
【００８９】
垂れ防止手段４３０は、表紙４１２の背表紙４１４と綴じ具９０１０との間に位置し、表表紙４１６を開いたときに表表紙４１６の内側に近いか略々同じ面に位置し、且つ表表紙４１６を閉じたときに一方の表表紙４１６が閉じられるに従って綴じ具９０１０に沿って他方の裏表紙４１８に向けて被綴じ物Ｓの綴じ代側端縁Ｓ１を押圧するように構成されている。
【００９０】
第３折れ曲がり部４４４は、第１の綴環９０１２の基部と第２の綴環の基部との中間、すなわち綴じ具９０１０に綴じられた被綴じ物Ｓの綴じ代側端縁Ｓ１の位置にほぼ近い位置に位置している。
したがって、垂れ防止手段４３０を立ち上げたときに、保持部４３２は、裏表紙４１８に対して略垂直に立ち上がり、被綴じ物Ｓの綴じ代側端縁Ｓ１に接近し綴じ代側端縁Ｓ１の列と対向して、被綴じ物Ｓを保持する。
第２折れ曲がり部４４２は、表表紙４１６を閉じるときに垂れ防止手段４３０を立ち上げ易くするために、裏側薄肉ヒンジ部４２２より離れた位置に位置している。この実施の形態においては、裏側薄肉ヒンジ部４２２を枢軸として閉じられる背表紙４１４及び表表紙４１６の動作に対応して、第１折れ曲がり部４４０を頂点として山型に折れ曲がり立ち上がり易くするために、垂れ防止手段４３０の第２折れ曲がり部４４２は、表側薄肉ヒンジ部４２０の近傍に位置している。
【００９１】
垂れ防止手段４３０は、ファイル表紙を閉じたときに、ファイル表紙４１２の表表紙４１６と背表紙４１４との角度が略１８０度から略９０度に縮まり、第２折れ曲がり部４４２と第３折れ曲がり部４４４との間隔も縮まることにより、保持部４３２は第２折れ曲がり部４４２を中心に回動し、支持部４３４は第３折れ曲がり部４４４を中心に回動して、保持部４３２が被綴じ物Ｓの綴じ代側端縁Ｓ１に向けて突き出て進み、その綴じ代側端縁Ｓ１を保持する。
【００９２】
図２６は、本発明の一実施の形態である表紙構造を備えたファイルの斜視図解図である。図２７は、図２６図示ファイルの表紙を開いた状態の平面図解図であり、図２８は、図２６図示ファイルの表紙を開いた状態の断面図解図である。図２９は、図２６図示ファイルの表紙を閉じた状態の断面図解図である。
【００９３】
この発明の実施の形態であるファイル５１０は、表紙５１２と、表紙５１２に固定された綴じ具９０１０とを含む。
【００９４】
表紙５１２は、背表紙５１４と、前記背表紙５１４の両端に開閉自在に延設された、表表紙５１６及び前記綴じ具９０１０の保持部材を固定する裏表紙５１８とを備え、図２６１及び図２４に示すように、表表紙５１６と裏表紙５１８が背表紙５１４に対して立設状態となり対向するように連設され、幅（Ａ）と高さ（Ｂ）と背幅（Ｃ）とを有する。
そして、表表紙５１６及び裏表紙５１８は、背表紙５１４寄りに高さ（Ｂ）方向にのびる開閉用の表側薄肉ヒンジ部５２０及び裏側薄肉ヒンジ部５２２が設けられ、表側薄肉ヒンジ部５２０と裏側薄肉ヒンジ部５２２とは、平行でその間において背幅（Ｃ）を構成する。
【００９５】
表表紙５１６の開閉を可能にする表側薄肉ヒンジ部５２０及び裏表紙５１８の開閉を可能にする裏側薄肉ヒンジ部５２２は、断面略Ｖ字溝であり、表側薄肉ヒンジ部５２０と裏側薄肉ヒンジ部５２２とは、それぞれ平行である。表側薄肉ヒンジ部５２０は、背表紙５１４と表表紙５１６との境界に設けられており、裏側薄肉ヒンジ部５２２は、背表紙５１４と裏表紙５１８との境界に設けられている。
【００９６】
この綴じ具９０１０の綴環９０１２、９０１４は，Ｄ字型であり、綴じ具の長さ（Ｄ）と綴じ具の幅（Ｅ）とを有する。
この綴じ具９０１０の綴環は、第１の綴環９０１２と第２の綴環９０１４とからなるが、第１の綴環９０１２の半割杆９０１２ａと半割杆９０１２ｂ及び第２の綴環９０１４の半割杆９０１４ａと半割杆９０１４ｂとがそれぞれ線対称ではなく、その形状が異なる。
すなわち、第１の綴環９０１２の半割杆９０１２ａ及び第２の綴環９０１４の半割杆９０１４ａは、略コ字型であり、もう一方の（第１の綴環９０１２の）半割杆９０１２ｂ及び（第２の綴環９０１４の）半割杆９０１４ｂは、半円弧状であり、背表紙５１４側に位置する。
綴環９０１２と綴環９０１４とは、綴じ具の長さ（Ｄ）方向において適宜な間隔をおいて分かれており、綴環９０１２及び綴環９０１４ののびる方向、すなわち長さ（Ｆ）方向を有する。綴環９０１２及び綴環９０１４の長さ（Ｆ）方向は、表紙５１２の幅（Ａ）方向すなわち表側薄肉ヒンジ部５２０及び裏側薄肉ヒンジ部５２２と直交し表紙５１２の内表面と直交する平面（仮想面）上においてのびる。
【００９７】
綴じ具９０１０は、裏側薄肉ヒンジ部５２２との間に少し距離をおいて、裏表紙５１８の内面に固定されており、綴環９０１２及び綴環９０１４の基部と頂部との間の長さ（すなわち綴環９０１２及び綴環９０１４の高さ（Ｇ））は、背表紙５１４の背幅と略同等もしくはわずかに長く形成されている。綴環９０１２及び綴環９０１４の基部と頂部との間の長さ（すなわち綴環９０１２及び綴環９０１４の高さ（Ｇ））が、背表紙５１４の背幅（Ｃ）より長いときは、表表紙５１６の接し合う部分に貫通孔からなる綴じ具嵌挿孔５１６ａが穿設される。
【００９８】
このファイル５１０は、綴じ具９０１０を長さ方向に立てたとき、被綴じ物Ｓを垂れないようにするための垂れ防止手段５３０がファイルの表紙５１２の内側に進退自在に形成されている。
垂れ防止手段５３０は、ファイル表紙５１２の表表紙５１６を表側薄肉ヒンジ部５２０において折り曲げて閉じたときに、表表紙５１６と背表紙５１４とのなす角度が略１８０度から略９０度に縮まり、その折り曲げに対応してファイル表紙５１２の表側薄肉ヒンジ部５２０に沿って折れ曲がり、被綴じ物Ｓの綴じ代側端縁Ｓ１に向けて突き出るように、形成される。
【００９９】
垂れ防止手段５３０は、表紙５１２の内側に取り付けられた垂れ防止手段５３０を構成する立ち上がり部材により構成され、表表紙５１６、裏表紙５１８及び背表紙５１４のうち少なくとも二つの間に架け渡された立ち上がり部を有する。
一方の立ち上がり部が表表紙５１６、裏表紙５１８及び背表紙５１４のうち一つに連結され、他方の立ち上がり部が前記一方の立ち上がり部が連結されていない表表紙５１６、裏表紙５１８及び背表紙５１４のうち一つに連結されている。
【０１００】
垂れ防止手段５３０は、上端縁と下端縁とを有し、上端縁と下端縁とを平行に形成した方形状である。
【０１０１】
垂れ防止手段５３０は、背表紙５１４と裏表紙５１８との内面より内側に向けて山形に立ち上がらせるために、中央において内方に向けて折れ曲がらせるための第１折れ曲がり部５４０と、表側薄肉ヒンジ部５２０に沿って上端縁及び下端縁と直交して形成された第２折れ曲がり部５４２と、第１の綴環９０１２及び第２の綴環９０１４の環の中央の下部において垂れ防止手段５３０の上端縁及び下端縁と直交して形成された第３折れ曲がり部５４４とを形成されている。
第１折れ曲がり部５４０と第２折れ曲がり部５４２と第３折れ曲がり部５４４とは、平行に形成され、表紙５１２の内側からみて、第１折れ曲がり部５４０は内側に向けて山折りとなり、第２折れ曲がり部５４２と第３折れ曲がり部５４４とは谷折りとなる。
すなわち、前記一方の平面視方形状の立ち上がり部からなる保持部５３２と、平面視方形状の他方の立ち上がり部からなる支持部５３４との間に第１折れ曲がり部５４０が形成されている。
更に、支持部５３４は、第１折れ曲がり部５４０とは反対側端縁に表表紙５１６との連結のための第１連結部５５０を有し、第１連結部５５０の近傍に折曲自在とするために第２折れ曲がり部５４２を形成されている。第２折れ曲がり部５４２は、表側薄肉ヒンジ部５２０の近傍で裏表紙５１８側に離れた位置に形成されている。
また、保持部５３２は、被綴じ物Ｓの綴じ代側端縁Ｓ１と接し被綴じ物Ｓを表紙５１２の外側に押圧するための面積を備え、綴じ具９０１０の長さ（Ｄ）方向にのびる長さと積層された被綴じ物Ｓの厚さに対応した綴じ具９０１０の高さ（Ｇ）方向にのびる長さを備える。そして、保持部５３２は、第１折れ曲がり部５４０とは反対側端縁に裏表紙５１８との連結のための第２連結部５５２を有し、第２連結部５５２の近傍に折曲自在とするための第３折れ曲がり部５４４を形成されている。
【０１０２】
第１折れ曲がり部５４０と第２折れ曲がり部５４２と第３折れ曲がり部５４４と平行になるように、且つ表表紙５１６の表側薄肉ヒンジ部５２０及び裏表紙５１４の裏側薄肉ヒンジ部５２２と平行になるように、表表紙５１６と第１連結部５５０とが接続され、裏表紙５１８と第２連結部５５２とが接続されている。
而して、垂れ防止手段５３０の第１折れ曲がり部５４０と第２折れ曲がり部５４２と第３折れ曲がり部５４４とは、表側薄肉ヒンジ部５２０及び裏側薄肉ヒンジ部５２２と直交するとともに綴環９０１２と綴環９０１４とを結ぶ長さ（Ｄ）方向にのびる。
【０１０３】
保持部５３２は、表表紙５１６側の端縁に、第１折れ曲がり部５４０より表表紙５１６側に向けて突き出る保持突片５３６が突設されており、表紙５１２を閉じたときに、表表紙５１６側にある被綴じ物Ｓの綴じ代側端縁Ｓ１を係止することができるように形成されている。
この実施の形態においては、第１折れ曲がり部５４０から保持部５３２にのびるＵ字状のスリット５３６Ａによって、保持部５３２から分離され、第１折れ曲がり部５４０において保持部５３２と支持部５３４とを折り曲げたときに、保持突片５３６は、保持部５３２より平板状に延長するように構成されている。
【０１０４】
保持突片５３６は、図２９において示すように、表表紙５１６の内側面に近傍に達する長さでもよいが、図３２及び３３において示すように、表表紙５１６に保持突片５３６を貫挿する穴５１６ｂを穿設して、穴５１６ｂに嵌挿させて表表紙５１６の内部に至る長さでもよい。
【０１０５】
垂れ防止手段５３０は、ファイル表紙５１２を表側薄肉ヒンジ部５２０において折り曲げて閉じたときに、その折り曲げに対応してファイル表紙５１２の表側薄肉ヒンジ部５２０に沿って第１折れ曲がり部５４０において内側に向けて突き出る山折り状（表紙の外側からみて谷折り状）に折れ曲がり、且つ第２折れ曲がり部５４２及び第３折れ曲がり部５４４において外側に向けて凹む谷折り状（表紙の外側からみて山折り状）に折れ曲がり、被綴じ物Ｓの綴じ代側端縁Ｓ１に向けて突き出るように形成されている。
【０１０６】
垂れ防止手段５３０は、表紙５１２の背表紙５１４と綴じ具９０１０との間に位置し、表表紙５１６を開いたときに表表紙５１６の内側に近いか略々同じ面に位置し、且つ表表紙５１６を閉じたときに一方の表表紙５１６が閉じられるに従って綴じ具９０１０に沿って他方の裏表紙５１８に向けて被綴じ物Ｓの綴じ代側端縁Ｓ１を押圧するように構成されている。
【０１０７】
第３折れ曲がり部５４４は、第１の綴環９０１２の基部と第２の綴環の基部との中間、すなわち綴じ具９０１０に綴じられた被綴じ物Ｓの綴じ代側端縁Ｓ１の位置にほぼ近い位置に位置している。
したがって、垂れ防止手段５３０を立ち上げたときに、保持部５３２は、裏表紙５１８に対して略垂直に立ち上がり、被綴じ物Ｓの綴じ代側端縁Ｓ１に接近し綴じ代側端縁Ｓ１の列と対向して、被綴じ物Ｓを保持する。
第２折れ曲がり部５４２は、表表紙５１６を閉じるときに垂れ防止手段５３０を立ち上げ易くするために、裏側薄肉ヒンジ部５２２より離れた位置に位置している。この実施の形態においては、裏側薄肉ヒンジ部５２２を枢軸として閉じられる背表紙５１４及び表表紙５１６の動作に対応して、第１折れ曲がり部５４０を頂点として山型に折れ曲がり立ち上がり易くするために、垂れ防止手段５３０の第２折れ曲がり部５４２は、表側薄肉ヒンジ部５２０の近傍に位置している。
【０１０８】
垂れ防止手段５３０は、ファイル表紙を閉じたときに、ファイル表紙５１２の表表紙５１６と背表紙５１４との角度が略１８０度から略９０度に縮まり、第２折れ曲がり部５４２と第３折れ曲がり部５４４との間隔も縮まることにより、保持部５３２は第２折れ曲がり部５４２を中心に回動し、支持部５３４は第３折れ曲がり部５４４を中心に回動して、保持部５３２が被綴じ物Ｓの綴じ代側端縁Ｓ１に向けて突き出て進み、その綴じ代側端縁Ｓ１を保持する。
【０１０９】
図３４は、本発明の一実施の形態である表紙構造を備えたファイルの斜視図解図である。図３５は、図３４図示ファイルの表紙を開いた状態の平面図解図であり、図３６及び図３７は、図３４図示ファイルの表紙を開いた状態の断面図解図である。図４０及び図４１は、図３４図示ファイルの表紙を閉じた状態の断面図解図である。
【０１１０】
この発明の実施の形態であるファイル６１０は、表紙６１２と、表紙６１２に固定された綴じ具９０１０とを含む。
【０１１１】
表紙６１２は、背表紙６１４と、前記背表紙６１４の両端に開閉自在に延設された、表表紙６１６及び前記綴じ具９０１０の保持部材を固定する裏表紙６１８とを備え、図４０及び４１に示すように、表表紙６１６と裏表紙６１８が背表紙６１４に対して立設状態となり対向するように連設され、幅（Ａ）と高さ（Ｂ）と背幅（Ｃ）とを有する。
そして、表表紙６１６及び裏表紙６１８は、背表紙６１４寄りに高さ（Ｂ）方向にのびる開閉用の表側薄肉ヒンジ部６２０及び裏側薄肉ヒンジ部６２２が設けられ、表側薄肉ヒンジ部６２０と裏側薄肉ヒンジ部６２２とは、平行でその間において背幅（Ｃ）を構成する。
【０１１２】
表表紙６１６の開閉を可能にする表側薄肉ヒンジ部６２０及び裏表紙６１８の開閉を可能にする裏側薄肉ヒンジ部６２２は、断面略Ｖ字溝であり、表側薄肉ヒンジ部６２０と裏側薄肉ヒンジ部６２２とは、それぞれ平行である。表側薄肉ヒンジ部６２０は、背表紙６１４と表表紙６１６との境界に設けられており、裏側薄肉ヒンジ部６２２は、背表紙６１４と裏表紙６１８との境界に設けられている。
【０１１３】
この綴じ具９０１０の綴環９０１２、９０１４は，Ｄ字型であり、綴じ具の長さ（Ｄ）と綴じ具の幅（Ｅ）とを有する。
この綴じ具９０１０の綴環は、第１の綴環９０１２と第２の綴環９０１４とからなるが、第１の綴環９０１２の半割杆９０１２ａと半割杆９０１２ｂ及び第２の綴環９０１４の半割杆９０１４ａと半割杆９０１４ｂとがそれぞれ線対称ではなく、その形状が異なる。
すなわち、第１の綴環９０１２の半割杆９０１２ａ及び第２の綴環９０１４の半割杆９０１４ａは、略コ字型であり、もう一方の（第１の綴環９０１２の）半割杆９０１２ｂ及び（第２の綴環９０１４の）半割杆９０１４ｂは、半円弧状であり、背表紙６１４側に位置する。
綴環９０１２と綴環９０１４とは、綴じ具の長さ（Ｄ）方向において適宜な間隔をおいて分かれており、綴環９０１２及び綴環９０１４ののびる方向、すなわち長さ（Ｆ）方向を有する。綴環９０１２及び綴環９０１４の長さ（Ｆ）方向は、表紙６１２の幅（Ａ）方向すなわち表側薄肉ヒンジ部６２０及び裏側薄肉ヒンジ部６２２と直交し表紙６１２の内表面と直交する平面（仮想面）上においてのびる。
【０１１４】
綴じ具９０１０は、裏側薄肉ヒンジ部６２２との間に少し距離をおいて、裏表紙６１８の内面に固定されており、綴環９０１２及び綴環９０１４の基部と頂部との間の長さ（すなわち綴環９０１２及び綴環９０１４の高さ（Ｇ））は、背表紙６１４の背幅と略同等もしくはわずかに長く形成されている。綴環９０１２及び綴環９０１４の基部と頂部との間の長さ（すなわち綴環９０１２及び綴環９０１４の高さ（Ｇ））が、背表紙６１４の背幅（Ｃ）より長いときは、表表紙６１６の接し合う部分に貫通孔からなる綴じ具嵌挿孔６１６ａが穿設される。
【０１１５】
このファイル６１０は、綴じ具９０１０を長さ方向に立てたとき、被綴じ物Ｓを垂れないようにするための垂れ防止手段６３０がファイルの表紙６１２の内側に進退自在に形成されているとともに、綴じ具９０１０に綴じられた被綴じ物Ｓの綴じ代側端縁Ｓ１に当接し、一方の表表紙６１６が閉じられるときに、一方の表表紙６１６が閉じられるに従って綴じ具９０１０に沿って他方の裏表紙６１８に向けて被綴じ物Ｓを押圧する押圧作用手段７３０を、表紙６１２の内側に起伏自在に形成されている。
この実施の形態においては、垂れ防止手段６３０と押圧作用手段７３０とは、一体化された垂れ防止押圧作用部材として構成されている。
垂れ防止押圧作用部材は、上端縁と下端縁とを有し、上端縁と下端縁とが平行な方形状に形成されている。
垂れ防止押圧作用部材は、ファイル表紙６１２の表表紙６１６を表側薄肉ヒンジ部６２０において折り曲げて閉じたときに、表表紙６１６と背表紙６１４とのなす角度が略１８０度から略９０度に縮まり、その折り曲げに対応してファイル表紙６１２の表側薄肉ヒンジ部６２０に沿って折れ曲がり、被綴じ物Ｓの綴じ代側端縁Ｓ１に向けて突き出るように、形成される。
【０１１６】
垂れ防止手段６３０は、表紙６１２の内側に取り付けられた垂れ防止手段を構成する立ち上がり部材により構成され、表表紙６１６、裏表紙６１８及び背表紙６１４のうち少なくとも二つの間に架け渡された立ち上がり部を有する。
一方の立ち上がり部が表表紙６１６、裏表紙６１８及び背表紙６１４のうち一つに連結され、他方の立ち上がり部が前記一方の立ち上がり部が連結されていない表表紙６１６、裏表紙６１８及び背表紙６１４のうち一つに連結されている。
【０１１７】
垂れ防止手段６３０は、綴じ具９０１０を取り付けられた裏表紙６１８と背表紙６１４とに続く分離スリット６９０によって区画され、形成されている。分離スリット６９０は、綴じ具９０１０の下方であって、背表紙６１４の第１の綴環９０１２及び第２の綴環９０１４の中央近くから、裏表紙６１８側にかけて、裏表紙６１８及び背表紙６１４に連続して表側薄肉ヒンジ部６２０に直交する細長い貫通孔によって構成され、表表紙６１６と裏表紙６１８との間に架け渡された立ち上がり部を形成している。
【０１１８】
垂れ防止手段６３０は、分離スリット６９０によって分離された領域を立ち上がり部として、背表紙６１４と裏表紙６１８との内面より内側に向けて山形に立ち上がらせるために、中央において内方に向けて折れ曲がらせるための第１折れ曲がり部６４０と、分離スリット６９０の裏表紙６１８側の端部と垂れ防止手段６３０の下端縁とを結ぶ第３折れ曲がり部６４４と、分離スリット６９０の背表紙６１４側の端縁と垂れ防止手段６３０の下端縁とを結ぶ第２折れ曲がり部６４２とを形成されている。
【０１１９】
第１折れ曲がり部６４０と第２折れ曲がり部６４２と第３折れ曲がり部６４４とは、平行に形成され、表紙６１２の内側からみて、第１折れ曲がり部６４０は内側に向けて山折りとなり、第２折れ曲がり部６４２と第３折れ曲がり部６４４とは谷折りとなる。
すなわち、前記一方の平面視方形状の立ち上がり部からなる保持部６３２と、平面視方形状の他方の立ち上がり部からなる支持部６３４との間に第１折れ曲がり部６４０が形成されている。
更に、支持部６３４は、第１折れ曲がり部６４０とは反対側端縁に表表紙６１６との連結のための第１連結部６５０を有し、第１連結部６５０の近傍に折曲自在とするために第２折れ曲がり部６４２を形成されている。第２折れ曲がり部６４２は、表側薄肉ヒンジ部６２０に連続して形成されている。
また、保持部６３２は、被綴じ物Ｓの綴じ代側端縁Ｓ１と接し被綴じ物Ｓを表紙６１２の外側に押圧するための面積を備え、綴じ具９０１０の長さ（Ｄ）方向にのびる長さと積層された被綴じ物Ｓの厚さに対応した綴じ具９０１０の高さ（Ｇ）方向にのびる長さを備える。そして、保持部６３２は、第１折れ曲がり部６４０とは反対側端縁に裏表紙６１８との連結のための第２連結部６５２を有し、第２連結部６５２の近傍に折曲自在とするための第３折れ曲がり部６４４を形成されている。
【０１２０】
第１折れ曲がり部６４０と第２折れ曲がり部６４２と第３折れ曲がり部６４４と第４折れ曲がり部６５４と平行になるように、且つ表表紙６１６の表側薄肉ヒンジ部６２０及び裏表紙６１４の裏側薄肉ヒンジ部６２２と平行になるように、表表紙６１６と第１連結部６５０とが接続され、裏表紙６１８と第２連結部６５２とが接続されている。
而して、垂れ防止手段６３０の第１折れ曲がり部６４０と第２折れ曲がり部６４２と第３折れ曲がり部６４４と第４折れ曲がり部６５４とは、表側薄肉ヒンジ部６２０及び裏側薄肉ヒンジ部６２２と直交するとともに綴環９０１２と綴環９０１４とを結ぶ長さ（Ｄ）方向にのびる。
【０１２１】
垂れ防止手段６３０は、ファイル表紙６１２を表側薄肉ヒンジ部６２０において折り曲げて閉じたときに、その折り曲げに対応してファイル表紙６１２の表側薄肉ヒンジ部６２０に沿って第１折れ曲がり部６４０において内側に向けて突き出る山折り状（表紙の外側からみて谷折り状）に折れ曲がり、且つ第２折れ曲がり部６４２及び第３折れ曲がり部６４４において外側に向けて凹む谷折り状（表紙の外側からみて山折り状）に折れ曲がり、被綴じ物Ｓの綴じ代側端縁Ｓ１に向けて突き出るように形成されている。
【０１２２】
保持部６３２の幅（第１折れ曲がり部６４０と第３折れ曲がり部６４４との間の長さ）は、背表紙６１４の裏側薄肉ヒンジ部６２２と第２折れ曲がり部６４２の位置との幅と略同一であるために、表紙６１２を開いたときに、保持部６３２及び支持部６３４は、表紙６１２の内側面に近い位置まで接近する。
【０１２３】
垂れ防止手段６３０は、表紙６１２の背表紙６１４と綴じ具９０１０との間に位置し、表表紙６１６を開いたときに表表紙６１６の内側に近いか略々同じ面に位置し、且つ表表紙６１６を閉じたときに一方の表表紙６１６が閉じられるに従って綴じ具９０１０に沿って他方の裏表紙６１８に向けて被綴じ物Ｓの綴じ代側端縁Ｓ１を押圧するように構成されている。
【０１２４】
第３折れ曲がり部６４４は、第１の綴環９０１２の基部と第２の綴環の基部との中間、すなわち綴じ具９０１０に綴じられた被綴じ物Ｓの綴じ代側端縁Ｓ１の位置にほぼ近い位置に位置している。
したがって、垂れ防止手段６３０を立ち上げたときに、保持部６３２は、裏表紙６１８に対して略垂直に立ち上がり、被綴じ物Ｓの綴じ代側端縁Ｓ１に接近し綴じ代側端縁Ｓ１の列と対向して、被綴じ物Ｓを保持する。
第２折れ曲がり部６４２は、表表紙６１６を閉じるときに垂れ防止手段６３０を立ち上げ易くするために、裏側薄肉ヒンジ部６２２より離れた位置に位置している。この実施の形態においては、裏側薄肉ヒンジ部６２２を枢軸として閉じられる背表紙６１４及び表表紙６１６の動作に対応して、第１折れ曲がり部６４０を頂点として山型に折れ曲がり立ち上がり易くするために、垂れ防止手段６３０の第２折れ曲がり部６４２は、表側薄肉ヒンジ部６２０の近傍に位置している。
【０１２５】
垂れ防止手段６３０は、ファイル表紙を閉じたときに、ファイル表紙６１２の表表紙６１６と背表紙６１４との角度が略１８０度から略９０度に縮まり、第２折れ曲がり部６４２と第３折れ曲がり部６４４との間隔も縮まることにより、保持部６３２は第２折れ曲がり部６４２を中心に回動し、支持部６３４は第３折れ曲がり部６４４を中心に回動して、保持部６３２が被綴じ物Ｓの綴じ代側端縁Ｓ１に向けて突き出て進み、その綴じ代側端縁Ｓ１を保持する。
【０１２６】
更に、このファイル６１０は、綴じ具９０１０に綴じられた被綴じ物Ｓの綴じ代側端縁Ｓ１に当接し、一方の表表紙６１６が閉じられるときに、一方の表表紙６１６が閉じられるに従って綴じ具９０１０に沿って他方の裏表紙６１８に向けて被綴じ物Ｓを押圧する押圧作用手段７３０を、表紙６１２の内側に起伏自在に形成されている。
押圧作用手段７３０は、表紙６１２の内側に取り付けられた押圧作用手段７３０を構成する立ち上がり部材により構成され、表表紙６１６表表紙、裏表紙６１８及び背表紙６１４のうち少なくとも二つの間に架け渡された立ち上がり部を有する。
一方の立ち上がり部が表表紙６１６、裏表紙６１８及び背表紙６１４のうち一つに連結され、他方の立ち上がり部が前記一方の立ち上がり部が連結されていない表表紙６１６、裏表紙６１８及び背表紙６１４のうち一つに連結されている。
【０１２７】
押圧作用手段７３０は、綴じ具９０１０を取り付けられた裏表紙６１８と背表紙６１４とに続く分離スリット６９０によって区画され、形成されている。分離スリット６９０は、綴じ具９０１０の下方であって、裏表紙６１８の第１の綴環９０１２及び第２の綴環９０１４の中央近くから、背表紙６１４側にかけて、裏表紙６１８及び背表紙６１４に連続して表側薄肉ヒンジ部６２０に直交する細長い貫通孔によって構成され、背表紙６１４と裏表紙６１８との間に架け渡された立ち上がり部を形成している。
【０１２８】
押圧作用手段７３０は、分離スリット６９０によって分離された領域を立ち上がり部として、背表紙６１４と裏表紙６１８との内面より内側に向けて山形に立ち上がらせるために、中央において内方に向けて折れ曲がらせるための第１折れ曲がり部７４０と、分離スリット７９０の裏表紙６１８側の端縁と垂れ防止手段６３０の上端縁とを結ぶ第３折れ曲がり部７４４と、分離スリット６９０の表表紙６１６側の端縁と垂れ防止手段６３０の上端縁とを結ぶ第２折れ曲がり部６４２とを形成されている。
【０１２９】
第１折れ曲がり部７４０と第２折れ曲がり部７４２と第３折れ曲がり部７４４とは、平行に形成され、表紙６１２の内側からみて、第１折れ曲がり部７４０は内側に向けて山折りとなり、第２折れ曲がり部７４２と第３折れ曲がり部７４４とは谷折りとなる。
すなわち、前記一方の平面視方形状の立ち上がり部からなる押圧保持部７３２と、平面視方形状の他方の立ち上がり部からなる支持部６３４との間に第１折れ曲がり部７４０が形成されている。
【０１３０】
第１折れ曲がり部７４０と第２折れ曲がり部７４２と第３折れ曲がり部７４４とは、平行に形成され、且つ表表紙６１６を表側薄肉ヒンジ部６２０及び裏側薄肉ヒンジ部６２２と平行になるように、裏表紙６１８と第１連結部７５０とが接続され、且つ表表紙６１６と第２連結部７５２とが接続されている。
【０１３１】
押圧作用手段７３０は、綴じ具９０１０を固定された裏表紙６１８と対向する表表紙６１６又は綴じ具９０１０を固定された裏表紙６１８と交差する背表紙６１４からのびる支持部７３４と、綴じ具９０１０を固定された裏表紙６１８又は綴じ具９０１０を固定された裏表紙６１８に交差する背表紙６１４からのびる立ち上がり部たる押圧保持部７３２とを有する。
表紙６１２を開いたとき、綴じ具９０１０を固定された裏表紙６１８と対向する表表紙６１６に近い位置に位置し、表紙６１２を閉じたときに、綴じ具９０１０を固定された裏表紙６１８と交差する背表紙６１４と離れた位置に位置するように、支持部７３４及び押圧保持部７３２は、その境で屈曲自在になるように構成され、表紙６１２の内側に連設されている。
【０１３２】
支持部７３４は、綴じ具９０１０を固定された裏紙６１８と対向する表表紙６１６又は綴じ具９０１０を固定された裏表紙６１８と交差する背表紙６１４からのびる押圧保持部７３２は、綴じ具９０１０を固定された裏表紙６１８又は綴じ具９０１０を固定された裏表紙６１８に交差する背表紙６１４からのび、前記支持部７３４と押圧保持部７３２とは、連結され、且つ裏表紙６１８と綴じ具の背表紙側の綴環（第１の綴環の半割杆９０１２ｂ及び第２の綴環の半割杆９０１４ｂ）との間において、架け渡され、表紙６１２の背表紙６１４と綴じ具９０１０との間に位置し、表紙６１２を開いたときに、表紙６１２の内側に近いか略々同じ面に位置し、且つ表紙６１２を閉じたときに、一方の表表紙６１６が閉じられるに従って綴じ具９０１０に沿って他方の裏表紙６１８側に向けて被綴じ物Ｓを押圧するように構成されている。
更に、支持部７３４は、第１折れ曲がり部７４０とは反側端縁に表表紙６１６との連結のための第１連結部７５０を有し、第１連結部７５０近傍に第２折れ曲がり部７４２を形成されている。
又、押圧保持部７３２は、第１折れ曲がり部７４０とは反側端縁に裏表紙６１８との連結のための第２連結部７５２を有し、第２連結部７５２近傍に第３折れ曲がり部７４４を形成されている。
【０１３３】
押圧作用手段７３０は、ファイル表紙６１２の内側に取り付けられた押圧作用手段７３０を構成する押圧作用部材において形成され、ファイル表紙６１２を表側薄肉ヒンジ部６２０において折り曲げて閉じたときに、その折り曲げに対応してファイル表紙を表側薄肉ヒンジ部６２０に沿って第１折れ曲がり部７４０において内側に向けて突き出る山折り状（表紙の外側からみて谷折り状）に折れ曲がり、且つ第２折れ曲がり部７４２及び第３折れ曲がり部７４４において外側に向けて凹む谷折り状（表紙の外側からみて山折り状）に折れ曲がり、被綴じ物Ｓの綴じ代側端縁Ｓ１に向けて突き出るように形成されている。
【０１３４】
この実施の形態においては、押圧作用手段７３０の第１連結部７５０と垂れ防止手段６３０の第１連結部６５０とは、並列し、且つ押圧作用手段７３０の第２連結部７５２と垂れ防止手段６３０の第２連結部６５２とは、並列し、それらを構成する垂れ防止部材と押圧作用部材とが一体に形成されている。
そして、垂れ防止手段６３０の保持部６３２及び支持部６３４と押圧作用手段７３０の押圧保持部７３２及び支持部７３４とは、それらの境に穿設された分離スリット６９０によって分離されている。
又、垂れ防止手段６３０の第２連結部６５２は、第３折れ曲がり部６４４が裏表紙６１８の綴じ具９０１０の綴環９０１２及び綴環９０１４の環の中央に位置するように接続され、又、垂れ防止手段６３０の第１連結部６５０は、第２折れ曲がり部６４２が背表紙６１４の表側薄肉ヒンジ部６２０に位置するように接続されている。
そして、押圧作用手段７３０の第２連結部７５２は、第２折れ曲がり部７４２が背表紙６１４の裏側薄肉ヒンジ部６２２に位置するように接続され，又押圧作用手段７３０の第１連結部７５０は、表表紙６１６の綴じ具９０１０の頂部より少し高い位置までのびるように、第３折れ曲がり部７４４が表側薄肉ヒンジ部６２０より離れた位置に位置するように接続されている。
【０１３５】
支持部７３４の幅（第１折れ曲がり部７４０と第２折れ曲がり部７４２との間の長さ）は、背表紙６１４の裏側薄肉ヒンジ部６２２と表側薄肉ヒンジ部６２０の位置との幅と略同一であるために、表紙６１２を開いたときに、押圧保持部７３２及び支持部７３４は、表紙６１２の内側面に近い位置まで接近する。
【０１３６】
第３折れ曲がり部７４４は、表表紙６１６を開閉するときの枢軸たる裏側薄肉ヒンジ部６２２の近傍で、背表紙６１４の内面に固着され、押圧作用手段７３０は、表表紙６１６及び背表紙６１４を閉じるときに、第３折れ曲がり部７４４を枢軸として、第３折れ曲がり部７４４を中心にして立ち上がるように形成されている。
第２折れ曲がり部７４２は、表表紙６１６を閉じるとき、押圧作用手段７３０を立ち上げ易くするために、裏側薄肉ヒンジ部６２２より離れた位置に位置している。この実施の形態においては、裏側薄肉ヒンジ部６２２を枢軸として閉じられる背表紙６１４及び表表紙６１６の動作に対応して、第１折れ曲がり部７４０を頂点として山型に折れ曲がり、立ち上がって押圧作用手段７３０の上部に載っている被綴じ物Ｓを持ち上げ易くするために、押圧作用手段７３０の第２折れ曲がり部７４２は、表側薄肉ヒンジ部６２０よりも更に外側である表表紙６１６の内面に位置している。
【０１３７】
支持部７３４の幅（Ｗ１）と保持部６３２の幅（Ｗ２）とは、略同じであり、第２折れ曲がり部７４２の固定された位置と表側薄肉ヒンジ部６２０との間の幅（Ｗ３）と、第３折れ曲がり部６４４の固定された位置と裏側薄肉ヒンジ部６２２との間の幅（Ｗ４）とは、略同じであり、押圧作用手段７３０の押圧保持部７３２の幅（Ｗ５）と垂れ防止手段６３０の支持部６３４の幅（Ｗ６）とは近い長さに形成されているので、表表紙６１６を閉じたとき、背表紙６１４は裏表紙６１８に対して略垂直に立ち上がり、支持部７３４は表表紙６１６に対して略垂直に立ち上がり、多数綴じられた被綴じ物Ｓの綴じ代側端縁Ｓ１の列と対向して保持する。
押圧作用手段７３０の押圧保持部７３２の幅（Ｗ５）は、垂れ防止手段６３０の支持部６３４の幅（Ｗ６）よりも僅かに狭く形成されている。而して、表表紙６１６を開いた状態から閉じる状態にするときに、押圧保持部７３２は、被綴じ物Ｓの綴じ代側端縁Ｓ１に当接せず、表表紙６１６の閉じる動作の妨げにならないように形成されている。
【０１３８】
押圧作用手段７３０は、ファイル表紙を閉じたときに表表紙６１６と背表紙６１４とのなす角度が略１８０度から略９０度に縮まり、第２折れ曲がり部６４２と第３折れ曲がり部６４４との間隔も縮まることにより、押圧保持部７３２は第２折れ曲がり部７４２を中心に回動し、支持部７３４は第３折れ曲がり部７４４を中心に回動し起きて、閉じられる表表紙６１６又はその近傍の背表紙６１４の内面に位置する被綴じ物Ｓの綴じ具９０１０の近傍の領域を、綴じ具９０１０の第１の綴環９０１２及び第２の綴環９０１４の形状に沿って押圧する。
【０１３９】
前記図２１ないし２５図示実施の形態においては、垂れ防止押圧作用体４３０の保持部４３２の表面が平滑な面で構成されたが、図４５ないし図５０において示すように、保持部４３２の表面に被綴じ物Ｓの綴じ代側端縁Ｓ１を挟み込むための凸条４３８を平行に複数条形成してもよい。
図４５ないし５０図示ファイルは、図２１ないし２５図示実施の形態の変形例であって、その他の構成は同一であるので、同一の構成については同一の符号で示し、説明は省略する。
【０１４０】
図５１は、本発明の一実施の形態である表紙構造を備えたファイルの斜視図解図である。図５２は、図５１図示ファイルの表紙を開いた状態の平面図解図であり、図５３は、図５１図示ファイルの表紙を開いた状態の断面図解図である。図５４は、図５１図示ファイルの表紙を閉じた状態の断面図解図である。
【０１４１】
この発明の実施の形態であるファイル８１０は、表紙８１２と、表紙８１２に固定された綴じ具９０１０とを含む。
【０１４２】
表紙８１２は、背表紙８１４と、前記背表紙８１４の両端に開閉自在に延設された、表表紙８１６及び前記綴じ具９０１０の保持部材を固定する裏表紙８１８とを備え、図５６及び５９に示すように、表表紙８１６と裏表紙８１８が背表紙８１４に対して立設状態となり対向するように連設され、幅（Ａ）と高さ（Ｂ）と背幅（Ｃ）とを有する。
そして、表表紙８１６及び裏表紙８１８は、背表紙８１４寄りに高さ（Ｂ）方向にのびる開閉用の表側薄肉ヒンジ部８２０及び裏側薄肉ヒンジ部８２２が設けられ、表側薄肉ヒンジ部８２０と裏側薄肉ヒンジ部８２２とは、平行でその間において背幅（Ｃ）を構成する。
【０１４３】
表表紙８１６の開閉を可能にする表側薄肉ヒンジ部８２０及び裏表紙８１８の開閉を可能にする裏側薄肉ヒンジ部８２２は、断面略Ｖ字溝であり、表側薄肉ヒンジ部８２０と裏側薄肉ヒンジ部８２２とは、それぞれ平行である。表側薄肉ヒンジ部８２０は、背表紙８１４と表表紙８１６との境界に設けられており、裏側薄肉ヒンジ部８２２は、背表紙８１４と裏表紙８１８との境界に設けられている。
【０１４４】
この綴じ具９０１０の綴環９０１２、９０１４は，Ｄ字型であり、綴じ具の長さ（Ｄ）と綴じ具の幅（Ｅ）とを有する。
この綴じ具９０１０の綴環は、第１の綴環９０１２と第２の綴環９０１４とからなるが、第１の綴環９０１２の半割杆９０１２ａと半割杆９０１２ｂ及び第２の綴環９０１４の半割杆９０１４ａと半割杆９０１４ｂとがそれぞれ線対称ではなく、その形状が異なる。
すなわち、第１の綴環９０１２の半割杆９０１２ａ及び第２の綴環９０１４の半割杆９０１４ａは、略コ字型であり、もう一方の（第１の綴環９０１２の）半割杆９０１２ｂ及び（第２の綴環９０１４の）半割杆９０１４ｂは、半円弧状であり、背表紙８１４側に位置する。
綴環９０１２と綴環９０１４とは、綴じ具の長さ（Ｄ）方向において適宜な間隔をおいて分かれており、綴環９０１２及び綴環９０１４ののびる方向、すなわち長さ（Ｆ）方向を有する。綴環９０１２及び綴環９０１４の長さ（Ｆ）方向は、表紙８１２の幅（Ａ）方向すなわち表側薄肉ヒンジ部８２０及び裏側薄肉ヒンジ部８２２と直交し表紙８１２の内表面と直交する平面（仮想面）上においてのびる。
【０１４５】
綴じ具９０１０は、裏側薄肉ヒンジ部８２２との間に少し距離をおいて、裏表紙８１８の内面に固定されており、綴環９０１２及び綴環９０１４の基部と頂部との間の長さ（すなわち綴環９０１２及び綴環９０１４の高さ（Ｇ））は、背表紙８１４の背幅と略同等もしくはわずかに長く形成されている。綴環９０１２及び綴環９０１４の基部と頂部との間の長さ（すなわち綴環９０１２及び綴環９０１４の高さ（Ｇ））が、背表紙８１４の背幅（Ｃ）より長いときは、表表紙８１６の接し合う部分に貫通孔からなる綴じ具嵌挿孔８１６ａが穿設される。
【０１４６】
綴じ具９０１０は、綴環９０１２と綴環９０１４との間に跨って架け渡され、移動自在に固定された被綴じ物Ｓを裏表紙８１８の表面上に積層したときに、その最上面を押圧するための被綴じ物押さえ具３０１０を移動自在に固定されている。
【０１４７】
被綴じ物押さえ具３０１０は、綴環９０１２と綴環９０１４との間に跨って架け渡される長さと、裏側薄肉ヒンジ部８２２と裏表紙８１８の幅方向における端縁との間に収まる幅とを備える板状体からなる押さえ具本体３０１２と、前記押さえ具本体３０１２により直交する方向に突き出る摺接体３０１４とを有し、押さえ具本体３０１２と摺接体３０１４とを合成樹脂で一体成形してなる。
被綴じ物押さえ具３０１０の押さえ具本体３０１２は、背表紙側端縁に、綴環９０１２と綴環９０１４との間隔及び径に対応して嵌挿孔３０１６と嵌挿孔３０１８とを穿設されている。そして、嵌挿孔３０１６を綴環９０１２に嵌挿し且つ嵌挿孔３０１８を綴環９０１４に嵌挿して綴じ具９０１０に取り付けられた被綴じ物押さえ具３０１０は、綴環９０１２と綴環９０１４の形状に沿って、綴環９０１２及び綴環９０１４の長さ（Ｆ）方向に回転して表側から裏側及びその逆の方向に移動できるように構成されている。
【０１４８】
被綴じ物押さえ具３０１０の押さえ具本体３０１２は、垂れ防止手段８３０側の端縁に嵌挿部３０２０を備え、且つ嵌挿部３０２０より背表紙８１８側の領域に、後述する垂れ防止手段８３０の保持部８３２と接触するときに摺接して移動するための摺接部３０２２を備える。
【０１４９】
被綴じ物押さえ具３０１０の摺接体３０１４は、ファイル表紙８１２の内表面、特に表表紙８１６の内表面と接したとき、滑り易い合成樹脂からなる。
この実施の形態においては、摺接体３０１４は、先細で、押さえ具本体３０１２に連設されて被綴じ物押さえ具３０１０の全体が略Ｔ字型を形成しているが、図６５に示すように、押さえ具本体３０１２と接する領域を幅広として、強度を増した形状としてもよい。
【０１５０】
このファイル８１０は、綴じ具９０１０を長さ方向に立てたとき、被綴じ物Ｓを垂れないようにするための垂れ防止手段８３０がファイルの表紙８１２の内側に進退自在に形成されている。
垂れ防止手段８３０は、表紙８１２の幅方向にのび、表側薄肉ヒンジ部８２０及び裏側薄肉ヒンジ部８２２と直交し且つ第１の綴環９０１２及び第２の綴環９０１４ののびる長さ（Ｆ）方向と平行にのびる。そして、垂れ防止手段８３０は、ファイル表紙８１２の表表紙８１６を表側薄肉ヒンジ部８２０において折り曲げて閉じたときに、表表紙８１６と背表紙８１４とのなす角度が略１８０度から略９０度に縮まり、その折り曲げに対応してファイル表紙８１２の表側薄肉ヒンジ部８２０に沿って折れ曲がり、被綴じ物Ｓの綴じ代側端縁Ｓ１に向けて突き出るように、形成される。
【０１５１】
垂れ防止手段８３０は、表紙８１２の内側に取り付けられた垂れ防止手段８３０を構成する立ち上がり部材により構成され、表表紙８１６、裏表紙８１８及び背表紙８１４のうち少なくとも二つの間に架け渡された立ち上がり部を有する。
一方の立ち上がり部が表表紙８１６、裏表紙８１８及び背表紙８１４のうち一つに連結され、他方の立ち上がり部が前記一方の立ち上がり部が連結されていない表表紙８１６、裏表紙８１８及び背表紙８１４のうち一つに連結されている。
【０１５２】
垂れ防止手段８３０は、合成樹脂で一体成形され、直線状上端縁と直線状下端縁とを有し、上端縁と下端縁とを平行に形成した、適宜な幅と長さとを有する方形板状であり、表紙８１２の内表面に両端において固着されている。
【０１５３】
垂れ防止手段８３０は、背表紙８１４と裏表紙８１８との内面より内側に向けて山形に立ち上がらせるために、中央において内方に向けて折れ曲がらせるための第１折れ曲がり部８４０と、表側薄肉ヒンジ部８２０に沿って上端縁及び下端縁と直交して形成された第２折れ曲がり部８４２と、第１の綴環９０１２及び第２の綴環９０１４の環の中央の下部において垂れ防止手段８３０の上端縁及び下端縁と直交して形成された第３折れ曲がり部８４４とを形成されている。
第１折れ曲がり部８４０と第２折れ曲がり部８４２と第３折れ曲がり部８４４とは、平行に形成され、表紙８１２の内側からみて、第１折れ曲がり部８４０は内側に向けて山折りとなり、第２折れ曲がり部８４２と第３折れ曲がり部８４４とは谷折りとなる。
すなわち、前記一方の平面視方形状の立ち上がり部からなる保持部８３２と、平面視方形状の他方の立ち上がり部からなる支持部８３４との間に第１折れ曲がり部８４０が形成されている。
【０１５４】
更に、支持部８３４は、第１折れ曲がり部８４０とは反対側端縁に表表紙８１６との連結のための第１連結部８５０を有し、第１連結部８５０の近傍に折曲自在とするために第２折れ曲がり部８４２及び第４折れ曲がり部８５４を形成されている。
第２折れ曲がり部８４２は、表側薄肉ヒンジ部８２０と平行に表表紙８１６と背表紙８１４との境界に形成されている。
第４折れ曲がり部８５４は、第２折れ曲がり部８４２よりは背表紙８１４側において、第２折れ曲がり部８４２と適宜な間隔をおいて、第２折れ曲がり部８４２及び表側薄肉ヒンジ部８２０と平行に形成されている。
また、保持部８３２は、被綴じ物Ｓの綴じ代側端縁Ｓ１と接し被綴じ物Ｓを表紙８１２の外側に押圧するための面積を備え、綴じ具９０１０の長さ（Ｄ）方向にのびる長さと積層された被綴じ物Ｓの厚さに対応した綴じ具９０１０の高さ（Ｇ）方向にのびる長さを備える。そして、保持部８３２は、第１折れ曲がり部８４０とは反対側端縁に裏表紙８１８との連結のための第２連結部８５２を有し、第２連結部８５２の近傍に折曲自在とするための第３折れ曲がり部８４４を形成されている。
【０１５５】
第１折れ曲がり部８４０と第２折れ曲がり部８４２と第３折れ曲がり部８４４と第４折れ曲がり部８５４と平行になるように、且つ表表紙８１６の表側薄肉ヒンジ部８２０及び裏表紙８１４の裏側薄肉ヒンジ部８２２と平行になるように、表表紙８１６と第１連結部８５０とが接続され、裏表紙８１８と第２連結部８５２とが接続されている。
而して、垂れ防止手段８３０の第１折れ曲がり部８４０と第２折れ曲がり部８４２と第３折れ曲がり部８４４と第４折れ曲がり部８５４とは、表側薄肉ヒンジ部８２０及び裏側薄肉ヒンジ部８２２と平行にのびるとともに綴環９０１２と綴環９０１４とを結ぶ長さ（Ｄ）方向にのびる。
【０１５６】
垂れ防止手段８３０の立ち上がり部からなる保持部８３２は、綴じ具９０１０に向く面すなわち綴環９０１２及び綴環９０１４の長さ（Ｆ）方向に並行する端縁に、綴じ具９０１０に移動自在に固定された被綴じ物押さえ具３０１０の端縁を嵌挿するための嵌挿溝８５６が形成されている。
垂れ防止手段８３０の立ち上がり部からなる保持部８３２は、被綴じ物Ｓが固定された表紙８１２より立ち上がっており、綴じ具９０１０を固定された裏表紙８１８と直交する第１の綴環９０１２の半割杆９０１２ａ及び第２の綴環９０１４の半割杆９０１４ａの長さ（Ｆ）方向と略平行に立ち上がる。
嵌挿溝８５６は、綴じ具９０１０を固定された裏表紙８１８と直交する第１の綴環９０１２の半割杆９０１２ａ及び第２の綴環９０１４の半割杆９０１４ａの長さ（Ｆ）方向と交差し、裏表紙８１８と略平行に固定されているプレート状の被綴じ物押さえ具３０１０を、その端縁の表面及び裏面を挟むように嵌挿するために、綴じ具９０１０に向かって開放され、且つ溝底に向かうに従って狭くなるように形成されている。
【０１５７】
垂れ防止手段８３０は、ファイル表紙８１２を表側薄肉ヒンジ部８２０において折り曲げて閉じたときに、その折り曲げに対応してファイル表紙８１２の表側薄肉ヒンジ部８２０に沿って第１折れ曲がり部８４０において内側に向けて突き出る山折り状（表紙の外側からみて谷折り状）に折れ曲がり、且つ第２折れ曲がり部８４２、第４折れ曲がり部８５４及び第３折れ曲がり部８４４において外側に向けて凹む谷折り状（表紙の外側からみて山折り状）に折れ曲がり、被綴じ物Ｓの綴じ代側端縁Ｓ１に向けて突き出るように形成されている。
【０１５８】
保持部８３２の幅（第１折れ曲がり部８４０と第３折れ曲がり部８４４との間の長さ）は、背表紙８１４の裏側薄肉ヒンジ部８２２と第２折れ曲がり部８４２の位置との幅と略同一であるために、表紙８１２を開いたときに、保持部８３２及び支持部８３４は、表紙１２の内側面に近い位置まで接近する。
【０１５９】
垂れ防止手段８３０は、表紙８１２の背表紙８１４と綴じ具９０１０との間に位置し、表表紙８１６を開いたときに表表紙８１６の内側に近いか略々同じ面に位置し、且つ表表紙８１６を閉じたときに一方の表表紙８１６が閉じられるに従って綴じ具９０１０に沿って他方の裏表紙８１８に向けて被綴じ物Ｓの綴じ代側端縁Ｓ１の下部を押圧するように構成されている。
【０１６０】
垂れ防止手段８３０は、ファイル表紙を閉じたときに、ファイル表紙８１２の表表紙８１６と背表紙８１４との角度が略１８０度から略９０度に縮まり、第２折れ曲がり部８４２と第３折れ曲がり部８４４との間隔も縮まることにより、保持部８３２は第２折れ曲がり部８４２を中心に回動し、支持部８３４は第２折れ曲がり部８４２及び第４折れ曲がり部４５４を中心に回動して、保持部４３２が被綴じ物Ｓの綴じ代側端縁Ｓ１に向けて突き出て進み、その綴じ代側端縁Ｓ１を保持する。
【０１６１】
一方、被綴じ物押さえ具３０１０は、ファイル表紙８１２の表表紙８１６が開かれて被綴じ物Ｓが閲覧状態であるとき、被綴じ物Ｓが綴じ具９０１０の第１の綴環９０１２の半割杆９０１２ｂ及び第２の綴環９０１４の半割杆９０１４ｂ側に位置しており、表表紙８１６を裏表紙８１８側に向けて閉じ始めて、略９０度位に立ち上がると、摺接体３０１４の先端が表表紙８１６の内表面に突き当たる。
そして、更に表表紙８１６を裏表紙８１８側に回動して裏表紙８１８と略４５度位の角度をなすように閉じたとき、被綴じ物押さえ具３０１０の嵌挿部３０２０が、垂れ防止手段８３０の保持部８３２の綴じ具９０１０側の端縁に当接し、嵌挿溝８５６の開口部分を飛び越えて徐々に裏表紙８１８側に移動する。
更に、表表紙８１６が裏表紙８１８と平行に近い位置まで閉じられたとき、被綴じ物押さえ具３０１０の嵌挿部３０２０は、垂れ防止手段８３０の保持部８３２の嵌挿溝８５６内に嵌まり込み、嵌合される。
したがって、被綴じ物押さえ具３０１０は、積層された被綴じ物Ｓの表面上を押圧した状態において、複数ある嵌挿溝８５６の内、押さえるに最適な位置にある嵌挿溝８５６に嵌合されて、被綴じ物Ｓを確り押えることとなる。
【０１６２】
図６６は、本発明の一実施の形態である表紙構造を備えたファイルの斜視図解図である。図６７は、図６６図示ファイルの表紙を開いた状態の平面図解図であり、図６８は、図６６図示ファイルの表紙を開いた状態の断面図解図である。図６９は、図６６図示ファイルの表紙を閉じた状態の断面図解図である。
【０１６３】
この発明の実施の形態であるファイル１０１０は、表紙１０１２と、表紙１０１２に固定された綴じ具９０１０とを含む。
【０１６４】
表紙１０１２は、背表紙１０１４と、前記背表紙１０１４の両端に開閉自在に延設された、表表紙１０１６及び前記綴じ具９０１０の保持部材を固定する裏表紙１０１８とを備え、図６６及び６８に示すように、表表紙１０１６と裏表紙１０１８が背表紙１０１４に対して立設状態となり対向するように連設され、幅（Ａ）と高さ（Ｂ）と背幅（Ｃ）とを有する。
そして、表表紙１０１６及び裏表紙１０１８は、背表紙１０１４寄りに高さ（Ｂ）方向にのびる開閉用の表側薄肉ヒンジ部１０２０及び裏側薄肉ヒンジ部１０２２が設けられ、表側薄肉ヒンジ部１０２０と裏側薄肉ヒンジ部１０２２とは、平行でその間において背幅（Ｃ）を構成する。
【０１６５】
表表紙１０１６の開閉を可能にする表側薄肉ヒンジ部１０２０及び裏表紙１０１８の開閉を可能にする裏側薄肉ヒンジ部１０２２は、断面略Ｖ字溝であり、表側薄肉ヒンジ部１０２０と裏側薄肉ヒンジ部１０２２とは、それぞれ平行である。表側薄肉ヒンジ部１０２０は、背表紙１０１４と表表紙１０１６との境界に設けられており、裏側薄肉ヒンジ部１０２２は、背表紙１０１４と裏表紙１０１８との境界に設けられている。
【０１６６】
この綴じ具９０１０の綴環９０１２、９０１４は，Ｄ字型であり、綴じ具の長さ（Ｄ）と綴じ具の幅（Ｅ）とを有する。
この綴じ具９０１０の綴環は、第１の綴環９０１２と第２の綴環９０１４とからなるが、第１の綴環９０１２の半割杆９０１２ａと半割杆９０１２ｂ及び第２の綴環９０１４の半割杆９０１４ａと半割杆９０１４ｂとがそれぞれ線対称ではなく、その形状が異なる。
すなわち、第１の綴環９０１２の半割杆９０１２ａ及び第２の綴環９０１４の半割杆９０１４ａは、略コ字型であり、もう一方の（第１の綴環９０１２の）半割杆９０１２ｂ及び（第２の綴環９０１４の）半割杆９０１４ｂは半円弧状である。
【０１６７】
綴じ具９０１０は、裏側薄肉ヒンジ部１０２２との間に少し距離をおいて、裏表紙１０１８の内面に固定されており、綴環９０１２及び綴環９０１４の基部と頂部との間の長さ（すなわち綴環９０１２及び綴環９０１４の高さ（Ｇ））は、背表紙１０１４の背幅と略同等もしくはわずかに長く形成されている。綴環９０１２及び綴環９０１４の基部と頂部との間の長さ（すなわち綴環９０１２及び綴環９０１４の高さ（Ｇ））が、背表紙１０１４の背幅（Ｃ）より長いときは、表表紙１０１６の接し合う部分に貫通孔からなる綴じ具嵌挿孔１０１６ａが穿設される。
【０１６８】
このファイル１０１０は、綴じ具９０１０を長さ方向に立てたとき、被綴じ物Ｓを垂れないようにするための垂れ防止手段がファイルの表紙１０１２の内側に進退自在に形成されているとともに、綴じ具９０１０に綴じられた被綴じ物Ｓの綴じ代側端縁Ｓ１に当接し、一方の表表紙１０１６が閉じられるときに、一方の表表紙１０１６が閉じられるに従って綴じ具９０１０に沿って他方の裏表紙１０１８に向けて被綴じ物Ｓを押圧する押圧作用手段を、表紙１０１２の内側に起伏自在に形成されている。
この実施の形態においては、垂れ防止手段と押圧作用手段とは、一体化された垂れ防止押圧作用体１０３０として構成されている。
垂れ防止押圧作用体１０３０は、表紙１０１２の高さ方向において上下に分かれて一対形成されており、上の垂れ防止押圧作用体１０３０Ａと下の垂れ防止押圧作用体１０３０Ｂとは、対称に形成されている。
垂れ防止押圧作用体１０３０は、ファイル表紙１０１２の表表紙１０１６を表側薄肉ヒンジ部１０２０において折り曲げて閉じたときに、表表紙１０１６と背表紙１０１４とのなす角度が略１８０度から略９０度に縮まり、その折り曲げに対応してファイル表紙１０１２の表側薄肉ヒンジ部１０２０に沿って折れ曲がり、被綴じ物Ｓの綴じ代側端縁Ｓ１に向けて突き出るように、形成される。
【０１６９】
垂れ防止押圧作用体１０３０は、表紙１０１２の内側に取り付けられた垂れ防止押圧作用体手段を構成する立ち上がり部材により構成され、表表紙１０１６、裏表紙１０１８及び背表紙１０１４のうち少なくとも二つの間に架け渡された立ち上がり部を有する。
一方の立ち上がり部が表表紙１０１６、裏表紙１０１８及び背表紙１０１４のうち一つに連結され、他方の立ち上がり部が前記一方の立ち上がり部が連結されていない表表紙１０１６、裏表紙１０１８及び背表紙１０１４のうち一つに連結されている。
【０１７０】
垂れ防止押圧作用体１０３０は、綴じ具９０１０を取り付けられた裏表紙１０１８と背表紙１０１４とに続く分離スリット１０９０によって区画され、形成されている。分離スリット１０９０は、綴じ具９０１０の上下にあり、背表紙１０１４の第１の綴環９０１２及び第２の綴環９０１４の中央近くから、背表紙１０１４側にかけて、裏表紙１０１８及び背表紙１０１４に連続して表側薄肉ヒンジ部１０２０に直交する上下一対の第１分離スリット１０９０ａと第２分離スリット１０９０ｂとによって構成され、背表紙１０１４と裏表紙１０１８との間に架け渡された立ち上がり部を形成している。
【０１７１】
第１分離スリット１０９０ａと第２分離スリット１０９０ｂとによって囲まれた領域を立ち上がり部として、背表紙１０１４と裏表紙１０１８との内面より内側に向けて山形に立ち上がらせるために、中央において内方に向けて折れ曲がらせるための第１折れ曲がり部１０４０と、第１分離スリット１０９０ａの裏表紙１０１８側の端部と第２分離スリット１０９０ｂの裏表紙１０１８側の端部とを結ぶ第３折れ曲がり部１０４４と、第１分離スリット１０９０ａの背表紙１０１４側の端部と第２分離スリット１０９０ｂの背表紙１０１４とを結ぶ第２折れ曲がり部１０４２とを形成されている。
第１折れ曲がり部１０４０と第２折れ曲がり部１０４２と第３折れ曲がり部１０４４とは、平行に形成され、表紙１０１２の内側からみて、第１折れ曲がり部１０４０は内側に向けて山折りとなり、第２折れ曲がり部１０４２と第３折れ曲がり部１０４４とは谷折りとなる。
すなわち、前記一方の平面視方形状の立ち上がり部からなる押圧保持部１０３２と、平面視方形状の他方の立ち上がり部からなる支持部１０３４との間に、第１折れ曲がり部１０４０が形成されている。
更に、支持部１０３４は、第１折れ曲がり部１０４０とは反対側端縁に表表紙１０１６との連結し折曲自在とするために第２折れ曲がり部１０４２を表側薄肉ヒンジ部１０２０に連続して形成され、第２折れ曲がり部１０４２は表側薄肉ヒンジ部１０２０と平行に形成されている。
また、押圧保持部１０３２は、第１折れ曲がり部１０４０とは反対側端縁に裏表紙１０１８との連結し折曲自在とするための第３折れ曲がり部１０４４を形成され、第３折れ曲がり部１０４４は表側薄肉ヒンジ部１０２０及び裏側薄肉ヒンジ部１０２２と平行に形成されている。
【０１７２】
垂れ防止押圧作用体１０３０は、ファイル表紙１０１２を表側薄肉ヒンジ部１０２０において折り曲げて閉じたときに、その折り曲げに対応してファイル表紙１０１２の表側薄肉ヒンジ部１０２０に沿って第１折れ曲がり部１０４０において内側に向けて突き出る山折り状（表紙の外側からみて谷折り状）に折れ曲がり、且つ第２折れ曲がり部１０４２及び第３折れ曲がり部１０４４において外側に向けて凹む谷折り状（表紙の外側からみて山折り状）に折れ曲がり、被綴じ物Ｓの綴じ代側端縁Ｓ１に向けて突き出るように形成されている。
【０１７３】
押圧保持部１０３２の幅（第１折れ曲がり部１０４０と第３折れ曲がり部１０４４との間の長さ）は、背表紙１０１４の裏側薄肉ヒンジ部１０２２と第２折れ曲がり部１０４２の位置との幅と略同一であるために、表紙１０１２を開いたときに、押圧保持部１０３２及び支持部１０３４は、表紙１０１２の内側面に近い位置まで接近する。
【０１７４】
垂れ防止押圧作用体１０３０は、表紙１０１２の背表紙１０１４と綴じ具９０１０との間に位置し、表表紙１０１６を開いたときに表表紙１０１６の内側に近いか略々同じ面に位置し、且つ表表紙１０１６を閉じたときに一方の表表紙１０１６が閉じられるに従って綴じ具９０１０に沿って他方の裏表紙１０１８に向けて被綴じ物Ｓの綴じ代側端縁Ｓ１を押圧するように構成されている。
【０１７５】
第１折れ曲がり部１０４０と第２折れ曲がり部１０４２と第３折れ曲がり部１０４４と平行になるように、且つ表表紙１０１６の表側薄肉ヒンジ部１０２０及び裏表紙１０１４の裏側薄肉ヒンジ部１０２２と平行になるように、垂れ防止手段１０３０は、第２折れ曲がり部１０４２を介して表表紙１０１６と接続され、第３折れ曲がり部１０４４を介して背表紙１０１４と接続されている。
而して、垂れ防止手段１０３０の第１折れ曲がり部１０４０と第２折れ曲がり部１０４２と第３折れ曲がり部１０４４とは、表側薄肉ヒンジ部１０２０及び裏側薄肉ヒンジ部１０２２と直交するとともに綴環９０１２と綴環９０１４とを結ぶ長さ（Ｄ）方向にのびる。
【０１７６】
第３折れ曲がり部１０４４は、第１の綴環９０１２の基部と第２の綴環の基部との中間、すなわち綴じ具９０１０に綴じられた被綴じ物Ｓの綴じ代側端縁Ｓ１の位置にほぼ近い位置に位置している。
したがって、垂れ防止押圧作用体１０３０を立ち上げたときに、押圧保持部１０３２は、裏表紙１０１８に対して略垂直に立ち上がり、被綴じ物Ｓの綴じ代側端縁Ｓ１に接近し綴じ代側端縁Ｓ１の列と対向して、被綴じ物Ｓを保持する。
第２折れ曲がり部１０４２は、表表紙１０１６を閉じるときに垂れ防止押圧作用体１０３０を立ち上げ易くするために、裏側薄肉ヒンジ部１０２２より離れた位置に位置している。この実施の形態においては、裏側薄肉ヒンジ部１０２２を枢軸として閉じられる背表紙１０１４及び表表紙１０１６の動作に対応して、第１折れ曲がり部１０４０を頂点として山型に折れ曲がり立ち上がり易くするために、垂れ防止押圧作用体１０３０の第２折れ曲がり部１０４２は、表側薄肉ヒンジ部１０２０の近傍に位置している。
【０１７７】
垂れ防止押圧作用体１０３０は、ファイル表紙を閉じたときに、ファイル表紙に表紙１０１２の表表紙１０１６と背表紙１０１４との角度が略１８０度から略９０度に縮まり、第２折れ曲がり部１０４２と第３折れ曲がり部１０４４との間隔も縮まることにより、押圧保持部１０３２は第２折れ曲がり部１０４２を中心に回動し、支持部１０３４は第３折れ曲がり部１０４４を中心に回動して、押圧保持部１０３２が被綴じ物Ｓの綴じ代側端縁Ｓ１に向けて突き出て進み、その綴じ代側端縁Ｓ１を保持する。
【０１７８】
垂れ防止押圧作用体１０３０は、綴じ具９０１０を固定された裏表紙１０１８と対向する表表紙１０１６又は綴じ具９０１０を固定された裏表紙１０１８と交差する背表紙１０１４からのびる支持部１０３４と、綴じ具９０１０を固定された裏表紙１０１８又は綴じ具９０１０を固定された裏表紙１０１８に交差する背表紙１０１４からのびる押圧保持部１０３２とを有する。
押圧保持部１０３２は、表紙１０１２を開いたとき綴じ具９０１０の第１の綴環９０１２及び第２の綴環９０１４の基部側からのび、支持部１０３４は、綴じ具９０１０の第１の綴環９０１２及び第２の綴環９０１４の頂部側からのびる。
そして、表紙１０１２を開いたとき、綴じ具９０１０を固定された裏表紙１０１８と対向する表表紙１０１６に近い位置に位置し、表紙１０１２を閉じたときに、綴じ具９０１０を固定された表表紙１０１６と交差する背表紙１０１４と離れた位置に位置するように、支持部１０３４及び押圧保持部１０３２は、その境で屈曲自在になるように構成され、表紙１０１２の内側に連設されている。
【０１７９】
支持部１０３４は、綴じ具９０１０を固定された裏表紙１０１８と対向する表表紙１０１６又は綴じ具９０１０を固定された裏表紙１０１８と交差する背表紙１０１４からのびる押圧保持部１０３２は、綴じ具９０１０を固定された裏表紙１０１８又は綴じ具９０１０を固定された裏表紙１０１８に交差する背表紙１０１４からのび、前記支持部１０３４と押圧保持部１０３２とは、連結され、且つ裏表紙１０１８と綴じ具の背表紙側の綴環（第１の綴環の半割杆９０１２ｂ及び第２の綴環の半割杆９０１４ｂ）との間において、架け渡され、表紙１０１２の背表紙１０１４と綴じ具９０１０との間に位置し、表紙１０１２を開いたときに、表紙１０１２の内側に近いか略々同じ面に位置し、且つ表紙１０１２を閉じたときに、一方の表表紙１０１６が閉じられるに従って綴じ具９０１０に沿って他方の裏表紙１０１８側に向けて被綴じ物Ｓを押圧するように構成されている。
【０１８０】
垂れ防止押圧作用体１０３０は、ファイル表紙を閉じたときに表表紙１０１６と背表紙１０１４とのなす角度が略１８０度から略９０度に縮まり、第２折れ曲がり部１０４２と第３折れ曲がり部１０４４との間隔も縮まることにより、押圧保持部１０３２は第２折れ曲がり部１０４２を中心に回動し、支持部１０３４は第３折れ曲がり部１０４４を中心に回動し起きて、閉じられる表表紙１０１６又はその近傍の背表紙１０１４の内面に位置する被綴じ物Ｓの綴じ具９０１０の近傍の領域を、綴じ具９０１０の第１の綴環９０１２及び第２の綴環９０１４の形状に沿って押圧する。
【０１８１】
背表紙１０１４は、幅方向に向けて形成された切り込みによって区画された領域により構成された垂れ防止押圧作用体１０３０が、ファイル表紙１０１２を表側薄肉ヒンジ部１０２０及び裏側薄肉ヒンジ部１０２２において折り曲げて閉じたときに、背表紙１０１４の内側に向けて凹むことにより形成された貫通孔により、指を掛ける指かけ孔１０２８を形成される。
【０１８２】
図７１は、本発明の一実施の形態である表紙構造を備えたファイルの斜視図解図である。図７２は、図７１図示ファイルの表紙を開いた状態の平面図解図であり、図７３は、図７１図示ファイルの表紙を開いた状態の断面図解図である。図７４は、図７１図示ファイルの表紙を閉じた状態の断面図解図である。
【０１８３】
この発明の実施の形態であるファイル１１１０は、表紙１１１２と、表紙１１１２に固定された綴じ具９０１０とを含む。
【０１８４】
表紙１１１２は、背表紙１１１４と、前記背表紙１１１４の両端に開閉自在に延設された、表表紙１１１６及び前記綴じ具９０１０の保持部材を固定する裏表紙１１１８とを備え、図７１及び７５に示すように、表表紙１１１６と裏表紙１１１８が背表紙１１１４に対して立設状態となり対向するように連設され、幅（Ａ）と高さ（Ｂ）と背幅（Ｃ）とを有する。
そして、表表紙１１１６及び裏表紙１１１８は、背表紙１１１４寄りに高さ（Ｂ）方向にのびる開閉用の表側薄肉ヒンジ部１１２０及び裏側薄肉ヒンジ部１１２２が設けられ、表側薄肉ヒンジ部１１２０と裏側薄肉ヒンジ部１１２２とは、平行でその間において背幅（Ｃ）を構成する。
【０１８５】
表表紙１１１６の開閉を可能にする表側薄肉ヒンジ部１１２０及び裏表紙１１１８の開閉を可能にする裏側薄肉ヒンジ部１１２２は、断面略Ｖ字溝であり、表側薄肉ヒンジ部１１２０と裏側薄肉ヒンジ部１１２２とは、それぞれ平行である。表側薄肉ヒンジ部１１２０は、背表紙１１１４と表表紙１１１６との境界に設けられており、裏側薄肉ヒンジ部１１２２は、背表紙１１１４と裏表紙１１１８との境界に設けられている。
【０１８６】
この綴じ具９０１０の綴環９０１２、９０１４は，Ｄ字型であり、綴じ具の長さ（Ｄ）と綴じ具の幅（Ｅ）とを有する。
この綴じ具９０１０の綴環は、第１の綴環９０１２と第２の綴環９０１４とからなるが、第１の綴環９０１２の半割杆９０１２ａと半割杆９０１２ｂ及び第２の綴環９０１４の半割杆９０１４ａと半割杆９０１４ｂとがそれぞれ線対称ではなく、その形状が異なる。
すなわち、第１の綴環９０１２の半割杆９０１２ａ及び第２の綴環９０１４の半割杆９０１４ａは、略コ字型であり、もう一方の（第１の綴環９０１２の）半割杆９０１２ｂ及び（第２の綴環９０１４の）半割杆９０１４ｂは、半円弧状であり、背表紙１１１４側に位置する。
綴環９０１２と綴環９０１４とは、綴じ具の長さ（Ｄ）方向において適宜な間隔をおいて分かれており、綴環９０１２及び綴環９０１４ののびる方向、すなわち長さ（Ｆ）方向を有する。綴環９０１２及び綴環９０１４の長さ（Ｆ）方向は、表紙８１２の幅（Ａ）方向すなわち表側薄肉ヒンジ部１１２０及び裏側薄肉ヒンジ部１１２２と直交し表紙１１１２の内表面と直交する平面（仮想面）上においてのびる。
【０１８７】
綴じ具９０１０は、裏側薄肉ヒンジ部１１２２との間に少し距離をおいて、裏表紙１１１８の内面に固定されており、綴環９０１２及び綴環９０１４の基部と頂部との間の長さ（すなわち綴環９０１２及び綴環９０１４の高さ（Ｇ））は、背表紙１１１４の背幅と略同等もしくはわずかに長く形成されている。綴環９０１２及び綴環９０１４の基部と頂部との間の長さ（すなわち綴環９０１２及び綴環９０１４の高さ（Ｇ））が、背表紙１１１４の背幅（Ｃ）より長いときは、表表紙１１１６の接し合う部分に貫通孔からなる綴じ具嵌挿孔１１１６ａが穿設される。
【０１８８】
このファイル１１１０は、綴じ具９０１０を長さ方向に立てたとき、被綴じ物Ｓを垂れないようにするための垂れ防止手段がファイルの表紙１１１２の内側に進退自在に形成されているとともに、綴じ具９０１０に綴じられた被綴じ物Ｓの綴じ代側端縁Ｓ１に当接し、一方の表表紙１１１６が閉じられるときに、一方の表表紙１１１６が閉じられるに従って綴じ具９０１０に沿って他方の裏表紙１１１８に向けて被綴じ物Ｓを押圧する押圧作用手段を、表紙１１１２の内側に起伏自在に形成されている。
この実施の形態においては、垂れ防止手段と押圧作用手段とは、一体化された垂れ防止押圧作用体１１３０として構成されている。
垂れ防止押圧作用体１１３０は、表紙１１１２の高さ方向において上下に分かれて一対形成されており、上の垂れ防止押圧作用体１１３０Ａと下の垂れ防止押圧作用体１１３０Ｂとは、対称に形成されている。
垂れ防止押圧作用体１１３０は、ファイル表紙１１１２の表表紙１１１６を表側薄肉ヒンジ部１１２０において折り曲げて閉じたときに、表表紙１１１６と背表紙１１１４とのなす角度が略１８０度から略９０度に縮まり、その折り曲げに対応してファイル表紙１１１２の表側薄肉ヒンジ部１１２０に沿って折れ曲がり、被綴じ物Ｓの綴じ代側端縁Ｓ１に向けて突き出るように、形成される。
【０１８９】
垂れ防止押圧作用体１１３０は、表紙１１１２の内側に取り付けられた垂れ防止押圧作用手段を構成する立ち上がり部材により構成され、表表紙１１１６、裏表紙１１１８及び背表紙１１１４のうち少なくとも二つの間に架け渡された立ち上がり部を有する。
一方の立ち上がり部が表表紙１１１６、裏表紙１１１８及び背表紙１１１４のうち一つに連結され、他方の立ち上がり部が前記一方の立ち上がり部が連結されていない表表紙１１１６、裏表紙１１１８及び背表紙１１１４のうち一つに連結されている。
【０１９０】
垂れ防止押圧作用体１１３０は、綴じ具９０１０を取り付けられた裏表紙１１１８と背表紙１１１４とに続く分離スリット１１９０によって区画され、形成されている。分離スリット１１９０は、綴じ具９０１０の上下にあり、背表紙１１１４の第１の綴環９０１２及び第２の綴環９０１４の中央近くから、背表紙１１１４側にかけて、裏表紙１１１８及び背表紙１１１４に連続して表側薄肉ヒンジ部１１２０に直交する上下一対の第１分離スリット１１９０ａと第２分離スリット１１９０ｂとによって構成され、背表紙１１１４と裏表紙１１１８との間に架け渡された立ち上がり部を形成している。
【０１９１】
第１分離スリット１１９０ａと第２分離スリット１１９０ｂとによって囲まれた領域を立ち上がり部として、背表紙１１１４と裏表紙１１１８との内面より内側に向けて山形に立ち上がらせるために、中央において内方に向けて折れ曲がらせるための第１折れ曲がり部１１４０と、第１分離スリット１１９０ａの裏表紙１１１８側の端部と第２分離スリット１１９０ｂの裏表紙１１１８側の端部とを結ぶ第３折れ曲がり部１１４４と、第１分離スリット１１９０ａの背表紙１１１４側の端部と第２分離スリット１１９０ｂの背表紙１１１４とを結ぶ第２折れ曲がり部１１４２とを形成されている。
第１折れ曲がり部１１４０と第２折れ曲がり部１１４２と第３折れ曲がり部１１４４とは、平行に形成され、表紙１１１２の内側からみて、第１折れ曲がり部１１４０は内側に向けて山折りとなり、第２折れ曲がり部１１４２と第３折れ曲がり部１１４４とは谷折りとなる。
すなわち、前記一方の平面視方形状の立ち上がり部からなる押圧保持部１１３２と、平面視方形状の他方の立ち上がり部からなる支持部１１３４との間に、第１折れ曲がり部１１４０が形成されている。
更に、支持部１１３４は、第１折れ曲がり部１１４０とは反対側端縁に表表紙１１１６と連結し折曲自在とするための第２折れ曲がり部１１４２を表側薄肉ヒンジ部１１２０の近傍であって背表紙１１１４に形成され、第２折れ曲がり部１１４２は表側薄肉ヒンジ部１１２０と平行に形成されている。
また、押圧保持部１１３２は、第１折れ曲がり部１１４０とは反対側端縁に裏表紙１１１８と連結し折曲自在とするための第３折れ曲がり部１１４４を形成され、第３折れ曲がり部１１４４は表側薄肉ヒンジ部１１２０及び裏側薄肉ヒンジ部１１２２と平行に形成されている。
【０１９２】
垂れ防止押圧作用体１１３０は、ファイル表紙１１１２を表側薄肉ヒンジ部１１２０において折り曲げて閉じたときに、その折り曲げに対応してファイル表紙１１１２の表側薄肉ヒンジ部１１２０に沿って第１折れ曲がり部１１４０において内側に向けて突き出る山折り状（表紙の外側からみて谷折り状）に折れ曲がり、且つ第２折れ曲がり部１１４２及び第３折れ曲がり部１１４４において外側に向けて凹む谷折り状（表紙の外側からみて山折り状）に折れ曲がり、被綴じ物Ｓの綴じ代側端縁Ｓ１に向けて突き出るように形成されている。
【０１９３】
押圧保持部１１３２の幅（第１折れ曲がり部１１４０と第３折れ曲がり部１１４４との間の長さ）は、背表紙１１１４の裏側薄肉ヒンジ部１１２２と第２折れ曲がり部１１４２の位置との幅と略同一であるために、表紙１１１２を開いたときに、押圧保持部１１３２及び支持部１１３４は、表紙１１１２の内側面に近い位置まで接近する。
【０１９４】
垂れ防止押圧作用体１１３０は、表紙１１１２の背表紙１１１４と綴じ具９０１０との間に位置し、表表紙１１１６を開いたときに表表紙１１１６の内側に近いか略々同じ面に位置し、且つ表表紙１１１６を閉じたときに一方の表表紙１１１６が閉じられるに従って綴じ具９０１０に沿って他方の裏表紙１１１８に向けて被綴じ物Ｓの綴じ代側端縁Ｓ１を押圧するように構成されている。
【０１９５】
第１折れ曲がり部１１４０と第２折れ曲がり部１１４２と第３折れ曲がり部１１４４と平行になるように、且つ表表紙１１１６の表側薄肉ヒンジ部１１２０及び裏表紙１１１４の裏側薄肉ヒンジ部１１２２と平行になるように、垂れ防止押圧作用体１１３０は、第２折れ曲がり部１１４２を介して表表紙１１１６と接続され、第３折れ曲がり部１１４４を介して背表紙１１１４と接続されている。
而して、垂れ防止手段１１３０の第１折れ曲がり部１１４０と第２折れ曲がり部１１４２と第３折れ曲がり部１１４４とは、表側薄肉ヒンジ部１１２０及び裏側薄肉ヒンジ部１１２２と直交するとともに綴環９０１２と綴環９０１４とを結ぶ長さ（Ｄ）方向にのびる。
【０１９６】
第３折れ曲がり部１１４４は、第１の綴環９０１２の基部と第２の綴環の基部との中間、すなわち綴じ具９０１０に綴じられた被綴じ物Ｓの綴じ代側端縁Ｓ１の位置にほぼ近い位置に位置している。
したがって、垂れ防止押圧作用体１１３０を立ち上げたときに、押圧保持部１１３２は、裏表紙１１１８に対して略垂直に立ち上がり、被綴じ物Ｓの綴じ代側端縁Ｓ１に接近し綴じ代側端縁Ｓ１の列と対向して、被綴じ物Ｓを保持する。
第２折れ曲がり部１１４２は、表表紙１１１６を閉じるときに垂れ防止押圧作用体１１３０を立ち上げ易くするために、裏側薄肉ヒンジ部１１２２より離れた位置に位置している。この実施の形態においては、裏側薄肉ヒンジ部１１２２を枢軸として閉じられる背表紙１１１４及び表表紙１１１６の動作に対応して、第１折れ曲がり部１１４０を頂点として山型に折れ曲がり立ち上がり易くするために、垂れ防止押圧作用体１１３０の第２折れ曲がり部１１４２は、表側薄肉ヒンジ部１１２０の近傍に位置している。
【０１９７】
垂れ防止押圧作用体１１３０は、ファイル表紙を閉じたときに、ファイル表紙に表紙１１１２の表表紙１１１６と背表紙１１１４との角度が略１８０度から略９０度に縮まり、第２折れ曲がり部１１４２と第３折れ曲がり部１１４４との間隔も縮まることにより、押圧保持部１１３２は第２折れ曲がり部１１４２を中心に回動し、支持部１１３４は第３折れ曲がり部１１４４を中心に回動して、押圧保持部１１３２が被綴じ物Ｓの綴じ代側端縁Ｓ１に向けて突き出て進み、その綴じ代側端縁Ｓ１を保持する。
【０１９８】
垂れ防止押圧作用体１１３０は、綴じ具９０１０を固定された裏表紙１１１８と対向する表表紙１１１６又は綴じ具９０１０を固定された裏表紙１１１８と交差する背表紙１１１４からのびる支持部１１３４と、綴じ具９０１０を固定された裏表紙１１１８又は綴じ具９０１０を固定された裏表紙１１１８に交差する背表紙１１１４からのびる押圧保持部１１３２とを有する。
押圧保持部１１３２は、表紙１１１２を開いたとき綴じ具９０１０の第１の綴環９０１２及び第２の綴環９０１４の基部側からのび、支持部１１３４は、綴じ具９０１０の第１の綴環９０１２及び第２の綴環９０１４の頂部側からのびる。
表紙１１１２を開いたとき、綴じ具９０１０を固定された裏表紙１１１８と対向する表表紙１１１６に近い位置に位置し、表紙１１１２を閉じたときに、綴じ具９０１０を固定された表表紙１１１６と交差する背表紙１１１４と離れた位置に位置するように、支持部１１３４及び押圧保持部１１３２は、その境で屈曲自在になるように構成され、表紙１１１２の内側に連設されている。
【０１９９】
支持部１１３４は、綴じ具９０１０を固定された裏表紙１１１８と対向する表表紙１１１６又は綴じ具９０１０を固定された裏表紙１１１８と交差する背表紙１１１４からのびる押圧保持部１１３２は、綴じ具９０１０を固定された裏表紙１１１８又は綴じ具９０１０を固定された裏表紙１１１８に交差する背表紙１１１４からのび、前記支持部１１３４と押圧保持部１１３２とは、連結され、且つ裏表紙１１１８と綴じ具の背表紙側の綴環（第１の綴環の半割杆９０１２ｂ及び第２の綴環の半割杆９０１４ｂ）との間において、架け渡され、表紙１１１２の背表紙１１１４と綴じ具９０１０との間に位置し、表紙１１１２を開いたときに、表紙１１１２の内側に近いか略々同じ面に位置し、且つ表紙１１１２を閉じたときに、一方の表表紙１１１６が閉じられるに従って綴じ具９０１０に沿って他方の裏表紙１１１８側に向けて被綴じ物Ｓを押圧するように構成されている。
【０２００】
垂れ防止押圧作用体１１３０は、ファイル表紙を閉じたときに表表紙１１１６と背表紙１１１４とのなす角度が略１８０度から略９０度に縮まり、第２折れ曲がり部１１４２と第３折れ曲がり部１１４４との間隔も縮まることにより、押圧保持部１１３２は第２折れ曲がり部１１４２を中心に回動し、支持部１１３４は第３折れ曲がり部１１４４を中心に回動し起きて、閉じられる表表紙１１１６又はその近傍の背表紙１１１４の内面に位置する被綴じ物Ｓの綴じ具９０１０の近傍の領域を、綴じ具９０１０の第１の綴環９０１２及び第２の綴環９０１４の形状に沿って押圧する。
【０２０１】
背表紙１１１４は、幅方向に向けて形成された切り込みによって区画された領域により構成された垂れ防止押圧作用体１１３０が、ファイル表紙１１１２を表側薄肉ヒンジ部１１２０及び裏側薄肉ヒンジ部１１２２において折り曲げて閉じたときに、背表紙１１１４の内側に向けて凹むことにより形成された貫通孔により、指を掛ける指かけ孔１１２８を形成される。
【０２０２】
図７６は、本発明の一実施の形態である表紙構造を備えたファイルの斜視図解図である。図７７は、図６１図示ファイルの表紙を開いた状態の平面図解図であり、図７８は、図７６図示ファイルの表紙を開いた状態の断面図解図である。図７９は、図７６図示ファイルの表紙を閉じた状態の断面図解図である。
【０２０３】
この発明の実施の形態であるファイル１２１０は、表紙１２１２と、表紙１２１２に固定された綴じ具９０１０とを含む。
【０２０４】
表紙１２１２は、背表紙１２１４と、前記背表紙１２１４の両端に開閉自在に延設された、表表紙１２１６及び前記綴じ具９０１０の保持部材を固定する裏表紙１２１８とを備え、図７６及び８０に示すように、表表紙１２１６と裏表紙１２１８が背表紙１２１４に対して立設状態となり対向するように連設され、幅（Ａ）と高さ（Ｂ）と背幅（Ｃ）とを有する。
そして、表表紙１２１６及び裏表紙１２１８は、背表紙１２１４寄りに高さ（Ｂ）方向にのびる開閉用の表側薄肉ヒンジ部１２２０及び裏側薄肉ヒンジ部１２２２が設けられ、表側薄肉ヒンジ部１２２０と裏側薄肉ヒンジ部１２２２とは、平行でその間において背幅（Ｃ）を構成する。
【０２０５】
表表紙１２１６の開閉を可能にする表側薄肉ヒンジ部１２２０及び裏表紙１２１８の開閉を可能にする裏側薄肉ヒンジ部１２２２は、断面略Ｖ字溝であり、表側薄肉ヒンジ部１２２０と裏側薄肉ヒンジ部１２２２とは、それぞれ平行である。表側薄肉ヒンジ部１２２０は、背表紙１２１４と表表紙１２１６との境界設けられており、裏側薄肉ヒンジ部１２２２は、背表紙１２１４と裏表紙１２１８との境界に設けられている。
【０２０６】
この綴じ具９０１０の綴環９０１２、９０１４は，Ｄ字型であり、綴じ具の長さ（Ｄ）と綴じ具の幅（Ｅ）とを有する。
この綴じ具９０１０の綴環は、第１の綴環９０１２と第２の綴環９０１４とからなるが、第１の綴環９０１２の半割杆９０１２ａと半割杆９０１２ｂ及び第２の綴環９０１４の半割杆９０１４ａと半割杆９０１４ｂとがそれぞれ線対称ではなく、その形状が異なる。
すなわち、第１の綴環９０１２の半割杆９０１２ａ及び第２の綴環９０１４の半割杆９０１４ａは、略コ字型であり、もう一方の（第１の綴環９０１２の）半割杆９０１２ｂ及び（第２の綴環９０１４の）半割杆９０１４ｂは、半円弧状であり、背表紙１２１４側に位置する。
綴環９０１２と綴環９０１４とは、綴じ具の長さ（Ｄ）方向において適宜な間隔をおいて分かれており、綴環９０１２及び綴環９０１４ののびる方向、すなわち長さ（Ｆ）方向を有する。綴環９０１２及び綴環９０１４の長さ（Ｆ）方向は、表紙１２１２の幅（Ａ）方向すなわち表側薄肉ヒンジ部１２２０及び裏側薄肉ヒンジ部１２２２と直交し表紙１２１２の内表面と直交する平面（仮想面）上においてのびる。
【０２０７】
綴じ具９０１０は、裏側薄肉ヒンジ部１２２２との間に少し距離をおいて、裏表紙１２１８の内面に固定されており、綴環９０１２及び綴環９０１４の基部と頂部との間の長さ（すなわち綴環９０１２及び綴環９０１４の高さ（Ｇ））は、背表紙１２１４の背幅と略同等もしくはわずかに長く形成されている。綴環９０１２及び綴環９０１４の基部と頂部との間の長さ（すなわち綴環９０１２及び綴環９０１４の高さ（Ｇ））が、背表紙１２１４の背幅（Ｃ）より長いときは、表表紙１２１６の接し合う部分に貫通孔からなる綴じ具嵌挿孔１２１６ａが穿設される。
【０２０８】
このファイル１２１０は、綴じ具９０１０を長さ方向に立てたとき、被綴じ物Ｓを垂れないようにするための垂れ防止手段がファイルの表紙１２１２の内側に進退自在に形成されているとともに、綴じ具９０１０に綴じられた被綴じ物Ｓの綴じ代側端縁Ｓ１に当接し、一方の表表紙１２１６が閉じられるときに、一方の表表紙１２１６が閉じられるに従って綴じ具９０１０に沿って他方の裏表紙１２１８に向けて被綴じ物Ｓを押圧する押圧作用手段を、表紙１２１２の内側に起伏自在に形成されている。
この実施の形態においては、垂れ防止手段と押圧作用手段とは、一体化された垂れ防止押圧作用体１２３０として構成されている。
垂れ防止押圧作用体１２３０は、表紙１２１２の高さ方向において上下に分かれて一対形成されており、上の垂れ防止押圧作用体１２３０Ａと下の垂れ防止押圧作用体１２３０Ｂとは、対称に形成されている。
垂れ防止押圧作用体１２３０は、ファイル表紙１２１２の表表紙１２１６を表側薄肉ヒンジ部１２２０において折り曲げて閉じたときに、表表紙１２１６と背表紙１２１４とのなす角度が略１８０度から略９０度に縮まり、その折り曲げに対応してファイル表紙１２１２の表側薄肉ヒンジ部１２２０に沿って折れ曲がり、被綴じ物Ｓの綴じ代側端縁Ｓ１に向けて突き出るように、形成される。
【０２０９】
垂れ防止押圧作用体１２３０は、表紙１２１２の内側に取り付けられた垂れ防止押圧作用手段を構成する立ち上がり部材により構成され、表表紙１２１６、裏表紙１２１８及び背表紙１２１４のうち少なくとも二つの間に架け渡された立ち上がり部を有する。
一方の立ち上がり部が表表紙１２１６、裏表紙１２１８及び背表紙１２１４のうち一つに連結され、他方の立ち上がり部が前記一方の立ち上がり部が連結されていない表表紙１２１６、裏表紙１２１８及び背表紙１２１４のうち一つに連結されている。
【０２１０】
垂れ防止押圧作用体１２３０は、綴じ具９０１０を取り付けられた裏表紙１２１８と背表紙１２１４とに続く分離スリット１２９０によって区画され、形成されている。分離スリット１２９０は、綴じ具９０１０の上下であって、背表紙１２１４の第１の綴環９０１２及び第２の綴環９０１４の中央近くから、背表紙１２１４側にかけて、裏表紙１２１８及び背表紙１２１４に連続して表側薄肉ヒンジ部１２２０に直交する上下一対の第１分離スリット１２９０ａと第２分離スリット１２９０ｂとによって構成され、背表紙１２１４と裏表紙１２１８との間に架け渡された立ち上がり部を形成している。
【０２１１】
第１分離スリット１２９０ａと第２分離スリット１２９０ｂとによって囲まれた領域を立ち上がり部として、背表紙１２１４と裏表紙１２１８との内面より内側に向けて山形に立ち上がらせるために、中央において内方に向けて折れ曲がらせるための第１折れ曲がり部１２４０と、第１分離スリット１２９０ａの裏表紙１２１８側の端部と第２分離スリット１２９０ｂの裏表紙１２１８側の端部とを結ぶ第３折れ曲がり部１２４４と、第１分離スリット１２９０ａの背表紙１２１４側の端部と第２分離スリット１２９０ｂの背表紙１２１４とを結ぶ第２折れ曲がり部１２４２とを形成されている。
第１折れ曲がり部１２４０と第２折れ曲がり部１２４２と第３折れ曲がり部１２４４とは、平行に形成され、表紙１２１２の内側からみて、第１折れ曲がり部１２４０は内側に向けて山折りとなり、第２折れ曲がり部１２４２と第３折れ曲がり部１２４４とは谷折りとなる。
すなわち、前記一方の平面視方形状の立ち上がり部からなる押圧保持部１２３２と、平面視方形状の他方の立ち上がり部からなる支持部１２３４との間に、第１折れ曲がり部１２４０が形成されている。
更に、支持部１２３４は、第１折れ曲がり部１２４０とは反対側端縁に表表紙１２１６と連結し折曲自在とするための第２折れ曲がり部１２４２を表側薄肉ヒンジ部１２２０の近傍で裏表紙１２１８側に離れた位置に形成され、第２折れ曲がり部１２４２は表側薄肉ヒンジ部１２２０と平行に形成されている。
また、押圧保持部１２３２は、第１折れ曲がり部１２４０とは反対側端縁に裏表紙１２１８の連結し折曲自在とするための第３折れ曲がり部１２４４を形成され、第３折れ曲がり部１２４４は表側薄肉ヒンジ部１２２０及び裏側薄肉ヒンジ部１２２２と平行に形成されている。
【０２１２】
押圧保持部１２３２は、表表紙１２１６側の端縁に、第１折れ曲がり部１２４０より表表紙１２１６側に向けて突き出る保持突片１２３６が突設されており、表紙１２１２を閉じたときに、表表紙１２１６側にある被綴じ物Ｓの綴じ代側端縁Ｓ１を係止することができるように形成されている。
この実施の形態においては、第１折れ曲がり部１２４０から押圧保持部１２３２にのびるＵ字状のスリット１２３６Ａによって、押圧保持部１２３２から分離され、第１折れ曲がり部１２４０において押圧保持部１２３２と支持部１２３４とを折り曲げたときに、保持突片１２３６は、押圧保持部１２３２より平板状に延長するように構成されている。
【０２１３】
保持突片１２３６は、図７９（Ａ）において示すように、表表紙１２１６の内側面に近傍に達する長さでもよいが、図７９（Ｂ）及び６５において示すように、表表紙１２１６に保持突片１２３６を貫挿する穴１２１６ｂを穿設して、穴１２１６ｂに嵌挿させて表表紙１２１６の内部に至る長さでもよい。
【０２１４】
垂れ防止押圧作用体１２３０は、ファイル表紙１２１２を表側薄肉ヒンジ部１２２０において折り曲げて閉じたときに、その折り曲げに対応してファイル表紙１２１２の表側薄肉ヒンジ部１２２０に沿って第１折れ曲がり部１２４０において内側に向けて突き出る山折り状（表紙の外側からみて谷折り状）に折れ曲がり、且つ第２折れ曲がり部１２４２及び第３折れ曲がり部１２４４において外側に向けて凹む谷折り状（表紙の外側からみて山折り状）に折れ曲がり、被綴じ物Ｓの綴じ代側端縁Ｓ１に向けて突き出るように形成されている。
【０２１５】
垂れ防止押圧作用体１２３０は、表紙１２１２の背表紙１２１４と綴じ具９０１０との間に位置し、表表紙１２１６を開いたときに表表紙１２１６の内側に近いか略々同じ面に位置し、且つ表表紙１２１６を閉じたときに一方の表表紙１２１６が閉じられるに従って綴じ具９０１０に沿って他方の裏表紙１２１８に向けて被綴じ物Ｓの綴じ代側端縁Ｓ１を押圧するように構成されている。
【０２１６】
第１折れ曲がり部１２４０と第２折れ曲がり部１２４２と第３折れ曲がり部１２４４と平行になるように、且つ表表紙１２１６の表側薄肉ヒンジ部１２２０及び裏表紙１２１４の裏側薄肉ヒンジ部１２２２と平行になるように、垂れ防止押圧作用体１２３０は、第２折れ曲がり部１２４２を介して表表紙１２１６と接続され、第３折れ曲がり部１２４４を介して背表紙１２１４と接続されている。
而して、垂れ防止手段１２３０の第１折れ曲がり部１２４０と第２折れ曲がり部１２４２と第３折れ曲がり部１２４４とは、表側薄肉ヒンジ部１２２０及び裏側薄肉ヒンジ部１２２２と直交するとともに綴環９０１２と綴環９０１４とを結ぶ長さ（Ｄ）方向にのびる。
【０２１７】
第３折れ曲がり部１２４４は、第１の綴環９０１２の基部と第２の綴環の基部との中間、すなわち綴じ具９０１０に綴じられた被綴じ物Ｓの綴じ代側端縁Ｓ１の位置にほぼ近い位置に位置している。
したがって、垂れ防止押圧作用体１２３０を立ち上げたときに、押圧保持部１２３２は、裏表紙１２１８に対して略垂直に立ち上がり、被綴じ物Ｓの綴じ代側端縁Ｓ１に接近し綴じ代側端縁Ｓ１の列と対向して、被綴じ物Ｓを保持する。
第２折れ曲がり部１２４２は、表表紙１２１６を閉じるときに垂れ防止押圧作用体１２３０を立ち上げ易くするために、裏側薄肉ヒンジ部１２２２より離れた位置に位置している。この実施の形態においては、裏側薄肉ヒンジ部１２２２を枢軸として閉じられる背表紙１２１４及び表表紙１２１６の動作に対応して、第１折れ曲がり部１２４０を頂点として山型に折れ曲がり立ち上がり易くするために、垂れ防止押圧作用体１２３０の第２折れ曲がり部１２４２は、表側薄肉ヒンジ部１２２０の近傍に位置している。
【０２１８】
垂れ防止押圧作用体１２３０は、ファイル表紙を閉じたときに、ファイル表紙に表紙１２１２の表表紙１２１６と背表紙１２１４との角度が略１８０度から略９０度に縮まり、第２折れ曲がり部１２４２と第３折れ曲がり部１２４４との間隔も縮まることにより、押圧保持部１２３２は第２折れ曲がり部１２４２を中心に回動し、支持部１２３４は第３折れ曲がり部１２４４を中心に回動して、押圧保持部１２３２が被綴じ物Ｓの綴じ代側端縁Ｓ１に向けて突き出て進み、その綴じ代側端縁Ｓ１を保持する。
【０２１９】
垂れ防止押圧作用体１２３０は、綴じ具９０１０を固定された裏表紙１２１８と対向する表表紙１２１６又は綴じ具９０１０を固定された裏表紙１２１８と交差する背表紙１２１４からのびる支持部１２３４と、綴じ具９０１０を固定された裏表紙１２１８又は綴じ具９０１０を固定された裏表紙１２１８に交差する背表紙１２１４からのびる押圧保持部１２３２とを有する。
押圧保持部１２３２は、表紙１２１２を開いたとき綴じ具９０１０の第１の綴環９０１２及び第２の綴環９０１４の基部側からのび、支持部１２３４は、綴じ具９０１０の第１の綴環９０１２及び第２の綴環９０１４の頂部側からのびる。
表紙１２１２を開いたとき、綴じ具９０１０を固定された裏表紙１２１８と対向する表表紙１２１６に近い位置に位置し、表紙１２１２を閉じたときに、綴じ具９０１０を固定された表表紙１２１６と交差する背表紙１２１４と離れた位置に位置するように、支持部１２３４及び押圧保持部１２３２は、その境で屈曲自在になるように構成され、表紙１２１２の内側に連設されている。
【０２２０】
支持部１２３４は、綴じ具９０１０を固定された裏表紙１２１８と対向する表表紙１２１６又は綴じ具９０１０を固定された裏表紙１２１８と交差する背表紙１２１４からのびる押圧保持部１２３２は、綴じ具９０１０を固定された裏表紙１２１８又は綴じ具９０１０を固定された裏表紙１２１８に交差する背表紙１２１４からのび、前記支持部１２３４と押圧保持部１２３２とは、連結され、且つ裏表紙１２１８と綴じ具の背表紙側の綴環（第１の綴環の半割杆９０１２ｂ及び第２の綴環の半割杆９０１４ｂ）との間において、架け渡され、表紙１２１２の背表紙１２１４と綴じ具９０１０との間に位置し、表紙１２１２を開いたときに、表紙１２１２の内側に近いか略々同じ面に位置し、且つ表紙１２１２を閉じたときに、一方の表表紙１２１６が閉じられるに従って綴じ具９０１０に沿って他方の裏表紙１２１８側に向けて被綴じ物Ｓを押圧するように構成されている。
【０２２１】
垂れ防止押圧作用体１２３０は、ファイル表紙を閉じたときに表表紙１２１６と背表紙１２１４とのなす角度が略１８０度から略９０度に縮まり、第２折れ曲がり部１２４２と第３折れ曲がり部１２４４との間隔も縮まることにより、押圧保持部１２３２は第２折れ曲がり部１２４２を中心に回動し、支持部１２３４は第３折れ曲がり部１２４４を中心に回動し起きて、閉じられる表表紙１２１６又はその近傍の背表紙１２１４の内面に位置する被綴じ物Ｓの綴じ具９０１０の近傍の領域を、綴じ具９０１０の第１の綴環９０１２及び第２の綴環９０１４の形状に沿って押圧する。
【０２２２】
背表紙１２１４は、幅方向に向けて形成された切り込みによって区画された領域により構成された垂れ防止押圧作用体１２３０が、ファイル表紙１２１２を表側薄肉ヒンジ部１２２０及び裏側薄肉ヒンジ部１２２２において折り曲げて閉じたときに、背表紙１２１４の内側に向けて凹むことにより形成された貫通孔により、指を掛ける指かけ孔１２２８を形成される。
【０２２３】
図８１は、本発明の一実施の形態である表紙構造を備えたファイルの斜視図解図である。図８２は、図８１図示ファイルの表紙を開いた状態の平面図解図であり、図８３は、図８１図示ファイルの表紙を開いた状態の断面図解図である。図８４は、図８１図示ファイルの表紙を閉じた状態の断面図解図である。
【０２２４】
この発明の実施の形態であるファイル１３１０は、表紙１３１２と、表紙１３１２に固定された綴じ具９０１０とを含む。
【０２２５】
表紙１３１２は、背表紙１３１４と、前記背表紙１３１４の両端に開閉自在に延設された、表表紙１３１６及び前記綴じ具９０１０の保持部材を固定する裏表紙１３１８とを備え、図８１及び８４に示すように、表表紙１３１６と裏表紙１３１８が背表紙１３１４に対して立設状態となり対向するように連設され、幅（Ａ）と高さ（Ｂ）と背幅（Ｃ）とを有する。
そして、表表紙１３１６及び裏表紙１３１８は、背表紙１３１４寄りに高さ（Ｂ）方向にのびる開閉用の表側薄肉ヒンジ部１３２０及び裏側薄肉ヒンジ部１３２２が設けられ、表側薄肉ヒンジ部１３２０と裏側薄肉ヒンジ部１３２２とは、平行でその間において背幅（Ｃ）を構成する。
【０２２６】
表表紙１３１６の開閉を可能にする表側薄肉ヒンジ部１３２０及び裏表紙１３１８の開閉を可能にする裏側薄肉ヒンジ部１３２２は、断面略Ｖ字溝であり、表側薄肉ヒンジ部１３２０と裏側薄肉ヒンジ部１３２２とは、それぞれ平行である。表側薄肉ヒンジ部１３２０は、背表紙１３１４と表表紙１３１６との境界設けられており、裏側薄肉ヒンジ部１３２２は、背表紙１３１４と裏表紙１３１８との境界に設けられている。
【０２２７】
この綴じ具９０１０の綴環９０１２、９０１４は，Ｄ字型であり、綴じ具の長さ（Ｄ）と綴じ具の幅（Ｅ）とを有する。
この綴じ具９０１０の綴環は、第１の綴環９０１２と第２の綴環９０１４とからなるが、第１の綴環９０１２の半割杆９０１２ａと半割杆９０１２ｂ及び第２の綴環９０１４の半割杆９０１４ａと半割杆９０１４ｂとがそれぞれ線対称ではなく、その形状が異なる。
すなわち、第１の綴環９０１２の半割杆９０１２ａ及び第２の綴環９０１４の半割杆９０１４ａは、略コ字型であり、もう一方の（第１の綴環９０１２の）半割杆９０１２ｂ及び（第２の綴環９０１４の）半割杆９０１４ｂは、半円弧状であり、背表紙１３１４側に位置する。
綴環９０１２と綴環９０１４とは、綴じ具の長さ（Ｄ）方向において適宜な間隔をおいて分かれており、綴環９０１２及び綴環９０１４ののびる方向、すなわち長さ（Ｆ）方向を有する。綴環９０１２及び綴環９０１４の長さ（Ｆ）方向は、表紙１３１２の幅（Ａ）方向すなわち表側薄肉ヒンジ部１３２０及び裏側薄肉ヒンジ部１３２２と直交し表紙１３１２の内表面と直交する平面（仮想面）上においてのびる。
【０２２８】
綴じ具９０１０は、裏側薄肉ヒンジ部１３２２との間に少し距離をおいて、裏表紙１３１８の内面に固定されており、綴環９０１２及び綴環９０１４の基部と頂部との間の長さ（すなわち綴環９０１２及び綴環９０１４の高さ（Ｇ））は、背表紙１３１４の背幅と略同等もしくはわずかに長く形成されている。綴環９０１２及び綴環９０１４の基部と頂部との間の長さ（すなわち綴環９０１２及び綴環９０１４の高さ（Ｇ））が、背表紙１３１４の背幅（Ｃ）より長いときは、表表紙１３１６の接し合う部分に貫通孔からなる綴じ具嵌挿孔１３１６ａが穿設される。
【０２２９】
このファイル１３１０は、綴じ具９０１０を長さ方向に立てたとき、被綴じ物Ｓを垂れないようにするための垂れ防止手段がファイルの表紙１３１２の内側に進退自在に形成されているとともに、綴じ具９０１０に綴じられた被綴じ物Ｓの綴じ代側端縁Ｓ１に当接し、一方の表表紙１３１６が閉じられるときに、一方の表表紙１３１６が閉じられるに従って綴じ具９０１０に沿って他方の裏表紙１３１８に向けて被綴じ物Ｓを押圧する押圧作用手段を、表紙１３１２の内側に起伏自在に形成されている。
この実施の形態においては、垂れ防止手段と押圧作用手段とは、一体化された垂れ防止押圧作用体１３３０として構成されている。
垂れ防止押圧作用体１３３０は、表紙１３１２の高さ方向において上下に分かれて一対形成されており、上の垂れ防止押圧作用体１３３０Ａと下の垂れ防止押圧作用体１３３０Ｂとは、対称に形成されている。
垂れ防止押圧作用体１３３０は、ファイル表紙１３１２の表表紙１３１６を表側薄肉ヒンジ部１３２０において折り曲げて閉じたときに、表表紙１３１６と背表紙１３１４とのなす角度が略１８０度から略９０度に縮まり、その折り曲げに対応してファイル表紙１３１２の表側薄肉ヒンジ部１３２０に沿って折れ曲がり、被綴じ物Ｓの綴じ代側端縁Ｓ１に向けて突き出るように、形成される。
【０２３０】
垂れ防止押圧作用体１３３０は、表紙１３１２の内側に取り付けられた垂れ防止押圧作用手段を構成する立ち上がり部材により構成され、表表紙１３１６、裏表紙１３１８及び背表紙１３１４のうち少なくとも二つの間に架け渡された立ち上がり部を有する。
一方の立ち上がり部が表表紙１３１６、裏表紙１３１８及び背表紙１３１４のうち一つに連結され、他方の立ち上がり部が前記一方の立ち上がり部が連結されていない表表紙１３１６、裏表紙１３１８及び背表紙１３１４のうち一つに連結されている。
【０２３１】
垂れ防止押圧作用体１３３０は、上端縁と下端縁とを有し、上端縁と下端縁とを平行に形成した方形状である。
【０２３２】
垂れ防止押圧作用体１３３０は、背表紙１３１４と裏表紙１３１８との内面より内側に向けて山形に立ち上がらせるために、中央において内方に向けて折れ曲がらせるための第１折れ曲がり部１３４０と、表側薄肉ヒンジ部１３２０に沿って上端縁及び下端縁と直交して形成された第２折れ曲がり部１３４２と、第１の綴環９０１２及び第２の綴環９０１４の環の中央の下部において垂れ防止押圧作用体１３３０の上端縁及び下端縁と直交して形成された第３折れ曲がり部１３４４とを形成されている。
第１折れ曲がり部１３４０と第２折れ曲がり部１３４２と第３折れ曲がり部１３４４とは、平行に形成され、表紙１３１２の内側からみて、第１折れ曲がり部１３４０は内側に向けて山折りとなり、第２折れ曲がり部１３４２と第３折れ曲がり部１３４４とは谷折りとなる。
すなわち、前記一方の平面視方形状の立ち上がり部からなる押圧保持部１３３２と、平面視方形状の他方の立ち上がり部からなる支持部１３３４との間に、第１折れ曲がり部１３４０が形成されている。
更に、支持部１３３４は、第１折れ曲がり部１３４０とは反対側端縁に表表紙１３１６との連結のための第１連結部１３５０を有し、第１連結部１３５０の近傍に折曲自在とするために第２折れ曲がり部１３５２を形成されている。第２折れ曲がり部１３５２は、表側薄肉ヒンジ部１３２０に連続して形成されている。
また、押圧保持部１３３２は、第１折れ曲がり部１３４０とは反対側端縁に裏表紙１３１８との連結のための第２連結部１３５２を有し、第２連結部１３５２の近傍に折曲自在とするための第３折れ曲がり部１３４４を形成されている。
【０２３３】
第１折れ曲がり部１３４０と第２折れ曲がり部１３４２と第３折れ曲がり部１３４４と平行になるように、且つ表表紙１３１６の表側薄肉ヒンジ部１３２０及び裏表紙１３１４の裏側薄肉ヒンジ部１３２２と平行になるように、表表紙１３１６と第１連結部１３５０とが接続され、裏表紙１３１８と第２連結部１３５２とが接続されている。
而して、垂れ防止手段１３３０の第１折れ曲がり部１３４０と第２折れ曲がり部１３４２と第３折れ曲がり部１３４４とは、表側薄肉ヒンジ部１３２０及び裏側薄肉ヒンジ部１３２２と直交するとともに綴環９０１２と綴環９０１４とを結ぶ長さ（Ｄ）方向にのびる。
【０２３４】
垂れ防止押圧作用体１３３０は、ファイル表紙１３１２を表側薄肉ヒンジ部１３２０において折り曲げて閉じたときに、その折り曲げに対応してファイル表紙１３１２の表側薄肉ヒンジ部１３２０に沿って第１折れ曲がり部１３４０において内側に向けて突き出る山折り状（表紙の外側からみて谷折り状）に折れ曲がり、且つ第２折れ曲がり部１３４２及び第３折れ曲がり部１３４４において外側に向けて凹む谷折り状（表紙の外側からみて山折り状）に折れ曲がり、被綴じ物Ｓの綴じ代側端縁Ｓ１に向けて突き出るように形成されている。
【０２３５】
押圧保持部１３３２の幅（第１折れ曲がり部１３４０と第３折れ曲がり部１３４４との間の長さ）は、背表紙１３１４の裏側薄肉ヒンジ部１３２２と第２折れ曲がり部１３４２の位置との幅と略同一であるために、表紙１３１２を開いたときに、押圧保持部１３３２及び支持部１３３４は、表紙１３１２の内側面に近い位置まで接近する。
【０２３６】
垂れ防止押圧作用体１３３０は、表紙１３１２の背表紙１３１４と綴じ具９０１０との間に位置し、表表紙１３１６を開いたときに表表紙１３１６の内側に近いか略々同じ面に位置し、且つ表表紙１３１６を閉じたときに一方の表表紙１３１６が閉じられるに従って綴じ具９０１０に沿って他方の裏表紙１３１８に向けて被綴じ物Ｓの綴じ代側端縁Ｓ１を押圧するように構成されている。
【０２３７】
第３折れ曲がり部１３４４は、第１の綴環９０１２の基部と第２の綴環の基部との中間、すなわち綴じ具９０１０に綴じられた被綴じ物Ｓの綴じ代側端縁Ｓ１の位置にほぼ近い位置に位置している。
したがって、垂れ防止押圧作用体１３３０を立ち上げたときに、押圧保持部１３３２は、裏表紙１３１８に対して略垂直に立ち上がり、被綴じ物Ｓの綴じ代側端縁Ｓ１に接近し綴じ代側端縁Ｓ１の列と対向して、被綴じ物Ｓを保持する。
第２折れ曲がり部１３４２は、表表紙１３１６を閉じるときに垂れ防止押圧作用体１３３０を立ち上げ易くするために、裏側薄肉ヒンジ部１３２２より離れた位置に位置している。この実施の形態においては、裏側薄肉ヒンジ部１３２２を枢軸として閉じられる背表紙１３１４及び表表紙１３１６の動作に対応して、第１折れ曲がり部１３４０を頂点として山型に折れ曲がり立ち上がり易くするために、垂れ防止押圧作用体１３３０の第２折れ曲がり部１３４２は、表側薄肉ヒンジ部１３２０の近傍に位置している。
【０２３８】
垂れ防止押圧作用体１３３０は、ファイル表紙を閉じたときに、ファイル表紙に表紙１３１２の表表紙１３１６と背表紙１３１４との角度が略１８０度から略９０度に縮まり、第２折れ曲がり部１３４２と第３折れ曲がり部１３４４との間隔も縮まることにより押圧保持部１３３２は第２折れ曲がり部１３４２を中心に回動し、支持部１３３４は第３折れ曲がり部１３４４を中心に回動して、押圧保持部１３３２が被綴じ物Ｓの綴じ代側端縁Ｓ１に向けて突き出て進み、その綴じ代側端縁Ｓ１を保持する。
【０２３９】
垂れ防止押圧作用体１３３０は、綴じ具９０１０を固定された裏表紙１３１８と対向する表表紙１３１６又は綴じ具９０１０を固定された裏表紙１３１８と交差する背表紙１３１４からのびる支持部１３３４と、綴じ具９０１０を固定された裏表紙１３１８又は綴じ具９０１０を固定された裏表紙１３１８に交差する背表紙１３１４からのびる押圧保持部１３３２とを有する。
押圧保持部１３３２は、表紙１３１２を開いたとき綴じ具９０１０の第１の綴環９０１２及び第２の綴環９０１４の基部側からのび、支持部１３３４は、綴じ具９０１０の第１の綴環９０１２及び第２の綴環９０１４の頂部側からのびる。
表紙１３１２を開いたとき、綴じ具９０１０を固定された裏表紙１３１８と交差する表表紙１３１６に近い位置に位置し、表紙１３１２を閉じたときに、綴じ具９０１０を固定された表表紙１３１６と交差する背表紙１３１４と離れた位置に位置するように、支持部１３３４及び押圧保持部１３３２は、その境で屈曲自在になるように構成され、表紙１３１２の内側に連設されている。
【０２４０】
支持部１３３４は、綴じ具９０１０を固定された裏表紙１３１８と対向する表表紙１３１６又は綴じ具９０１０を固定された裏表紙１３１８と交差する背表紙１３１４からのびる押圧保持部１３３２は、綴じ具９０１０を固定された裏表紙１３１８又は綴じ具９０１０を固定された裏表紙１３１８に交差する背表紙１３１４からのび、前記支持部１３３４と押圧押圧保持部１３３２とは、連結され、且つ裏表紙１３１８と綴じ具の背表紙側の綴環（第１の綴環の半割杆９０１２ｂ及び第２の綴環の半割杆９０１４ｂ）との間において、架け渡され、表紙１３１２の背表紙１３１４と綴じ具９０１０との間に位置し、表紙１３１２を開いたときに、表紙１３１２の内側に近いか略々同じ面に位置し、且つ表紙１３１２を閉じたときに、一方の表表紙１３１６が閉じられるに従って綴じ具９０１０に沿って他方の裏表紙１３１８側に向けて被綴じ物Ｓを押圧するように構成されている。
【０２４１】
垂れ防止押圧作用体１３３０は、ファイル表紙を閉じたときに表表紙１３１６と背表紙１３１４とのなす角度が略１８０度から略９０度に縮まり、第２折れ曲がり部１３４２と第３折れ曲がり部１３４４との間隔も縮まることにより、押圧保持部１３３２は第２折れ曲がり部１３４２を中心に回動し、支持部１３３４は第３折れ曲がり部１３４４を中心に回動し起きて、閉じられる表表紙１３１６又はその近傍の背表紙１３１４の内面に位置する被綴じ物Ｓの綴じ具９０１０の近傍の領域を、綴じ具９０１０の第１の綴環９０１２及び第２の綴環９０１４の形状に沿って押圧する。
【０２４２】
図８６は、本発明の一実施の形態である表紙構造を備えたファイルの斜視図解図である。図７２は、図７１図示ファイルの表紙を開いた状態の平面図解図であり、図８８は、図８６図示ファイルの表紙を開いた状態の断面図解図である。図８９は、図８６図示ファイルの表紙を閉じた状態の断面図解図である。
【０２４３】
この発明の実施の形態であるファイル１４１０は、表紙１４１２と、表紙１４１２に固定された綴じ具９０１０とを含む。
【０２４４】
表紙１４１２は、背表紙１４１４と、前記背表紙１４１４の両端に開閉自在に延設された、表表紙１４１６及び前記綴じ具９０１０の保持部材を固定する裏表紙１４１８とを備え、図７１及び７４に示すように、表表紙１４１６と裏表紙１４１８が背表紙１４１４に対して立設状態となり対向するように連設され、幅（Ａ）と高さ（Ｂ）と背幅（Ｃ）とを有する。
そして、表表紙１４１６及び裏表紙１４１８は、背表紙１４１４寄りに高さ（Ｂ）方向にのびる開閉用の表側薄肉ヒンジ部１４２０及び裏側薄肉ヒンジ部１４２２が設けられ、表側薄肉ヒンジ部１４２０と裏側薄肉ヒンジ部１４２２とは、平行でその間において背幅（Ｃ）を構成する。
【０２４５】
表表紙１４１６の開閉を可能にする表側薄肉ヒンジ部１４２０及び裏表紙１４１８の開閉を可能にする裏側薄肉ヒンジ部１４２２は、断面略Ｖ字溝であり、表側薄肉ヒンジ部１４２０と裏側薄肉ヒンジ部１４２２とは、それぞれ平行である。表側薄肉ヒンジ部１４２０は、背表紙１４１４と表表紙１４１６との境界設けられており、裏側薄肉ヒンジ部１４２２は、背表紙１４１４と裏表紙１４１８との境界に設けられている。
【０２４６】
この綴じ具９０１０の綴環９０１２、９０１４は，Ｄ字型であり、綴じ具の長さ（Ｄ）と綴じ具の幅（Ｅ）とを有する。
この綴じ具９０１０の綴環は、第１の綴環９０１２と第２の綴環９０１４とからなるが、第１の綴環９０１２の半割杆９０１２ａと半割杆９０１２ｂ及び第２の綴環９０１４の半割杆９０１４ａと半割杆９０１４ｂとがそれぞれ線対称ではなく、その形状が異なる。
すなわち、第１の綴環９０１２の半割杆９０１２ａ及び第２の綴環９０１４の半割杆９０１４ａは、略コ字型であり、もう一方の（第１の綴環９０１２の）半割杆９０１２ｂ及び（第２の綴環９０１４の）半割杆９０１４ｂは、半円弧状であり、背表紙１４１４側に位置する。
綴環９０１２と綴環９０１４とは、綴じ具の長さ（Ｄ）方向において適宜な間隔をおいて分かれており、綴環９０１２及び綴環９０１４ののびる方向、すなわち長さ（Ｆ）方向を有する。綴環９０１２及び綴環９０１４の長さ（Ｆ）方向は、表紙１４１２の幅（Ａ）方向すなわち表側薄肉ヒンジ部１４２０及び裏側薄肉ヒンジ部１４２２と直交し表紙１４１２の内表面と直交する平面（仮想面）上においてのびる。
【０２４７】
綴じ具９０１０は、裏側薄肉ヒンジ部１４２２との間に少し距離をおいて、裏表紙１４１８の内面に固定されており、綴環９０１２及び綴環９０１４の基部と頂部との間の長さ（すなわち綴環９０１２及び綴環９０１４の高さ（Ｇ））は、背表紙１４１４の背幅と略同等もしくはわずかに長く形成されている。綴環９０１２及び綴環９０１４の基部と頂部との間の長さ（すなわち綴環９０１２及び綴環９０１４の高さ（Ｇ））が、背表紙１４１４の背幅（Ｃ）より長いときは、表表紙１４１６の接し合う部分に貫通孔からなる綴じ具嵌挿孔１４１６ａが穿設される。
【０２４８】
このファイル１４１０は、綴じ具９０１０を長さ方向に立てたとき、被綴じ物Ｓを垂れないようにするための垂れ防止手段がファイルの表紙１４１２の内側に進退自在に形成されているとともに、綴じ具９０１０に綴じられた被綴じ物Ｓの綴じ代側端縁Ｓ１に当接し、一方の表表紙１４１６が閉じられるときに、一方の表表紙１４１６が閉じられるに従って綴じ具９０１０に沿って他方の裏表紙１４１８に向けて被綴じ物Ｓを押圧する押圧作用手段を、表紙１４１２の内側に起伏自在に形成されている。
この実施の形態においては、垂れ防止手段と押圧作用手段とは、一体化された垂れ防止押圧作用体１４３０として構成されている。
垂れ防止押圧作用体１４３０は、表紙１４１２の高さ方向において上下に分かれて一対形成されており、上の垂れ防止押圧作用体１４３０Ａと下の垂れ防止押圧作用体１４３０Ｂとは、対称に形成されている。
垂れ防止押圧作用体１４３０は、ファイル表紙１４１２の表表紙１４１６を表側薄肉ヒンジ部１４２０において折り曲げて閉じたときに、表表紙１４１６と背表紙１４１４とのなす角度が略１８０度から略９０度に縮まり、その折り曲げに対応してファイル表紙１４１２の表側薄肉ヒンジ部１４２０に沿って折れ曲がり、被綴じ物Ｓの綴じ代側端縁Ｓ１に向けて突き出るように、形成される。
【０２４９】
垂れ防止押圧作用体１４３０は、表紙１４１２の内側に取り付けられた垂れ防止押圧作用手段を構成する立ち上がり部材により構成され、表表紙１４１６、裏表紙１４１８及び背表紙１４１４のうち少なくとも二つの間に架け渡された立ち上がり部を有する。
一方の立ち上がり部が表表紙１４１６、裏表紙１４１８及び背表紙１４１４のうち一つに連結され、他方の立ち上がり部が前記一方の立ち上がり部が連結されていない表表紙１４１６、裏表紙１４１８及び背表紙１４１４のうち一つに連結されている。
【０２５０】
垂れ防止押圧作用体１４３０は、上端縁と下端縁とを有し、上端縁と下端縁とを平行に形成した方形状である。
【０２５１】
垂れ防止押圧作用体１４３０は、背表紙１４１４と裏表紙１４１８との内面より内側に向けて山形に立ち上がらせるために、中央において内方に向けて折れ曲がらせるための第１折れ曲がり部１４４０と、表側薄肉ヒンジ部１４２０に沿って上端縁及び下端縁と直交して形成された第２折れ曲がり部１４４２と、第１の綴環９０１２及び第２の綴環９０１４の環の中央の下部において垂れ防止押圧作用体１４３０の上端縁及び下端縁と直交して形成された第３折れ曲がり部１４４４とを形成されている。
第１折れ曲がり部１４４０と第２折れ曲がり部１４４２と第３折れ曲がり部１４４４とは、平行に形成され、表紙１４１２の内側からみて、第１折れ曲がり部１４４０は内側に向けて山折りとなり、第２折れ曲がり部１４４２と第３折れ曲がり部１４４４とは谷折りとなる。
すなわち、前記一方の平面視方形状の立ち上がり部からなる押圧保持部１４３２と、平面視方形状の他方の立ち上がり部からなる支持部１４３４との間に第１折れ曲がり部１４４０が形成されている。
更に、支持部１４３４は、第１折れ曲がり部１４４０とは反対側端縁に表表紙１４１６との連結のための第１連結部１４５０を有し、第１連結部１４５０の近傍に折曲自在とするために第２折れ曲がり部１４４２を形成されている。第２折れ曲がり部１４４２は、表側薄肉ヒンジ部１４２０の近傍であって背表紙１４１４に形成されている。
また、押圧保持部１４３２は、第１折れ曲がり部１４４０とは反対側端縁に裏表紙１４１８との連結のための第２連結部１４５２を有し、第２連結部１４５２の近傍に折曲自在とするための第３折れ曲がり部１４４４を形成されている。
【０２５２】
第１折れ曲がり部１４４０と第２折れ曲がり部１４４２と第３折れ曲がり部１４４４と第４折れ曲がり部１４５４と平行になるように、且つ表表紙１４１６の表側薄肉ヒンジ部１４２０及び裏表紙１４１４の裏側薄肉ヒンジ部１４２２と平行になるように、表表紙１４１６と第１連結部１４５０とが接続され、裏表紙１４１８と第２連結部１４５２とが接続されている。
而して、垂れ防止手段１４３０の第１折れ曲がり部１４４０と第２折れ曲がり部１４４２と第３折れ曲がり部１４４４と第４折れ曲がり部１４５４とは、表側薄肉ヒンジ部１４２０及び裏側薄肉ヒンジ部１４２２と直交するとともに綴環９０１２と綴環９０１４とを結ぶ長さ（Ｄ）方向にのびる。
【０２５３】
垂れ防止押圧作用体１４３０は、ファイル表紙１４１２を表側薄肉ヒンジ部１４２０において折り曲げて閉じたときに、その折り曲げに対応してファイル表紙１４１２の表側薄肉ヒンジ部１４２０に沿って第１折れ曲がり部１４４０において内側に向けて突き出る山折り状（表紙の外側からみて谷折り状）に折れ曲がり、且つ第２折れ曲がり部１４４２及び第３折れ曲がり部１４４４において外側に向けて凹む谷折り状（表紙の外側からみて山折り状）に折れ曲がり、被綴じ物Ｓの綴じ代側端縁Ｓ１に向けて突き出るように形成されている。
【０２５４】
押圧保持部１４３２の幅（第１折れ曲がり部１４４０と第３折れ曲がり部１４４４との間の長さ）は、背表紙１４１４の裏側薄肉ヒンジ部１４２２と第２折れ曲がり部１４４２の位置との幅と略同一であるために、表紙１４１２を開いたときに、押圧保持部１４３２及び支持部１４３４は、表紙１４１２の内側面に近い位置まで接近する。
【０２５５】
垂れ防止押圧作用体１４３０は、表紙１４１２の背表紙１４１４と綴じ具９０１０との間に位置し、表表紙１４１６を開いたときに表表紙１４１６の内側に近いか略々同じ面に位置し、且つ表表紙１４１６を閉じたときに一方の表表紙１４１６が閉じられるに従って綴じ具９０１０に沿って他方の裏表紙１４１８に向けて被綴じ物Ｓの綴じ代側端縁Ｓ１を押圧するように構成されている。
【０２５６】
第３折れ曲がり部１４４４は、第１の綴環９０１２の基部と第２の綴環の基部との中間、すなわち綴じ具９０１０に綴じられた被綴じ物Ｓの綴じ代側端縁Ｓ１の位置にほぼ近い位置に位置している。
したがって、垂れ防止押圧作用体１４３０を立ち上げたときに、押圧保持部１４３２は、裏表紙１４１８に対して略垂直に立ち上がり、被綴じ物Ｓの綴じ代側端縁Ｓ１に接近し綴じ代側端縁Ｓ１の列と対向して、被綴じ物Ｓを保持する。
第２折れ曲がり部１４４２は、表表紙１４１６を閉じるときに垂れ防止押圧作用体１４３０を立ち上げ易くするために、裏側薄肉ヒンジ部１４２２より離れた位置に位置している。この実施の形態においては、裏側薄肉ヒンジ部１４２２を枢軸として閉じられる背表紙１４１４及び表表紙１４１６の動作に対応して、第１折れ曲がり部１４４０を頂点として山型に折れ曲がり立ち上がり易くするために、垂れ防止押圧作用体１４３０の第２折れ曲がり部１４４２は、表側薄肉ヒンジ部１４２０の近傍に位置している。
【０２５７】
垂れ防止押圧作用体１４３０は、ファイル表紙を閉じたときに、ファイル表紙に表紙１４１２の表表紙１４１６と背表紙１４１４との角度が略１８０度から略９０度に縮まり、第２折れ曲がり部１４４２と第３折れ曲がり部１４４４との間隔も縮まることにより、押圧保持部１４３２は第２折れ曲がり部１４４２を中心に回動し、支持部１４３４は第３折れ曲がり部１４４４を中心に回動して、押圧保持部１４３２が被綴じ物Ｓの綴じ代側端縁Ｓ１に向けて突き出て進み、その綴じ代側端縁Ｓ１を保持する。
【０２５８】
垂れ防止押圧作用体１４３０は、綴じ具９０１０を固定された裏表紙１４１８と対向する表表紙１４１６又は綴じ具９０１０を固定された裏表紙１４１８と交差する背表紙１４１４からのびる支持部１４３４と、綴じ具９０１０を固定された裏表紙１４１８又は綴じ具９０１０を固定された裏表紙１４１８に交差する背表紙１４１４からのびる押圧保持部１４３２とを有する。
押圧保持部１４３２は、表紙１４１２を開いたとき綴じ具９０１０の第１の綴環９０１２及び第２の綴環９０１４の基部側からのび、支持部１４３４は、綴じ具９０１０の第１の綴環９０１２及び第２の綴環９０１４の頂部側からのびる。
表紙１４１２を開いたとき、綴じ具９０１０を固定された裏表紙１４１８と対向する表表紙１４１６に近い位置に位置し、表紙１４１２を閉じたときに、綴じ具９０１０を固定された表表紙１４１６と交差する背表紙１４１４と離れた位置に位置するように、支持部１４３４及び押圧保持部１４３２は、その境で屈曲自在になるように構成され、表紙１４１２の内側に連設されている。
【０２５９】
支持部１４３４は、綴じ具９０１０を固定された裏表紙１４１８と対向する表表紙１４１６又は綴じ具９０１０を固定された裏表紙１４１８と交差する背表紙１４１４からのびる押圧保持部１４３２は、綴じ具９０１０を固定された裏表紙１４１８又は綴じ具９０１０を固定された裏表紙１４１８に交差する背表紙１４１４からのび、前記支持部１４３４と押圧保持部１４３２とは、連結され、且つ裏表紙１４１８と綴じ具の背表紙側の綴環（第１の綴環の半割杆９０１２ｂ及び第２の綴環の半割杆９０１４ｂ）との間において、架け渡され、表紙１４１２の背表紙１４１４と綴じ具９０１０との間に位置し、表紙１４１２を開いたときに、表紙１４１２の内側に近いか略々同じ面に位置し、且つ表紙１４１２を閉じたときに、一方の表表紙１４１６が閉じられるに従って綴じ具９０１０に沿って他方の裏表紙１４１８側に向けて被綴じ物Ｓを押圧するように構成されている。
【０２６０】
垂れ防止押圧作用体１４３０は、ファイル表紙を閉じたときに表表紙１４１６と背表紙１４１４とのなす角度が略１８０度から略９０度に縮まり、第２折れ曲がり部１４４２と第３折れ曲がり部１４４４との間隔も縮まることにより、押圧保持部１４３２は第２折れ曲がり部１４４２を中心に回動し、支持部１４３４は第３折れ曲がり部１４４４を中心に回動し起きて、閉じられる表表紙１４１６又はその近傍の背表紙１４１４の内面に位置する被綴じ物Ｓの綴じ具９０１０の近傍の領域を、綴じ具９０１０の第１の綴環９０１２及び第２の綴環９０１４の形状に沿って押圧する。
【０２６１】
図９１は、本発明の一実施の形態である表紙構造を備えたファイルの斜視図解図である。図９２は、図９１図示ファイルの表紙を開いた状態の平面図解図であり、図９３は、図９１図示ファイルの表紙を開いた状態の断面図解図である。図９４は、図９１図示ファイルの表紙を閉じた状態の断面図解図である。
【０２６２】
この発明の実施の形態であるファイル１５１０は、表紙１５１２と、表紙１５１２に固定された綴じ具９０１０とを含む。
【０２６３】
表紙１５１２は、背表紙１５１４と、前記背表紙１５１４の両端に開閉自在に延設された、表表紙１５１６及び前記綴じ具９０１０の保持部材を固定する裏表紙１５１８とを備え、図９１及び９４に示すように、表表紙１５１６と裏表紙１５１８が背表紙１５１４に対して立設状態となり対向するように連設され、幅（Ａ）と高さ（Ｂ）と背幅（Ｃ）とを有する。
そして、表表紙１５１６及び裏表紙１５１８は、背表紙１５１４寄りに高さ（Ｂ）方向にのびる開閉用の表側薄肉ヒンジ部１５２０及び裏側薄肉ヒンジ部１５２２が設けられ、表側薄肉ヒンジ部８２０と裏側薄肉ヒンジ部８２２とは、平行でその間において背幅（Ｃ）を構成する。
【０２６４】
表表紙１５１６の開閉を可能にする表側薄肉ヒンジ部１５２０及び裏表紙１５１８の開閉を可能にする裏側薄肉ヒンジ部１５２２は、断面略Ｖ字溝であり、表側薄肉ヒンジ部１５２０と裏側薄肉ヒンジ部１５２２とは、それぞれ平行である。表側薄肉ヒンジ部１５２０は、背表紙１５１４と表表紙１５１６との境界設けられており、裏側薄肉ヒンジ部１５２２は、背表紙１５１４と裏表紙１５１８との境界に設けられている。
【０２６５】
この綴じ具９０１０の綴環９０１２、９０１４は，Ｄ字型であり、綴じ具の長さ（Ｄ）と綴じ具の幅（Ｅ）とを有する。
この綴じ具９０１０の綴環は、第１の綴環９０１２と第２の綴環９０１４とからなるが、第１の綴環９０１２の半割杆９０１２ａと半割杆９０１２ｂ及び第２の綴環９０１４の半割杆９０１４ａと半割杆９０１４ｂとがそれぞれ線対称ではなく、その形状が異なる。
すなわち、第１の綴環９０１２の半割杆９０１２ａ及び第２の綴環９０１４の半割杆９０１４ａは、略コ字型であり、もう一方の（第１の綴環９０１２の）半割杆９０１２ｂ及び（第２の綴環９０１４の）半割杆９０１４ｂは、半円弧状であり、背表紙１５１４側に位置する。
綴環９０１２と綴環９０１４とは、綴じ具の長さ（Ｄ）方向において適宜な間隔をおいて分かれており、綴環９０１２及び綴環９０１４ののびる方向、すなわち長さ（Ｆ）方向を有する。綴環９０１２及び綴環９０１４の長さ（Ｆ）方向は、表紙８１２の幅（Ａ）方向すなわち表側薄肉ヒンジ部１５２０及び裏側薄肉ヒンジ部１５２２と直交し表紙１５１２の内表面と直交する平面（仮想面）上においてのびる。
【０２６６】
綴じ具９０１０は、裏側薄肉ヒンジ部１５２２との間に少し距離をおいて、裏表紙１５１８の内面に固定されており、綴環９０１２及び綴環９０１４の基部と頂部との間の長さ（すなわち綴環９０１２及び綴環９０１４の高さ（Ｇ））は、背表紙１５１４の背幅と略同等もしくはわずかに長く形成されている。綴環９０１２及び綴環９０１４の基部と頂部との間の長さ（すなわち綴環９０１２及び綴環９０１４の高さ（Ｇ））が、背表紙１５１４の背幅（Ｃ）より長いときは、表表紙１５１６の接し合う部分に貫通孔からなる綴じ具嵌挿孔１５１６ａが穿設される。
【０２６７】
このファイル１５１０は、綴じ具９０１０を長さ方向に立てたとき、被綴じ物Ｓを垂れないようにするための垂れ防止手段がファイルの表紙１５１２の内側に進退自在に形成されているとともに、綴じ具９０１０に綴じられた被綴じ物Ｓの綴じ代側端縁Ｓ１に当接し、一方の表表紙１５１６が閉じられるときに、一方の表表紙１５１６が閉じられるに従って綴じ具９０１０に沿って他方の裏表紙１５１８に向けて被綴じ物Ｓを押圧する押圧作用手段を、表紙１５１２の内側に起伏自在に形成されている。
この実施の形態においては、垂れ防止手段と押圧作用手段とは、一体化された垂れ防止押圧作用体１５３０として構成されている。
垂れ防止押圧作用体１５３０は、表紙１５１２の高さ方向において上下に分かれて一対形成されており、上の垂れ防止押圧作用体１５３０Ａと下の垂れ防止押圧作用体１５３０Ｂとは、対称に形成されている。
垂れ防止押圧作用体１５３０は、ファイル表紙１５１２の表表紙１５１６を表側薄肉ヒンジ部１５２０において折り曲げて閉じたときに、表表紙１５１６と背表紙１５１４とのなす角度が略１８０度から略９０度に縮まり、その折り曲げに対応してファイル表紙１５１２の表側薄肉ヒンジ部１５２０に沿って折れ曲がり、被綴じ物Ｓの綴じ代側端縁Ｓ１に向けて突き出るように、形成される。
【０２６８】
垂れ防止押圧作用体１５３０は、表紙１５１２の内側に取り付けられた垂れ防止押圧作用手段を構成する立ち上がり部材により構成され、表表紙１５１６、裏表紙１５１８及び背表紙１５１４のうち少なくとも二つの間に架け渡された立ち上がり部を有する。
一方の立ち上がり部が表表紙１５１６、裏表紙１５１８及び背表紙１５１４のうち一つに連結され、他方の立ち上がり部が前記一方の立ち上がり部が連結されていない表表紙１５１６、裏表紙１５１８及び背表紙１５１４のうち一つに連結されている。
【０２６９】
垂れ防止押圧作用体１５３０は、上端縁と下端縁とを有し、上端縁と下端縁とを平行に形成した方形状である。
【０２７０】
垂れ防止押圧作用体１５３０は、背表紙１５１４と裏表紙１５１８との内面より内側に向けて山形に立ち上がらせるために、中央において内方に向けて折れ曲がらせるための第１折れ曲がり部１５４０と、表側薄肉ヒンジ部１５２０に沿って上端縁及び下端縁と直交して形成された第２折れ曲がり部１５４２と、第１の綴環９０１２及び第２の綴環９０１４の環の中央の下部において垂れ防止押圧作用体１５３０の上端縁及び下端縁と直交して形成された第３折れ曲がり部１５４４とを形成されている。
第１折れ曲がり部１５４０と第２折れ曲がり部１５４２と第３折れ曲がり部１５４４とは、平行に形成され、表紙１５１２の内側からみて、第１折れ曲がり部１５４０は内側に向けて山折りとなり、第２折れ曲がり部１５４２と第３折れ曲がり部１５４４とは谷折りとなる。
すなわち、前記一方の平面視方形状の立ち上がり部からなる押圧保持部１５３２と、平面視方形状の他方の立ち上がり部からなる支持部１５３４との間に第１折れ曲がり部１５４０が形成されている。
更に、支持部１５３４は、第１折れ曲がり部１５４０とは反対側端縁に表表紙１５１６との連結のための第１連結部１５５０を有し、第１連結部１５５０の近傍に折曲自在とするために第２折れ曲がり部１５４２を形成されている。第２折れ曲がり部１５４２は、表側薄肉ヒンジ部１５２０の近傍で裏表紙１５１８側に離れた位置に形成されている。
また、押圧保持部１５３２は、第１折れ曲がり部１５４０とは反対側端縁に裏表紙１５１８との連結のための第２連結部１５５２を有し、第２連結部１５５２の近傍に折曲自在とするための第３折れ曲がり部１５４４を形成されている。
【０２７１】
第１折れ曲がり部１５４０と第２折れ曲がり部１５４２と第３折れ曲がり部１５４４と平行になるように、且つ表表紙１５１６の表側薄肉ヒンジ部１５２０及び裏表紙１５１４の裏側薄肉ヒンジ部１５２２と平行になるように、表表紙１５１６と第１連結部１５５０とが接続され、裏表紙１５１８と第２連結部１５５２とが接続されている。
而して、垂れ防止手段１５３０の第１折れ曲がり部１５４０と第２折れ曲がり部１５４２と第３折れ曲がり部１５４４とは、表側薄肉ヒンジ部１５２０及び裏側薄肉ヒンジ部１５２２と直交するとともに綴環９０１２と綴環９０１４とを結ぶ長さ（Ｄ）方向にのびる。
【０２７２】
押圧保持部１５３２は、表表紙１５１６側の端縁に、第１折れ曲がり部１５４０より表表紙１５１６側に向けて突き出る保持突片１５３６が突設されており、表紙１５１２を閉じたときに、表表紙１５１６側にある被綴じ物Ｓの綴じ代側端縁Ｓ１を係止することができるように形成されている。
この実施の形態においては、第１折れ曲がり部１５４０から押圧保持部１５３２にのびるＵ字状のスリット１５３６Ａによって、押圧保持部１５３２から分離され、第１折れ曲がり部１５４０において押圧保持部１５３２と支持部１５３４とを折り曲げたときに、保持突片１５３６は、押圧保持部１５３２より平板状に延長するように構成されている。
【０２７３】
保持突片１５３６は、図９４（Ａ）において示すように、表表紙１５１６の内側面に近傍に達する長さでもよいが、図９４（Ｂ）において示すように、表表紙１５１６に保持突片１５３６を貫挿する穴１５１６ｂを穿設して、穴１５１６ｂに嵌挿させて表表紙１５１６の内部に至る長さでもよい。
【０２７４】
垂れ防止押圧作用体１５３０は、ファイル表紙１５１２を表側薄肉ヒンジ部１５２０において折り曲げて閉じたときに、その折り曲げに対応してファイル表紙１５１２の表側薄肉ヒンジ部１５２０に沿って第１折れ曲がり部１５４０において内側に向けて突き出る山折り状（表紙の外側からみて谷折り状）に折れ曲がり、且つ第２折れ曲がり部１５４２及び第３折れ曲がり部１５４４において外側に向けて凹む谷折り状（表紙の外側からみて山折り状）に折れ曲がり、被綴じ物Ｓの綴じ代側端縁Ｓ１に向けて突き出るように形成されている。
【０２７５】
垂れ防止押圧作用体１５３０は、表紙１５１２の背表紙１５１４と綴じ具９０１０との間に位置し、表表紙１５１６を開いたときに表表紙１５１６の内側に近いか略々同じ面に位置し、且つ表表紙１５１６を閉じたときに一方の表表紙１５１６が閉じられるに従って綴じ具９０１０に沿って他方の裏表紙１５１８に向けて被綴じ物Ｓの綴じ代側端縁Ｓ１を押圧するように構成されている。
【０２７６】
第３折れ曲がり部１５４４は、第１の綴環９０１２の基部と第２の綴環の基部との中間、すなわち綴じ具９０１０に綴じられた被綴じ物Ｓの綴じ代側端縁Ｓ１の位置にほぼ近い位置に位置している。
したがって、垂れ防止押圧作用体１５３０を立ち上げたときに、押圧保持部１５３２は、裏表紙１０１８に対して略垂直に立ち上がり、被綴じ物Ｓの綴じ代側端縁Ｓ１に接近し綴じ代側端縁Ｓ１の列と対向して、被綴じ物Ｓを保持する。
第２折れ曲がり部１５４２は、表表紙１５１６を閉じるときに垂れ防止押圧作用体１５３０を立ち上げ易くするために、裏側薄肉ヒンジ部１５２２より離れた位置に位置している。この実施の形態においては、裏側薄肉ヒンジ部１５２２を枢軸として閉じられる背表紙１５１４及び表表紙１５１６の動作に対応して、第１折れ曲がり部１５４０を頂点として山型に折れ曲がり立ち上がり易くするために、垂れ防止押圧作用体１５３０の第２折れ曲がり部１５４２は、表側薄肉ヒンジ部１５２０の近傍に位置している。
【０２７７】
垂れ防止押圧作用体１５３０は、ファイル表紙を閉じたときに、ファイル表紙に表紙１５１２の表表紙１５１６と背表紙１５１４との角度が略１８０度から略９０度に縮まり、第２折れ曲がり部１５４２と第３折れ曲がり部１５４４との間隔も縮まることにより、押圧保持部１５３２は第２折れ曲がり部１５４２を中心に回動し、支持部１５３４は第３折れ曲がり部１５４４を中心に回動して、押圧保持部１５３２が被綴じ物Ｓの綴じ代側端縁Ｓ１に向けて突き出て進み、その綴じ代側端縁Ｓ１を保持する。
【０２７８】
垂れ防止押圧作用体１５３０は、綴じ具９０１０を固定された裏表紙１５１８と対向する表表紙１５１６又は綴じ具９０１０を固定された裏表紙１５１８と交差する背表紙１５１４からのびる支持部１５３４と、綴じ具９０１０を固定された裏表紙１５１８又は綴じ具９０１０を固定された裏表紙１５１８に交差する背表紙１５１４からのびる押圧保持部１５３２とを有する。
押圧保持部１５３２は、表紙１５１２を開いたとき綴じ具９０１０の第１の綴環９０１２及び第２の綴環９０１４の基部側からのび、支持部１５３４は、綴じ具９０１０の第１の綴環９０１２及び第２の綴環９０１４の頂部側からのびる。
表紙１５１２を開いたとき、綴じ具９０１０を固定された裏表紙１５１８と対向する表表紙１５１６に近い位置に位置し、表紙１５１２を閉じたときに、綴じ具９０１０を固定された表表紙１５１６と交差する背表紙１５１４と離れた位置に位置するように、支持部１５３４及び押圧保持部１５３２は、その境で屈曲自在になるように構成され、表紙１５１２の内側に連設されている。
【０２７９】
支持部１５３４は、綴じ具９０１０を固定された表紙１５１２と対向する表表紙１５１６又は綴じ具９０１０を固定された裏表紙１５１８と交差する背表紙１５１４からのびる押圧保持部１５３２は、綴じ具９０１０を固定された裏表紙１５１８又は綴じ具９０１０を固定された裏表紙１５１８に交差する背表紙１５１４からのび、前記支持部１５３４と押圧保持部１５３２とは、連結され、且つ裏表紙１５１８と綴じ具の背表紙側の綴環（第１の綴環の半割杆９０１２ｂ及び第２の綴環の半割杆９０１４ｂ）との間において、架け渡され、表紙１５１２の背表紙１５１４と綴じ具９０１０との間に位置し、表紙１５１２を開いたときに、表紙１５１２の内側に近いか略々同じ面に位置し、且つ表紙１５１２を閉じたときに、一方の表表紙１５１６が閉じられるに従って綴じ具９０１０に沿って他方の裏表紙１５１８側に向けて被綴じ物Ｓを押圧するように構成されている。
【０２８０】
垂れ防止押圧作用体１５３０は、ファイル表紙を閉じたときに表表紙１５１６と背表紙１５１４とのなす角度が略１８０度から略９０度に縮まり、第２折れ曲がり部１５４２と第３折れ曲がり部１５４４との間隔も縮まることにより、押圧保持部１５３２は第２折れ曲がり部１５４２を中心に回動し、支持部１５３４は第３折れ曲がり部１５４４を中心に回動し起きて、閉じられる表表紙１５１６又はその近傍の背表紙１５１４の内面に位置する被綴じ物Ｓの綴じ具９０１０の近傍の領域を、綴じ具９０１０の第１の綴環９０１２及び第２の綴環９０１４の形状に沿って押圧する。
【０２８１】
図９６は、本発明の一実施の形態である表紙構造を備えたファイルの斜視図解図である。図９７は、図９６図示ファイルの表紙を開いた状態の平面図解図である。図９８Ａは、図９６図示ファイルの表紙をフラットに開いた状態を示す断面図解図であり、図９８Ｂは、そのファイルの表紙を閉じ始めた状態の一例を示す断面図解図であり、図９８Ｃは、そのファイルの表紙を閉じ始めた状態の他の例を示す断面図解図であり、図９８Ｄは、そのファイルの表紙を閉じ始めた状態のさらに他の例を示す断面図解図である。図９９は、図９６図示ファイルの表紙を閉じた状態の断面図解図である。
【０２８２】
この発明の実施の形態であるファイル1６１０は、表紙１６１２と、表紙１６１２に固定された綴じ具９０１０とを含む。
【０２８３】
表紙１６１２は、背表紙１６１４と、前記背表紙１６１４の両端に開閉自在に延設された、表表紙１６１６及び前記綴じ具９０１０の保持部材を固定する裏表紙１６１８とを備え、図９６及び８６に示すように、表表紙１６１６と裏表紙１６１８が背表紙１６１４に対して立設状態となり対向するように連設され、幅（Ａ）と高さ（Ｂ）と背幅（Ｃ）とを有する。
そして、表表紙１６１６及び裏表紙１６１８は、背表紙１６１４寄りに高さ（Ｂ）方向にのびる開閉用の表側薄肉ヒンジ部１６２０及び裏側薄肉ヒンジ部１６２２が設けられ、表側薄肉ヒンジ部１６２０と裏側薄肉ヒンジ部１６２２とは、平行でその間において背幅（Ｃ）を構成する。
【０２８４】
表表紙１６１６の開閉を可能にする表側薄肉ヒンジ部１６２０及び裏表紙１６１８の開閉を可能にする裏側薄肉ヒンジ部１６２２は、断面略Ｖ字溝であり、背表紙１６１４と表表紙１６１６及び背表紙１６１４と裏表紙１６１８の境界に設けられている。
【０２８５】
この綴じ具９０１０の綴環９０１２、９０１４は，Ｄ字型であり、綴じ具の長さ（Ｄ）と綴じ具の幅（Ｅ）とを有する。
この綴じ具９０１０の綴環は、第１の綴環９０１２と第２の綴環９０１４とからなるが、第１の綴環９０１２の半割杆９０１２ａと半割杆９０１２ｂ及び第２の綴環９０１４の半割杆９０１４ａと半割杆９０１４ｂとがそれぞれ線対称ではなく、その形状が異なる。
すなわち、第１の綴環９０１２の半割杆９０１２ａ及び第２の綴環９０１４の半割杆９０１４ａは、略コ字型であり、もう一方の（第１の綴環９０１２の）半割杆９０１２ｂ及び（第２の綴環９０１４の）半割杆９０１４ｂは、半円弧状であり、背表紙１６１４側に位置する。
綴環９０１２と綴環９０１４とは、綴じ具の長さ（Ｄ）方向において適宜な間隔をおいて分かれており、綴環９０１２及び綴環９０１４ののびる方向、すなわち長さ（Ｆ）方向を有する。綴環９０１２及び綴環９０１４の長さ（Ｆ）方向は、表紙１６１２の幅（Ａ）方向すなわち表側薄肉ヒンジ部１６２０及び裏側薄肉ヒンジ部１６２２と直交し表紙１６１２の内表面と直交する平面（仮想面）上においてのびる。
【０２８６】
綴じ具９０１０は、裏側薄肉ヒンジ部１６２２との間に少し距離をおいて、裏表紙１６１８の内面に固定されており、綴環９０１２及び綴環９０１４の基部と頂部との間の長さ（すなわち綴環９０１２及び綴環９０１４の高さ（Ｇ））は、背表紙１６１４の背幅と略同等もしくはわずかに長く形成されている。綴環９０１２及び綴環９０１４の基部と頂部との間の長さ（すなわち綴環９０１２及び綴環９０１４の高さ（Ｇ））が、背表紙１６１４の背幅（Ｃ）より長いときは、表表紙１６１６の接し合う部分に貫通孔からなる綴じ具嵌挿孔１６１６ａが穿設される。
【０２８７】
このファイル１６１０は、綴じ具９０１０を長さ方向に立てたとき、被綴じ物Ｓを垂れないようにするための垂れ防止手段たる垂れ防止体１６３０がファイルの表紙１６１２の内側に進退自在に形成されているとともに、綴じ具９０１０に綴じられた被綴じ物Ｓの綴じ代側端縁Ｓ１に当接し、一方の表表紙１６１６が閉じられるときに、一方の表表紙１６１６が閉じられるに従って綴じ具９０１０に沿って他方の裏表紙１６１８に向けて被綴じ物Ｓを押圧する押圧作用手段たる押圧作用体１７３０を、表紙１６１２の内側に起伏自在に形成されている。
この実施の形態においては、垂れ防止体１６３０と押圧作用体１７３０とは、一体化された垂れ防止押圧作用体として構成されている。
押圧防止作用体は、上端縁と下端縁とを有し、上端縁と下端縁とが平行な方形状に形成されている。
垂れ防止押圧作用体は、表紙１６１２の高さ方向において上下に分かれて一対形成されており、上の垂れ防止押圧作用体１６３０Ａと下の垂れ防止押圧作用体１６３０Ｂとは、対称に形成されている。
垂れ防止押圧作用体は、ファイル表紙１６１２の表表紙１６１６を表側薄肉ヒンジ部１６２０において折り曲げて閉じたときに、表表紙１６１６と背表紙１６１４とのなす角度が略１８０度から略９０度に縮まり、その折り曲げに対応してファイル表紙１６１２の表側薄肉ヒンジ部１６２０に沿って折れ曲がり、被綴じ物Ｓの綴じ代側端縁Ｓ１に向けて突き出るように、形成される。
【０２８８】
垂れ防止体１６３０は、表紙１６１２の内側に取り付けられた垂れ防止体を構成する立ち上がり部材により構成され、表表紙１６１６、裏表紙１６１８及び背表紙１６１４のうち少なくとも二つの間に架け渡された立ち上がり部を有する。
一方の立ち上がり部が表表紙１６１６、裏表紙１６１８及び背表紙１６１４のうち一つに連結され、他方の立ち上がり部が前記一方の立ち上がり部が連結されていない表表紙１６１６、裏表紙１６１８及び背表紙１６１４のうち一つに連結されている。
【０２８９】
垂れ防止体１６３０は、綴じ具９０１０を取り付けられた裏表紙１６１８と背表紙１６１４とに続く分離スリット１６９０によって区画され、形成されている。分離スリット１６９０は、綴じ具９０１０の下方であって、裏表紙１６１８の第１の綴環９０１２及び第２の綴環９０１４の中央近くから、背表紙１６１４側にかけて、裏表紙１６１８及び背表紙１６１４に連続して表側薄肉ヒンジ部１６２０に直交する細長い貫通孔によって構成され、表表紙１６１６と裏表紙１６１８との間に架け渡された立ち上がり部を形成している。
【０２９０】
分離スリット１６９０によって分離された領域を立ち上がり部として、背表紙１６１４と裏表紙１６１８との内面より内側に向けて山形に立ち上がらせるために、中央において内方に向けて折れ曲がらせるための第１折れ曲がり部１６４０と、分離スリット１６９０の裏表紙１６１８側の端部と垂れ防止体１６３０の下端縁とを結ぶ第３折れ曲がり部１６４４と、分離スリット１６９０の背表紙１６１４側の端縁と垂れ防止体１６３０の下端縁とを結ぶ第２折れ曲がり部１６４２とを形成されている。
【０２９１】
第１折れ曲がり部１６４０と第２折れ曲がり部１６４２と第３折れ曲がり部１６４４とは、平行に形成され、表紙１６１２の内側からみて、第１折れ曲がり部１６４０は内側に向けて山折りとなり、第２折れ曲がり部１６４２と第３折れ曲がり部１６４４とは谷折りとなる。
すなわち、前記一方の平面視方形状の立ち上がり部からなる押圧保持部１６３２と、平面視方形状の他方の立ち上がり部からなる支持部１６３４との間に第１折れ曲がり部１６４０が形成されている。
更に、支持部１６３４は、第１折れ曲がり部１６４０とは反対側端縁に表表紙１６１６との連結のための第１連結部１６５０を有し、第１連結部１６５０の近傍に折曲自在とするために第２折れ曲がり部１６４２を形成されている。第２折れ曲がり部１６４２は、を表側薄肉ヒンジ部１６２０に連続して形成されている。
また、押圧保持部１６３２は、第１折れ曲がり部１６４０とは反対側端縁に裏表紙１６１８との連結のための第２連結部１６５２を有し、第２連結部１６５２の近傍に折曲自在とするための第３折れ曲がり部１６４４を形成されている。
【０２９２】
第１折れ曲がり部１６４０と第２折れ曲がり部１６４２と第３折れ曲がり部１６４４と第４折れ曲がり部１６５４と平行になるように、且つ表表紙１６１６の表側薄肉ヒンジ部１６２０及び裏表紙１６１４の裏側薄肉ヒンジ部１６２２と平行になるように、表表紙１６１６と第１連結部１６５０とが接続され、裏表紙１６１８と第２連結部１６５２とが接続されている。
而して、垂れ防止手段１６３０の第１折れ曲がり部１６４０と第２折れ曲がり部１６４２と第３折れ曲がり部１６４４と第４折れ曲がり部１６５４とは、表側薄肉ヒンジ部１６２０及び裏側薄肉ヒンジ部１６２２と直交するとともに綴環９０１２と綴環９０１４とを結ぶ長さ（Ｄ）方向にのびる。
【０２９３】
垂れ防止体１６３０は、ファイル表紙１６１２を表側薄肉ヒンジ部１６２０において折り曲げて閉じたときに、その折り曲げに対応してファイル表紙１６１２の表側薄肉ヒンジ部１６２０に沿って第１折れ曲がり部１６４０において内側に向けて突き出る山折り状（表紙の外側からみて谷折り状）に折れ曲がり、且つ第２折れ曲がり部１６４２及び第３折れ曲がり部１６４４において外側に向けて凹む谷折り状（表紙の外側からみて山折り状）に折れ曲がり、被綴じ物Ｓの綴じ代側端縁Ｓ１に向けて突き出るように形成されている。
【０２９４】
押圧保持部１６３２の幅（第１折れ曲がり部１６４０と第３折れ曲がり部１６４４との間の長さ）は、背表紙１６１４の裏側薄肉ヒンジ部１６２２と第２折れ曲がり部１６４２の位置との幅と略同一であるために、表紙１６１２を開いたときに、押圧保持部１６３２及び支持部１６３４は、表紙１６１２の内側面に近い位置まで接近する。
【０２９５】
垂れ防止体１６３０は、表紙１６１２の背表紙１６１４と綴じ具９０１０との間に位置し、表表紙１６１６を開いたときに表表紙１６１６の内側に近いか略々同じ面に位置し、且つ表表紙１６１６を閉じたときに一方の表表紙１６１６が閉じられるに従って綴じ具９０１０に沿って他方の裏表紙１６１８に向けて被綴じ物Ｓの綴じ代側端縁Ｓ１を押圧するように構成されている。
【０２９６】
第３折れ曲がり部１６４４は、第１の綴環９０１２の基部と第２の綴環の基部との中間、すなわち綴じ具９０１０に綴じられた被綴じ物Ｓの綴じ代側端縁Ｓ１の位置にほぼ近い位置に位置している。
したがって、垂れ防止体１６３０を立ち上げたときに、押圧保持部１６３２は、裏表紙１６１８に対して略垂直に立ち上がり、被綴じ物Ｓの綴じ代側端縁Ｓ１に接近し綴じ代側端縁Ｓ１の列と対向して、被綴じ物Ｓを保持する。
第２折れ曲がり部１６４２は、表表紙１６１６を閉じるときに垂れ防止体１６３０を立ち上げ易くするために、裏側薄肉ヒンジ部１６２２より離れた位置に位置している。この実施の形態においては、裏側薄肉ヒンジ部１６２２を枢軸として閉じられる背表紙１６１４及び表表紙１６１６の動作に対応して、第１折れ曲がり部１６４０を頂点として山型に折れ曲がり立ち上がり易くするために、垂れ防止体１６３０の第２折れ曲がり部１６４２は、表側薄肉ヒンジ部１６２０の近傍に位置している。
【０２９７】
垂れ防止体１６３０は、ファイル表紙を閉じたときに、ファイル表紙１６１２の表表紙１６１６と背表紙１６１４との角度が略１８０度から略９０度に縮まり、第２折れ曲がり部１６４２と第３折れ曲がり部１６４４との間隔も縮まることにより、押圧保持部１６３２は第２折れ曲がり部１６４２を中心に回動し、支持部１６３４は第３折れ曲がり部１６４４を中心に回動して、押圧保持部１６３２が被綴じ物Ｓの綴じ代側端縁Ｓ１に向けて突き出て進み、その綴じ代側端縁Ｓ１を保持する。
【０２９８】
更に、このファイル１６１０は、綴じ具９０１０に綴じられた被綴じ物Ｓの綴じ代側端縁Ｓ１に当接し、一方の表表紙１６１６が閉じられるときに、一方の表表紙１６１６が閉じられるに従って綴じ具９０１０に沿って他方の裏表紙１６１８に向けて被綴じ物Ｓを押圧する押圧作用手段たる押圧作用体１７３０を、表紙１６１２の内側に起伏自在に形成されている。
押圧作用体１７３０は、表紙１６１２の内側に取り付けられた押圧作用手段を構成する立ち上がり部材により構成され、表表紙１６１６、裏表紙１６１８及び背表紙１６１４のうち少なくとも二つの間に架け渡された立ち上がり部を有する。
一方の立ち上がり部が表表紙１６１６、裏表紙１６１８及び背表紙１６１４のうち一つに連結され、他方の立ち上がり部が前記一方の立ち上がり部が連結されていない表表紙１６１６、裏表紙１６１８及び背表紙１６１４のうち一つに連結されている。
【０２９９】
押圧作用体１７３０は、綴じ具９０１０を取り付けられた裏表紙１６１８と背表紙１６１４とに続く分離スリット１６９０によって区画され、形成されている。分離スリット１６９０は、綴じ具９０１０の下方であって、裏表紙１６１８の第１の綴環９０１２及び第２の綴環９０１４の中央近くから、背表紙１６１４側にかけて、裏表紙１６１８及び背表紙１６１４に連続して表側薄肉ヒンジ部１６２０に直交する細長い貫通孔によって構成され、背表紙１６１４と裏表紙１６１８との間に架け渡された立ち上がり部を形成している。
【０３００】
分離スリット１６９０によって分離された領域を立ち上がり部として、背表紙１６１４と裏表紙１６１８との内面より内側に向けて山形に立ち上がらせるために、中央において内方に向けて折れ曲がらせるための第１折れ曲がり部１７４０と、分離スリット１６９０の裏表紙１６１８側の端縁と垂れ防止体１６３０の上端縁とを結ぶ第３折れ曲がり部１７４４と、分離スリット１６９０の表表紙１６１６側の端縁と垂れ防止体１６３０の上端縁とを結ぶ第２折れ曲がり部１６４２とを形成されている。
【０３０１】
第１折れ曲がり部１７４０と第２折れ曲がり部１７４２と第３折れ曲がり部１７４４とは、平行に形成され、表紙１６１２の内側からみて、第１折れ曲がり部１７４０は内側に向けて山折りとなり、第２折れ曲がり部１７４２と第３折れ曲がり部１７４４とは谷折りとなる。
すなわち、前記一方の平面視方形状の立ち上がり部からなる押圧保持部１７３２と、平面視方形状の他方の立ち上がり部からなる支持部１６３４との間に第１折れ曲がり部１７４０が形成されている。
【０３０２】
第１折れ曲がり部１７４０と第２折れ曲がり部１７４２と第３折れ曲がり部１７４４とは、平行に形成され、且つ表表紙１６１６を表側薄肉ヒンジ部１６２０及び裏側薄肉ヒンジ部１６２２と平行になるように、裏表紙１６１８と第１連結部１７５０とが接続され、且つ表表紙１６１６と第２連結部１７５２とが接続されている。
【０３０３】
押圧作用体１７３０は、綴じ具９０１０を固定された裏表紙１６１８と対向する表表紙１６１６又は綴じ具９０１０を固定された裏表紙１６１８と交差する背表紙１６１４からのびる支持部１７３４と、綴じ具９０１０を固定された裏表紙１６１８又は綴じ具９０１０を固定された裏表紙１６１８に交差する背表紙１６１４からのびる立ち上がり部たる押圧保持部１７３２とを有する。
表紙１６１２を開いたとき、綴じ具９０１０を固定された裏表紙１６１８と対向する表表紙１６１６に近い位置に位置し、表紙１６１２を閉じたときに、綴じ具９０１０を固定された裏表紙１６１８と交差する背表紙１６１４と離れた位置に位置するように、支持部１７３４及び押圧保持部１７３２は、その境で屈曲自在になるように構成され、表紙１６１２の内側に連設されている。
【０３０４】
支持部１７３４は、綴じ具９０１０を固定された裏表紙１６１８と対向する表表紙１６１６又は綴じ具９０１０を固定された裏表紙１６１８と交差する背表紙１６１４からのびる押圧保持部１７３２は、綴じ具９０１０を固定された裏表紙１６１８又は綴じ具９０１０を固定された裏表紙１６１８に交差する背表紙１６１４からのび、前記支持部１７３４と押圧保持部１７３２とは、連結され、且つ裏表紙１６１８と綴じ具の背表紙側の綴環（第１の綴環の半割杆９０１２ｂ及び第２の綴環の半割杆９０１４ｂ）との間において、架け渡され、表紙１６１２の背表紙１６１４と綴じ具９０１０との間に位置し、表紙１６１２を開いたときに、表紙１６１２の内側に近いか略々同じ面に位置し、且つ表紙１６１２を閉じたときに、一方の表表紙１６１６が閉じられるに従って綴じ具９０１０に沿って他方の裏表紙１６１８側に向けて被綴じ物Ｓを押圧するように構成されている。
更に、支持部１７３４は、第１折れ曲がり部１７４０とは反側端縁に表表紙１６１６との連結のための第１連結部１７５０を有し、第１連結部１７５０近傍に第２折れ曲がり部１７４２を形成されている。
又、押圧保持部１７３２は、第１折れ曲がり部１７４０とは反側端縁に裏表紙１６１８との連結のための第２連結部１７５２を有し、第２連結部１７５２近傍に第３折れ曲がり部１７４４を形成されている。
【０３０５】
押圧作用体１７３０は、ファイル表紙１６１２の内側に取り付けられた押圧作用体１７３０を構成する押圧作用部材において形成され、ファイル表紙１６１２を表側薄肉ヒンジ部１６２０において折り曲げて閉じたときに、その折り曲げに対応してファイル表紙を表側薄肉ヒンジ部１６２０に沿って第１折れ曲がり部１７４０において内側に向けて突き出る山折り状（表紙の外側からみて谷折り状）に折れ曲がり、且つ第２折れ曲がり部１７４２及び第３折れ曲がり部１７４４において外側に向けて凹む谷折り状（表紙の外側からみて山折り状）に折れ曲がり、被綴じ物Ｓの綴じ代側端縁Ｓ１に向けて突き出るように形成されている。
【０３０６】
この実施の形態においては、押圧作用体１７３０の第１連結部１７５０と垂れ防止体１６３０の第１連結部１６５０とは、並列し、且つ押圧作用体１７３０の第２連結部１７５２と垂れ防止体１６３０の第２連結部１６５２とは、並列し、それらを構成する垂れ防止部材と押圧作用部材とが一体に形成されている。
そして、垂れ防止体１６３０の押圧保持部１６３２及び支持部１６３４と押圧作用体１７３０の押圧保持部１７３２及び支持部１７３４とは、それらの境に穿設された分離スリット１６９０によって分離されている。
又、垂れ防止体１６３０の第２連結部１６５２は、第３折れ曲がり部１６４４が裏表紙１６１８の綴じ具９０１０の綴環９０１２及び綴環９０１４の環の中央に位置するように接続され、又、垂れ防止体１６３０の第１連結部１６５０は、第２折れ曲がり部１６４２が背表紙１６１４の表側薄肉ヒンジ部１６２０に位置するように接続されている。
そして、押圧作用体１７３０の第２連結部１７５２は、第２折れ曲がり部１７４２が背表紙１６１４の裏側薄肉ヒンジ部１６２２に位置するように接続され，又押圧作用体１７３０の第１連結部１７５０は、表表紙１６１６の綴じ具９０１０の頂部より少し高い位置までのびるように、第３折れ曲がり部１７４４が表側薄肉ヒンジ部１６２０より離れた位置に位置するように接続されている。
【０３０７】
支持部１７３４の幅（第１折れ曲がり部１７４０と第２折れ曲がり部１７４２との間の長さ）は、背表紙１６１４の裏側薄肉ヒンジ部１６２２と表側薄肉ヒンジ部１６２０の位置との幅と略同一であるために、表紙１６１２を開いたときに、押圧保持部１７３２及び支持部１７３４は、表紙１６１２の内側面に近い位置まで接近する。
【０３０８】
第３折れ曲がり部１７４４は、表表紙１６１６を開閉するときの枢軸たる裏側薄肉ヒンジ部１６２２の近傍で、背表紙１６１４の内面に固着され、押圧作用体１７３０は、表表紙１６１６及び背表紙１６１４を閉じるときに、第３折れ曲がり部１７４４を枢軸として、第３折れ曲がり部１７４４を中心にして立ち上がるように形成されている。
第２折れ曲がり部１７４２は、表表紙１６１６を閉じるとき、押圧作用体１７３０を立ち上げ易くするために、裏側薄肉ヒンジ部１６２２より離れた位置に位置している。この実施の形態においては、裏側薄肉ヒンジ部１６２２を枢軸として閉じられる背表紙１６１４及び表表紙１６１６の動作に対応して、第１折れ曲がり部１７４０を頂点として山型に折れ曲がり、立ち上がって押圧作用体１７３０の上部に載っている被綴じ物Ｓを持ち上げ易くするために、押圧作用体１７３０の第２折れ曲がり部１７４２は、表側薄肉ヒンジ部１６２０よりも更に外側である表表紙１６１６の内面に位置している。
【０３０９】
支持部１７３４の幅（Ｗ１）と押圧保持部１６３２の幅（Ｗ２）とは、略同じであり、第２折れ曲がり部１７４２の固定された位置と表側薄肉ヒンジ部１６２０との間の幅（Ｗ３）と、第３折れ曲がり部１６４４の固定された位置と裏側薄肉ヒンジ部１６２２との間の幅（Ｗ４）とは、略同じであり、押圧作用体１７３０の押圧保持部１７３２の幅（Ｗ５）と垂れ防止体１６３０の支持部１６３４の幅（Ｗ６）とは近い長さに形成されているので、表表紙１６１６を閉じたとき、背表紙１６１４は裏表紙１６１８に対して略垂直に立ち上がり、支持部１７３４は表表紙１６１６に対して略垂直に立ち上がり、多数綴じられた被綴じ物Ｓの綴じ代側端縁Ｓ１の列と対向して保持する。
押圧作用体１７３０の押圧保持部１７３２の幅（Ｗ５）は、垂れ防止体１６３０の支持部１６３４の幅（Ｗ６）よりも僅かに狭く形成されている。而して、表表紙１６１６を開いた状態から閉じる状態にするときに、押圧保持部１７３２は、被綴じ物Ｓの綴じ代側端縁Ｓ１に当接せず、表表紙１６１６の閉じる動作の妨げにならないように形成されている。
【０３１０】
押圧作用体１７３０は、ファイル表紙を閉じたときに表表紙１６１６と背表紙１６１４とのなす角度が略１８０度から略９０度に縮まり、第２折れ曲がり部１６４２と第３折れ曲がり部１６４４との間隔も縮まることにより、押圧保持部１７３２は第２折れ曲がり部１７４２を中心に回動し、支持部１７３４は第３折れ曲がり部１７４４を中心に回動し起きて、閉じられる表表紙１６１６又はその近傍の背表紙１６１４の内面に位置する被綴じ物Ｓの綴じ具９０１０の近傍の領域を、綴じ具９０１０の第１の綴環９０１２及び第２の綴環９０１４の形状に沿って押圧する。
【０３１１】
前記図１０１ないし１０４図示実施の形態においては、垂れ防止押圧作用体１４３０の押圧保持部１４３２の表面が平滑な面で構成されたが、図１０４ないし１０８において示すように、押圧保持部１４３２の表面に被綴じ物Ｓの綴じ代側端縁Ｓ１を挟み込むための凸条１４３８を平行に複数条形成してもよい。
図１０４ないし１０８図示ファイルは、図８６ないし９０図示実施の形態の変形例であって、その他の構成は同一であるので、同一の構成については同一の符号で示し、説明は省略する。
【０３１２】
図１０９は、本発明の一実施の形態である表紙構造を備えたファイルの斜視図解図である。図１１０は、図１０９図示ファイルの表紙を開いた状態の平面図解図であり、図１１１は、図１０９図示ファイルの表紙を開いた状態の断面図解図である。図１１２は、図１０９図示ファイルの表紙を閉じた状態の断面図解図である。
【０３１３】
この発明の実施の形態であるファイル１８１０は、前記図９１図示実施の形態であるファイル１５１０を変形した実施の形態であり、連結部の構成において、相違するのみである。
このファイル１８１０は、表紙１８１２と、表紙１８１２に固定された綴じ具９０１０とを含む。
【０３１４】
表紙１８１２は、背表紙１８１４と、前記背表紙１８１４の両端に開閉自在に延設された、表表紙１８１６及び前記綴じ具９０１０の保持部材を固定する裏表紙１８１８とを備え、図１０９及び１１２に示すように、表表紙１８１６と裏表紙１８１８が背表紙１８１４に対して立設状態となり対向するように連設され、幅（Ａ）と高さ（Ｂ）と背幅（Ｃ）とを有する。
そして、表表紙１８１６及び裏表紙１８１８は、背表紙１８１４寄りに高さ（Ｂ）方向にのびる開閉用の表側薄肉ヒンジ部１８２０及び裏側薄肉ヒンジ部１８２２が設けられ、表側薄肉ヒンジ部１８２０と裏側薄肉ヒンジ部１８２２とは、平行でその間において背幅（Ｃ）を構成する。
【０３１５】
表表紙１８１６の開閉を可能にする表側薄肉ヒンジ部１８２０及び裏表紙１８１８の開閉を可能にする裏側薄肉ヒンジ部１８２２は、断面略Ｖ字溝であり、表側薄肉ヒンジ部１８２０と裏側薄肉ヒンジ部１８２２とは、それぞれ平行である。表側薄肉ヒンジ部１８２０は、背表紙１８１４と表表紙１８１６との境界設けられており、裏側薄肉ヒンジ部１８２２は、背表紙１８１４と裏表紙１８１８との境界に設けられている。
【０３１６】
この綴じ具９０１０の綴環９０１２、９０１４は，Ｄ字型であり、綴じ具の長さ（Ｄ）と綴じ具の幅（Ｅ）とを有する。
この綴じ具９０１０の綴環は、第１の綴環９０１２と第２の綴環９０１４とからなるが、第１の綴環９０１２の半割杆９０１２ａと半割杆９０１２ｂ及び第２の綴環９０１４の半割杆９０１４ａと半割杆９０１４ｂとがそれぞれ線対称ではなく、その形状が異なる。
すなわち、第１の綴環９０１２の半割杆９０１２ａ及び第２の綴環９０１４の半割杆９０１４ａは、略コ字型であり、もう一方の（第１の綴環９０１２の）半割杆９０１２ｂ及び（第２の綴環９０１４の）半割杆９０１４ｂはｎ半円弧状であり、背表紙１８１４側に位置する。
綴環９０１２と綴環９０１４とは、綴じ具の長さ（Ｄ）方向において適宜な間隔をおいて分かれており、綴環９０１２及び綴環９０１４ののびる方向、すなわち長さ（Ｆ）方向を有する。綴環９０１２及び綴環９０１４の長さ（Ｆ）方向は、表紙１８１２の幅（Ａ）方向すなわち表側薄肉ヒンジ部１８２０及び裏側薄肉ヒンジ部１８２２と直交し表紙１８１２の内表面と直交する平面（仮想面）上においてのびる。
【０３１７】
綴じ具９０１０は、裏側薄肉ヒンジ部１８２２との間に少し距離をおいて、裏表紙１８１８の内面に固定されており、綴環９０１２及び綴環９０１４の基部と頂部との間の長さ（すなわち綴環９０１２及び綴環９０１４の高さ（Ｇ））は、背表紙１８１４の背幅と略同等もしくはわずかに長く形成されている。綴環９０１２及び綴環９０１４の基部と頂部との間の長さ（すなわち綴環９０１２及び綴環９０１４の高さ（Ｇ））が、背表紙１８１４の背幅（Ｃ）より長いときは、表表紙１８１６の接し合う部分に貫通孔からなる綴じ具嵌挿孔１８１６ａが穿設される。
【０３１８】
このファイル１８１０は、綴じ具９０１０を長さ方向に立てたとき、被綴じ物Ｓを垂れないようにするための垂れ防止手段がファイルの表紙１８１２の内側に進退自在に形成されているとともに、綴じ具９０１０に綴じられた被綴じ物Ｓの綴じ代側端縁Ｓ１に当接し、一方の表表紙１８１６が閉じられるときに、一方の表表紙１８１６が閉じられるに従って綴じ具９０１０に沿って他方の裏表紙１８１８に向けて被綴じ物Ｓを押圧する押圧作用手段を、表紙１８１２の内側に起伏自在に形成されている。
この実施の形態においては、垂れ防止手段と押圧作用手段とは、一体化された垂れ防止押圧作用体１８３０として構成されている。
垂れ防止押圧作用体１８３０は、表紙１８１２の高さ方向において上下に分かれて一対形成されており、上の垂れ防止押圧作用体１８３０Ａと下の垂れ防止押圧作用体１８３０Ｂとは、対称に形成されている。
垂れ防止押圧体１８３０は、ファイル表紙１８１２の表表紙１８１６を表側薄肉ヒンジ部１８２０において折り曲げて閉じたときに、表表紙１８１６と背表紙１８１４とのなす角度が略１８０度から略９０度に縮まり、その折り曲げに対応してファイル表紙１８１２の表側薄肉ヒンジ部１８２０に沿って折れ曲がり、被綴じ物Ｓの綴じ代側端縁Ｓ１に向けて突き出るように、形成される。
【０３１９】
垂れ防止押圧作用体１８３０は、表紙１８１２の内側に取り付けられた垂れ防止押圧作用手段を構成する立ち上がり部材により構成され、表表紙１８１６、裏表紙１８１８及び背表紙１８１４のうち少なくとも二つの間に架け渡された立ち上がり部を有する。
一方の立ち上がり部が表表紙１８１６、裏表紙１８１８及び背表紙１８１４のうち一つに連結され、他方の立ち上がり部が前記一方の立ち上がり部が連結されていない表表紙１８１６、裏表紙１８１８及び背表紙１８１４のうち一つに連結されている。
【０３２０】
垂れ防止押圧作用体１８３０は、上端縁と下端縁とを有し、上端縁と下端縁とを平行に形成した方形状である。
【０３２１】
垂れ防止押圧作用体１８３０は、背表紙１８１４と裏表紙１８１８との内面より内側に向けて山形に立ち上がらせるために、中央において内方に向けて折れ曲がらせるための第１折れ曲がり部１８４０と、表側薄肉ヒンジ部１８２０に沿って上端縁及び下端縁と直交して形成された第２折れ曲がり部１８４２と、第１の綴環９０１２及び第２の綴環９０１４の環の中央の下部において垂れ防止押圧作用体１８３０の上端縁及び下端縁と直交して形成された第３折れ曲がり部１８４４とを形成されている。
第１折れ曲がり部１８４０と第２折れ曲がり部１８４２と第３折れ曲がり部１８４４とは、平行に形成され、表紙１８１２の内側からみて、第１折れ曲がり部１８４０は内側に向けて山折りとなり、第２折れ曲がり部１８４２と第３折れ曲がり部１８４４とは谷折りとなる。
すなわち、前記一方の平面視方形状の立ち上がり部からなる押圧保持部１８３２と、平面視方形状の他方の立ち上がり部からなる支持部１８３４との間に第１折れ曲がり部１８４０が形成されている。
更に、支持部１８３４は、第１折れ曲がり部１８４０とは反対側端縁に表表紙１８１６との連結のための第１連結部１８５０を有し、第１連結部１８５０の近傍に折曲自在とするために第２折れ曲がり部１８４２を形成されている。第２折れ曲がり部１８４２は、表側薄肉ヒンジ部１８２０の近傍で裏表紙１８１８側に離れた位置に形成されている。
また、押圧保持部１８３２は、第１折れ曲がり部１８４０とは反対側端縁に裏表紙１８１８との連結のための第２連結部１８５２を有し、第２連結部１８５２の近傍に折曲自在とするための第３折れ曲がり部１８４４を形成されている。
【０３２２】
この発明の実施の形態の第１連結部１８５０は、上の垂れ防止押圧作用体１８３０Ａと下の垂れ防止押圧作用体１８３０Ｂとに跨って形成され、共通の第１連結部１８５０を形成している。
一方、第２連結部１８５２は、上の垂れ防止押圧作用体１８３０Ａと下の垂れ防止押圧作用体１８３０Ｂとに分離され、別々に形成されている。
【０３２３】
第１折れ曲がり部１８４０と第２折れ曲がり部１８４２と第３折れ曲がり部１４４と平行になるように、且つ表表紙１８１６の表側薄肉ヒンジ部１８２０及び裏表紙１８１４の裏側薄肉ヒンジ部１８２２と平行になるように、表表紙１８１６と第１連結部１８５０とが接続され、裏表紙１８１８と第２連結部１８５２とが接続されている。
而して、垂れ防止手段１８３０の第１折れ曲がり部１８４０と第２折れ曲がり部１８４２と第３折れ曲がり部１８４４とは、表側薄肉ヒンジ部１８２０及び裏側薄肉ヒンジ部１８２２と直交するとともに綴環９０１２と綴環９０１４とを結ぶ長さ（Ｄ）方向にのびる。
【０３２４】
押圧保持部１８３２は、表表紙１８１６側の端縁に、第１折れ曲がり部１８４０より表表紙１８１６側に向けて突き出る保持突片１８３６が突設されており、表紙１８１２を閉じたときに、表表紙１８１６側にある被綴じ物Ｓの綴じ代側端縁Ｓ１を係止することができるように形成されている。
この実施の形態においては、第１折れ曲がり部１８４０から押圧保持部１８３２にのびるＵ字状のスリット１８３６Ａによって、押圧保持部１８３２から分離され、第１折れ曲がり部１８４０において押圧保持部１８３２と支持部１８３４とを折り曲げたときに、保持突片１８３６は、押圧保持部１８３２より平板状に延長するように構成されている。
【０３２５】
保持突片１８３６は、図１１２（Ａ）において示すように、表表紙１８１６の内側面に近傍に達する長さでもよいが、図１１２（Ｂ）において示すように、表表紙１８１６に保持突片１８３６を貫挿する穴１８１６ｂを穿設して、穴１８１６ｂに嵌挿させて表表紙１８１６の内部に至る長さでもよい。
【０３２６】
垂れ防止押圧作用体１８３０は、ファイル表紙１８１２を表側薄肉ヒンジ部１８２０において折り曲げて閉じたときに、その折り曲げに対応してファイル表紙１８１２の表側薄肉ヒンジ部１８２０に沿って第１折れ曲がり部１８４０において内側に向けて突き出る山折り状（表紙の外側からみて谷折り状）に折れ曲がり、且つ第２折れ曲がり部１８４２及び第３折れ曲がり部１８４４において外側に向けて凹む谷折り状（表紙の外側からみて山折り状）に折れ曲がり、被綴じ物Ｓの綴じ代側端縁Ｓ１に向けて突き出るように形成されている。
【０３２７】
垂れ防止押圧作用体１８３０は、表紙１８１２の背表紙１８１４と綴じ具９０１０との間に位置し、表表紙１８１６を開いたときに表表紙１８１６の内側に近いか略々同じ面に位置し、且つ表表紙１８１６を閉じたときに一方の表表紙１８１６が閉じられるに従って綴じ具９０１０に沿って他方の裏表紙１８１８に向けて被綴じ物Ｓの綴じ代側端縁Ｓ１を押圧するように構成されている。
【０３２８】
垂れ防止押圧作用体１８３０は、ファイル表紙を閉じたときに、ファイル表紙に表紙１８１２の表表紙１８１６と背表紙１８１４との角度が略１８０度から略９０度に縮まり、第２折れ曲がり部１８４２と第３折れ曲がり部１８４４との間隔も縮まることにより、押圧保持部１８３２は第２折れ曲がり部１８４２を中心に回動し、支持部１８３４は第３折れ曲がり部１８４４を中心に回動して、押圧保持部１８３２が被綴じ物Ｓの綴じ代側端縁Ｓ１に向けて突き出て進み、その綴じ代側端縁Ｓ１を保持する。
【０３２９】
垂れ防止押圧作用体１８３０は、綴じ具９０１０を固定された裏表紙１８１８と対向する表表紙１８１６又は綴じ具９０１０を固定された裏表紙１８１８と交差する背表紙１８１４からのびる支持部１８３４と、綴じ具９０１０を固定された裏表紙１８１８又は綴じ具９０１０を固定された裏表紙１８１８に交差する背表紙１８１４からのびる押圧保持部１８３２とを有する。
押圧保持部１８３２は、表紙１８１２を開いたとき綴じ具９０１０の第１の綴環９０１２及び第２の綴環９０１４の基部側からのび、支持部１８３４は、綴じ具９０１０の第１の綴環９０１２及び第２の綴環９０１４の頂部側からのびる。
表紙１８１２を開いたとき、綴じ具９０１０を固定された裏表紙１８１８と対向する表表紙１８１６に近い位置に位置し、表紙１８１２を閉じたときに、綴じ具９０１０を固定された表表紙１８１６と交差する背表紙１８１４と離れた位置に位置するように、支持部１８３４及び押圧保持部１８３２は、その境で屈曲自在になるように構成され、表紙１８１２の内側に連設されている。
【０３３０】
支持部１８３４は、綴じ具９０１０を固定された表紙１８１２と対向する表表紙１８１６又は綴じ具９０１０を固定された裏表紙１８１８と交差する背表紙１８１４からのびる押圧保持部１８３２は、綴じ具９０１０を固定された裏表紙１８１８又は綴じ具９０１０を固定された裏表紙１８１８に交差する背表紙１８１４からのび、前記支持部１８３４と押圧保持部１８３２とは、連結され、且つ裏表紙１８１８と綴じ具の背表紙側の綴環（第１の綴環の半割杆９０１２ｂ及び第２の綴環の半割杆９０１４ｂ）との間において、架け渡され、表紙１８１２の背表紙１８１４と綴じ具９０１０との間に位置し、表紙１８１２を開いたときに、表紙１８１２の内側に近いか略々同じ面に位置し、且つ表紙１８１２を閉じたときに、一方の表表紙１８１６が閉じられるに従って綴じ具９０１０に沿って他方の裏表紙１８１８側に向けて被綴じ物Ｓを押圧するように構成されている。
【０３３１】
垂れ防止押圧作用体１８３０は、ファイル表紙を閉じたときに表表紙１８１６と背表紙１８１４とのなす角度が略１８０度から略９０度に縮まり、第２折れ曲がり部１８４２と第３折れ曲がり部１８４４との間隔も縮まることにより、押圧保持部１８３２は第２折れ曲がり部１８４２を中心に回動し、支持部１８３４は第３折れ曲がり部１８４４を中心に回動し起きて、閉じられる表表紙１８１６又はその近傍の背表紙１８１４の内面に位置する被綴じ物Ｓの綴じ具９０１０の近傍の領域を、綴じ具９０１０の第１の綴環９０１２及び第２の綴環９０１４の形状に沿って押圧する。
【図面の簡単な説明】
【０３３２】
【図１】本発明の一実施の形態である表紙構造を備えたファイルの斜視図解図である。
【図２】図１図示ファイルの表紙を開いた状態の平面図解図である。
【図３】図１図示ファイルの表紙を開いた状態の断面図解図である。
【図４】図１図示ファイルの表紙を閉じた状態の断面図解図である。
【図５】図１図示ファイルの表紙を閉じた状態を示す斜視図解図である。
【図６】本発明の一実施の形態である表紙構造を備えたファイルの斜視図解図である。
【図７】図６図示ファイルの表紙を開いた状態の平面図解図である。
【図８】図６図示ファイルの表紙を開いた状態の断面図解図である。
【図９】図６図示ファイルの表紙を閉じた状態の断面図解図である。
【図１０】図６図示ファイルの表紙を閉じた状態を示す斜視図解図である。
【図１１】本発明の一実施の形態である表紙構造を備えたファイルの斜視図解図である。
【図１２】図１１図示ファイルの表紙を開いた状態の平面図解図である。
【図１３】（Ａ）は図１１図示ファイルの表紙を開いた状態の断面図解図であり、（Ｂ）は図１１図示ファイルの表紙を閉じた状態の断面図解図である。
【図１４】図１１図示ファイルの変形例たるファイルの表紙を閉じた状態の断面図解図である。
【図１５】図１１図示ファイルの変形例たるファイルの表紙の斜視図解図である。
【図１６】本発明の一実施の形態である表紙構造を備えたファイルの斜視図解図である。
【図１７】図１６図示ファイルの表紙を開いた状態の平面図解図である。
【図１８】図１６図示ファイルの表紙を開いた状態の断面図解図である。
【図１９】図１６図示ファイルの表紙を閉じた状態の断面図解図である。
【図２０】垂れ防止手段の図解図であり、（Ａ）は、平面図解図であり、（Ｂ）は，Ｘ−Ｘ横断面図解図である。
【図２１】本発明の一実施の形態である表紙構造を備えたファイルの斜視図解図である。
【図２２】図２１図示ファイルの表紙を開いた状態の平面図解図である。
【図２３】図２１図示ファイルの表紙を開いた状態の断面図解図である。
【図２４】図２１図示ファイルの表紙を閉じた状態の断面図解図である
【図２５】垂れ防止手段の図解図であり、（Ａ）は、平面図解図であり、（Ｂ）は，Ｘ−Ｘ横断面図解図である。
【図２６】本発明の一実施の形態である表紙構造を備えたファイルの斜視図解図である。
【図２７】図２６図示ファイルの表紙を開いた状態の平面図解図である。
【図２８】図２６図示ファイルの表紙を開いた状態の断面図解図である。
【図２９】図２６図示ファイルの表紙を閉じた状態の断面図解図である
【図３０】垂れ防止手段の平面図解図である。
【図３１】（Ａ）は図３０Ｘ−Ｘ断面図解図であり、（Ｂ）は、図３０Ｙ−Ｙ断面図解図である。
【図３２】図２６図示ファイルの変形例たるファイルの表紙を開いた状態の斜視図解図である。
【図３３】図２６図示ファイルの変形例たるファイルの表紙を閉じた状態の断面図解図である。
【図３４】本発明の一実施の形態である表紙構造を備えたファイルの斜視図解図である。
【図３５】図３４図示ファイルの表紙を開いた状態の平面図解図である。
【図３６】図３４図示ファイルの表紙を開いた状態の図３５Ｘ−Ｘ断面図解図である。
【図３７】図３４図示ファイルの表紙を開いた状態の図３５Ｙ−Ｙ断面図解図である。
【図３８】図３４図示フィルの表紙を閉じ始めた状態の図３５Ｘ−Ｘ断面図解図である。
【図３９】図３４図示フィルの表紙を閉じ始めた状態の図３５Ｙ−Ｙ断面図解図である。
【図４０】図３４図示ファイルの表紙を閉じた状態の断面図解図である。
【図４１】図３４図示ファイルの表紙を閉じた状態の断面図解図である。
【図４２】垂れ防止押圧作用体の平面図解図である。
【図４３】（Ａ）は図４２Ｘ−Ｘ断面図解図であり、（Ｂ）は、図４２Ｙ−Ｙ断面図解図である。
【図４４】図４２Ｚ−Ｚ断面図解図である。
【図４５】本発明の一実施の形態である表紙構造を備えたファイルの斜視図解図である。
【図４６】図４５図示ファイルの表紙を開いた状態の平面図解図である。
【図４７】図４５図示ファイルの表紙を開いた状態の断面図解図である。
【図４８】図４５図示ファイルの表紙を閉じた状態の断面図解図である。
【図４９】垂れ防止手段の平面図解図である。
【図５０】垂れ防止手段の図４９Ｘ−Ｘ断面図解図である。
【図５１】本発明の一実施の形態である表紙構造を備えたファイルの斜視図解図である。
【図５２】図５１図示ファイルの表紙を開いた状態の平面図解図である。
【図５３】図５１図示ファイルの表紙をフラットに開いた状態を示す断面図解図である。
【図５４】図５１図示ファイルの表紙を閉じた状態の断面図解図である。
【図５５】図５４Ａ矢視断面図解図である。
【図５６】垂れ防止手段の図解図である。
【図５７】（Ａ）は図５５Ｘ−Ｘ断面図解図であり、（Ｂ）は図５５Ｙ−Ｙ断面図解図である。
【図５８】（Ａ）は被綴じ物押さえ具の斜視図解図であり、（Ｂ）は（Ａ）のＸ−Ｘ断面図解図と同じであり、（Ｂ）は（Ａ）のＹ−Ｙ断面図解図である。
【図５９】図５１図示ファイルの表紙を開いた状態の平面図解図である。
【図６０】図図示ファイルの表紙をフラットに開いた状態を示す正面図解図である。
【図６１】図５１図示ファイルの表紙を閉じ始めた状態の一例を示す平面図解図である。
【図６２】図５１図示ファイルの表紙を閉じ始めた状態の一例を示す正面図解図である。
【図６３】図５１図示ファイルの表紙を閉じ始めた状態の一例を示す平面図解図である。
【図６４】図５１図示ファイルの表紙を閉じ始めた状態の一例を示す正面図解図である。
【図６５】被綴じ物押さえ具の他の例を示す斜視図解図である。
【図６６】本発明の一実施の形態である表紙構造を備えたファイルの斜視図解図である。
【図６７】図６６図示ファイルの表紙を開いた状態の平面図解図である。
【図６８】図６６図示ファイルの表紙を開いた状態の断面図解図である。
【図６９】図６６図示ファイルの表紙を閉じ始めた状態の断面図解図である。
【図７０】図６６図示ファイルの表紙を閉じた状態を示す断面図解図である。
【図７１】本発明の一実施の形態である表紙構造を備えたファイルの斜視図解図である。
【図７２】図７１図示ファイルの表紙を開いた状態の平面図解図である。
【図７３】図７１図示ファイルの表紙を開いた状態の断面図解図である。
【図７４】図７１図示ファイルの表紙を閉じ始めた状態の断面図解図である。
【図７５】図７１図示ファイルの表紙を閉じた状態を示す断面図解図である。
【図７６】本発明の一実施の形態である表紙構造を備えたファイルの斜視図解図である。
【図７７】図７６図示ファイルの表紙を開いた状態の平面図解図である。
【図７８】（Ａ）は図７６図示ファイルの表紙を開いた状態の断面図解図であり、（Ｂ）は図７６図示ファイルの表紙を閉じ始めた状態の断面図解図である。
【図７９】（Ａ）は図７６図示ファイルの表紙を閉じた状態の断面図解図であり、（Ｂ）は図７６図示ファイルの変形例たるファイルの閉じた状態の断面図解図である。
【図８０】図７６図示ファイルの変形例たるファイルの斜視図解図である。
【図８１】本発明の一実施の形態である表紙構造を備えたファイルの斜視図解図である。
【図８２】図８１図示ファイルの表紙を開いた状態の平面図解図である。
【図８３】図８１図示ファイルの表紙を開いた状態の断面図解図であり、（Ａ）はフラットに開いた状態を示し、（Ｂ）は閉じ始めた状態を示す断面図解図である。
【図８４】図８１図示ファイルの表紙を閉じた状態の断面図解図である。
【図８５】垂れ防止手段の図解図であり、（Ａ）は、平面図解図であり、（Ｂ）は、Ｘ−Ｘ横断面図解図である。
【図８６】本発明の一実施の形態である表紙構造を備えたファイルの斜視図解図である。
【図８７】図８６図示ファイルの表紙を開いた状態の平面図解図である。
【図８８】図８６図示ファイルの表紙を開いた状態の断面図解図であり、（Ａ）はフラットに開いた状態を示し、（Ｂ）は閉じ始めた状態を示す断面図解図である。
【図８９】図８６図示ファイルの表紙を閉じた状態の断面図解図である
【図９０】垂れ防止手段の図解図であり、（Ａ）は、平面図解図であり、（Ｂ）は、Ｘ−Ｘ横断面図解図である。
【図９１】本発明の一実施の形態である表紙構造を備えたファイルの斜視図解図である。
【図９２】図９１図示ファイルの表紙を開いた状態の平面図解図である。
【図９３】（Ａ）は図９１図示ファイルの表紙を開いた状態の断面図解図であり、（Ｂ）は閉じ始めた状態の断面図解図である。
【図９４】（Ａ）は図９１図示ファイルの表紙を閉じた状態の断面図解図であり、（Ｂ）は図９１図示ファイルの変形例たるファイルの閉じた状態の断面図解図である。
【図９５】（Ａ）は垂れ防止手段の平面図解図であり、（Ｂ）は図９５（Ａ）Ｘ−Ｘ断面図解図であり、（Ｃ）は、図９５（Ａ）Ｙ−Ｙ断面図解図である。
【図９６】本発明の一実施の形態である表紙構造を備えたファイルの斜視図解図である。
【図９７】図９６図示ファイルの表紙を開いた状態の平面図解図である。
【図９８Ａ】図９６図示ファイルの表紙をフラットに開いた状態を示す断面図解図である。
【図９８Ｂ】図９６図示ファイルの表紙を閉じ始めた状態の一例を示す断面図解図である。
【図９８Ｃ】図９６図示ファイルの表紙を閉じ始めた状態の他の例を示す断面図解図である。
【図９８Ｄ】図９６図示ファイルの表紙を閉じ始めた状態のさらに他の例を示す断面図解図である。
【図９９】図９６図示ファイルの表紙を閉じた状態の断面図解図である。
【図１００】図９６図示フィルの表紙を開いた状態の断面図解図であり、（Ａ）はフラットに開いた状態を示し、（Ｂ）は閉じ始めた状態を示す図解図である。
【図１０１】図９６図示ファイルの表紙を閉じた状態の断面図解図である。
【図１０２】垂れ防止押圧作用体の平面図解図である。
【図１０３】（Ａ）は図１０２Ｘ−Ｘ断面図解図であり、（Ｂ）は、図１０２Ｙ−Ｙ断面図解図であり、（Ｃ）は図１０２Ｚ−Ｚ断面図解図である。
【図１０４】図８６図示ファイルの変形例たるファイルの表紙を開いた状態の斜視図解図である。
【図１０５】図１０４図示ファイルの表紙を開いた状態の平面図解図である。
【図１０６】図１０４図示ファイルの表紙を開いた状態の断面図解図であり、（Ａ）はフラットに開いた状態を示し、（Ｂ）は閉じ始めた状態を示す図解図である。
【図１０７】図１０４図示ファイルの表紙を閉じた状態の断面図解図である。
【図１０８】垂れ防止手段の図解図であり、（Ａ）は、平面図解図であり、（Ｂ）は、Ｘ−Ｘ横断面図解図である。
【図１０９】本発明の一実施の形態である表紙構造を備えたファイルの斜視図解図である。
【図１１０】図１０９図示ファイルの表紙を開いた状態の平面図解図である。
【図１１１】(Ａ）は図１０９図示ファイルの表紙を開いた状態の断面図解図であり、（Ｂ）は閉じ始めた状態の断面図解図である。
【図１１２】（Ａ）は図１０９図示ファイルの表紙を閉じた状態の断面図解図であり、（Ｂ）は図１０９図示ファイルの変形例たるファイルの閉じた状態の断面図解図である。
【図１１３】垂れ防止手段の平面図解図である。
【図１１４】（Ａ）は図１１３Ｘ−Ｘ断面図解図であり、（Ｂ）は、図１１３Ｙ−Ｙ断面図解図である。
【符号の説明】
【０３３３】
１０，１１０，２１０，３１０，４１０，５１０，６１０，８１０，１０１０,１１１０,１２１０,１３１０,１４１０,１５１０，１６１０，１８１０  ファイル
１２，１１２，２１２，３１２，４１２，５１２，６１２，８１２，１０１２,１１１２,１２１２,１３１２,１４１２,１５１２，１６１２，１８１２  表紙
１４，１１４，２１４，３１４，４１４，５１４，６１４，８１４，１０１４,１１１４,１２１４,１３１４,１４１４,１５１４，１６１４，１８１４  背表紙
１６，１１６，２１６，３１６，４１６，５１６，６１６，８１６，１０１６,１１１６,１２１６,１３１６,１４１６,１５１６,１６１６，１８１６  表表紙
１６ａ，１１６ａ，２１６ａ，３１６ａ，４１６ａ，５１６ａ，６１６ａ，８１６ａ，１０１６ａ，１１１６ａ，１２１６ａ，１３１６ａ，１４１６ａ，１５１６ａ，１６１６ａ，１８１６ａ  綴じ具嵌挿孔
１８,１１８，２１８，３１８，４１８，５１８，６１８，８１８，１０１８,１１１８,１２１８,１３１８,１４１８,１５１８,１６１８，１８１８  裏表紙
２０，１２０，２２０，３２０，４２０，５２０，６２０，８２０，１０２０,１１２０,１２２０,１３２０,１４２０,１５２０,１６２０，１８２０  表側薄肉ヒンジ部
２２，１２２，２２２，３２２，４２２，５２２，６２２，８２２，１０２２,１１２２,１２２２,１３２２,１４２２,１５２２,１６２２，１８２２  裏側薄肉ヒンジ部
２８，１２８，２２８，１０２８，１１２８，１２２８  指かけ孔
３０，１３０，２３０，３３０，４３０，５３０，６３０，８３０  垂れ防止手段
７３０  押圧作用手段
１０３０，１１３０，１２３０,１３３０,１４３０,１５３０，１８３０  垂れ防止押圧作用体
１０３０Ａ,１１３０Ａ，１２３０Ａ,１３３０Ａ，１４３０Ａ，１５３０Ａ，１６３０Ａ，１８３０Ａ  垂れ防止押圧作用体
１０３０Ｂ,１１３０Ｂ，１２３０Ｂ,１３３０Ｂ，１４３０Ｂ，１５３０Ｂ，１６３０Ｂ，１８３０Ｂ  垂れ防止押圧作用体
１６３０  垂れ防止体
１７３０  押圧作用体
３２，１３２，２３２，３３２，４３２，５３２，６３２，８３２  保持部
７３２，１０３２,１１３２,１２３２,１３３２,１４３２,１５３２,１６３２,１７３２，１８３２  押圧保持部
３４，１３４，２３４，３３４，４３４，５３４，６３４，７３４,８３４，１０３４,１１３４,１２３４,１３３４,１４３４,１５３４,１６３４,１７３４，１８３４  支持部
４０,１４０，２４０，３４０，４４０，５４０，６４０，７４０，８４０，１０４０,１１４０,１２４０,１３４０,１４４０,１５４０,１６４０，１７４０，１８４０  第１折れ曲がり部
４２,１４２，２４２，３４２，４４２，５４２，６４２，７４２，８４２，１０４２,１１４２,１２４２,１３４２,１４４２,１５４２,１６４２，１７４２，１８４２  第２折れ曲がり部
４４,１４４，２４４，３４４，４４４，５４４，６４４，７４４，８４４，１０４４,１１４４,１２４４,１３４４,１４４４,１５４４,１６４４，１７４４，１８４４  第３折れ曲がり部
９０，１９０，２９０，６９０,１０９０,１１９０,１２９０,１６９０  分離スリット
９０ａ，１９０ａ，２９０ａ，１０９０ａ，１１９０ａ，１２９０ａ  第１分離スリット
９０ｂ，１９０ｂ，２９０ｂ，１０９０ｂ，１１９０ｂ，１２９０ｂ  第２分離スリット
２３６，５３６，１２３６,１５３６，１８３６  保持突片
２３６Ａ，５３６Ａ，１２３６Ａ，１５３６Ａ，１８３６Ａ  Ｕ字状のスリット
３５０，４５０，５５０，６５０，７５０,８５０，１３５０,１４５０,１５５０,１６５０，１７５０，１８５０  第１連結部
３５２，４５２，５５２，６５２，７５２,８５２，１３５２,１４５２,１５５２,１６５２，１７５２，１８５２  第２連結部
２１６ｂ，５１６ｂ，１２１６ｂ，１５１６ｂ，１８１６ｂ  穴
８５４  第４折れ曲がり部
８５６  嵌挿溝
３０１０  被綴じ物押さえ具
３０１２  押さえ具本体
３０１４  摺接体
３０１６  嵌挿孔
３０１８  嵌挿孔
３０２０  嵌挿部
３０２２  摺接部
９０１０  綴じ具
９０１２  第１の綴環
９０１２ａ  第１の綴環の半割杆
９０１２ｂ  第１の綴環の半割杆
９０１４  第２の綴環
９０１４ａ  第２の綴環の半割杆
９０１４ｂ  第２の綴環の半割杆
Ｓ  被綴じ物
Ｓ１  綴じ代側端縁
【図１】
2009119604.tif 000003
【図２】
2009119604.tif 000004
【図３】
2009119604.tif 000005
【図４】
2009119604.tif 000006
【図５】
2009119604.tif 000007
【図６】
2009119604.tif 000008
【図７】
2009119604.tif 000009
【図８】
2009119604.tif 000010
【図９】
2009119604.tif 000011
【図１０】
2009119604.tif 000012
【図１１】
2009119604.tif 000013
【図１２】
2009119604.tif 000014
【図１３】
2009119604.tif 000015
【図１４】
2009119604.tif 000016
【図１５】
2009119604.tif 000017
【図１６】
2009119604.tif 000018
【図１７】
2009119604.tif 000019
【図１８】
2009119604.tif 000020
【図１９】
2009119604.tif 000021
【図２０】
2009119604.tif 000022
【図２１】
2009119604.tif 000023
【図２２】
2009119604.tif 000024
【図２３】
2009119604.tif 000025
【図２４】
2009119604.tif 000026
【図２５】
2009119604.tif 000027
【図２６】
2009119604.tif 000028
【図２７】
2009119604.tif 000029
【図２８】
2009119604.tif 000030
【図２９】
2009119604.tif 000031
【図３０】
2009119604.tif 000032
【図３１】
2009119604.tif 000033
【図３２】
2009119604.tif 000034
【図３３】
2009119604.tif 000035
【図３４】
2009119604.tif 000036
【図３５】
2009119604.tif 000037
【図３６】
2009119604.tif 000038
【図３７】
2009119604.tif 000039
【図３８】
2009119604.tif 000040
【図３９】
2009119604.tif 000041
【図４０】
2009119604.tif 000042
【図４１】
2009119604.tif 000043
【図４２】
2009119604.tif 000044
【図４３】
2009119604.tif 000045
【図４４】
2009119604.tif 000046
【図４５】
2009119604.tif 000047
【図４６】
2009119604.tif 000048
【図４７】
2009119604.tif 000049
【図４８】
2009119604.tif 000050
【図４９】
2009119604.tif 000051
【図５０】
2009119604.tif 000052
【図５１】
2009119604.tif 000053
【図５２】
2009119604.tif 000054
【図５３】
2009119604.tif 000055
【図５４】
2009119604.tif 000056
【図５５】
2009119604.tif 000057
【図５６】
2009119604.tif 000058
【図５７】
2009119604.tif 000059
【図５８】
2009119604.tif 000060
【図５９】
2009119604.tif 000061
【図６０】
2009119604.tif 000062
【図６１】
2009119604.tif 000063
【図６２】
2009119604.tif 000064
【図６３】
2009119604.tif 000065
【図６４】
2009119604.tif 000066
【図６５】
2009119604.tif 000067
【図６６】
2009119604.tif 000068
【図６７】
2009119604.tif 000069
【図６８】
2009119604.tif 000070
【図６９】
2009119604.tif 000071
【図７０】
2009119604.tif 000072
【図７１】
2009119604.tif 000073
【図７２】
2009119604.tif 000074
【図７３】
2009119604.tif 000075
【図７４】
2009119604.tif 000076
【図７５】
2009119604.tif 000077
【図７６】
2009119604.tif 000078
【図７７】
2009119604.tif 000079
【図７８】
2009119604.tif 000080
【図７９】
2009119604.tif 000081
【図８０】
2009119604.tif 000082
【図８１】
2009119604.tif 000083
【図８２】
2009119604.tif 000084
【図８３】
2009119604.tif 000085
【図８４】
2009119604.tif 000086
【図８５】
2009119604.tif 000087
【図８６】
2009119604.tif 000088
【図８７】
2009119604.tif 000089
【図８８】
2009119604.tif 000090
【図８９】
2009119604.tif 000091
【図９０】
2009119604.tif 000092
【図９１】
2009119604.tif 000093
【図９２】
2009119604.tif 000094
【図９３】
2009119604.tif 000095
【図９４】
2009119604.tif 000096
【図９５】
2009119604.tif 000097
【図９６】
2009119604.tif 000098
【図９７】
2009119604.tif 000099
【図９８Ａ】
2009119604.tif 000100
【図９８Ｂ】
2009119604.tif 000101
【図９８Ｃ】
2009119604.tif 000102
【図９８Ｄ】
2009119604.tif 000103
【図９９】
2009119604.tif 000104
【図１００】
2009119604.tif 000105
【図１０１】
2009119604.tif 000106
【図１０２】
2009119604.tif 000107
【図１０３】
2009119604.tif 000108
【図１０４】
2009119604.tif 000109
【図１０５】
2009119604.tif 000110
【図１０６】
2009119604.tif 000111
【図１０７】
2009119604.tif 000112
【図１０８】
2009119604.tif 000113
【図１０９】
2009119604.tif 000114
【図１１０】
2009119604.tif 000115
【図１１１】
2009119604.tif 000116
【図１１２】
2009119604.tif 000117
【図１１３】
2009119604.tif 000118
【図１１４】
2009119604.tif 000119